(57)【要約】【課題】  より多くの画素で基本パターンが構成されモアレやアーティファクトを軽減することができる。【解決手段】  ２値化ディザマトリクスパターンが、順次点灯される複数の画素をマトリクス状に配列して構成され、その２値化ディザマトリクスパターンのほぼ図心位置Ｃに関して点対称の位置に複数の特定点Ｐ１，Ｐ２をそなえ、これらの特定点Ｐ１，Ｐ２に近い画素から順に、点灯画素に隣接する画素を優先的に点灯させることによって、それぞれ連続的な網点ドットを生成し、この２値化ディザマトリクスパターンを構成するほぼ半数の画素まで順番に点灯させた際に、この２値化ディザマトリクスパターンにおいて点灯画素と非点灯画素とが市松模様を形成するように構成する。【選択図】        図２
2005167492.tif 000002
【特許請求の範囲】
【請求項１】
多値画像を記憶領域に展開する展開ステップと、
該記憶領域に展開された多値画像を、２値化ディザマトリクスパターンに基づいて２値化し、その２値化結果に基づいて画像を形成する画像形成ステップとをそなえ、
該２値化ディザマトリクスパターンが、
順次点灯される複数の画素をマトリクス状に配列して構成され、
当該２値化ディザマトリクスパターンのほぼ図心位置に関して点対称の位置に複数の特定点をそなえ、当該特定点に近い該画素から順に、点灯画素に隣接する該画素を優先的に点灯させることによって、それぞれ連続的な網点ドットを生成し、
当該２値化ディザマトリクスパターンを構成するほぼ半数の画素まで順番に点灯させた際に、当該２値化ディザマトリクスパターンにおいて該点灯画素と非点灯画素とが市松模様を形成するものであることを特徴とする、印刷方法。
【請求項２】
該２値化ディザマトリクスパターンが、５４行×５３列のマトリクス状に配列される２８６２個の画素によって構成された矩形パターンのうち、当該矩形パターンの１行目を構成する１列目から３２列目および３５列目から５３列目、２行目を構成する１列目から３０行目および３６列目から５３列目、３行目を構成する１列目から２８列目および３６列目から５３列目、４行目を構成する１列目から２７列目および３７列目から５３列目、５行目を構成する１列目から２５列目および３７列目から５６列目、６行目を構成する１列目から２３列目および３８列目から５３列目、７行目を構成する１列目から２２列目および３９列目から５３列目、８行目を構成する１列目から２０列目および３９列目から５３列目、９行目を構成する１列目から１８列目および４０列目から５３列目、１０行目を構成する１列目から１７列目および４０列目から５３列目、１１行目を構成する１列目から１５列目および４１列目から５３列目、１２行目を構成する１列目から１３列目および４２列目から５３列目、１３行目を構成する１列目から１１列目および４２列目から５３列目、１４行目を構成する１列目から１０列目および４３列目から５３列目、１５行目を構成する１列目から８列目および４３列目から５３列目、１６行目を構成する１列目から６列目および４４列目から５３列目、１７行目を構成する１列目から５列目および４４列目から５３列目、１８行目を構成する１列目から３列目および４５列目から５３列目、１９行目を構成する１列目および４６列目から５３列目、２０行目を構成する４６列目から５３列目、２１行目を構成する４７行目から５３行目、２２行目を構成する１列目および４７行目から５３行目、２３行目を構成する１列目および４８列目から５３列目、２４行目を構成する１列目から２列目および４９列目から５３列目、２５行目を構成する１列目から２列目および４９列目から５３列目、２６行目を構成する１列目から３列目および５０列目から５３列目、２７行目を構成する１列目から４列目および５０列目から５３列目、２８行目を構成する１列目から４列目および５１列目から５３列目、２９行目を構成する１列目から５列目および５２列目から５３列目、３０行目を構成する１列目から５列目および５２列目から５３列目、３１行目を構成する１列目から６列目および５３列目、３２行目を構成する１列目から７列目および３５列目、３３行目を構成する１列目から７列目、３４行目を構成する１列目から８列目、３５行目を構成する１列目から８列目および５３列目、３６行目を構成する１列目から９列目および５１列目から５３列目、３７行目を構成する１列目から９列目および４９列目から５３列目、３８行目を構成する１列目から１０列目および４８列目から５３列目、３９行目を構成する１列目から１１列目および４６列目から５３列目、４０行目を構成する１列目から１１列目および４４列目から５３列目、４１行目を構成する１列目から１２列目および４３列目から５３列目、４２行目を構成する１列目から１２列目および４１列目から５３列目、４３行目を構成する１列目から１３列目および３９列目から５３列目、４４行目を構成する１列目から１４列目および３８列目から５���列目、４５行目を構成する１列目から１４列目および３６列目から５３列目、４６行目を構成する１列目から１５列目および３４列目から５３列目、４７行目を構成する１列目から１５行目および３２列目から５３列目、４８行目を構成する１列目から１６行目および３１列目から５３列目、４９行目を構成する１列目から１７列目および２９列目から５３列目、５０行目を構成する１列目から１７列目および２７列目から５３列目、５１行目を構成する１列目から１８列目および２６列目から５３列目、５２行目を構成する１列目から１８列目および２４列目から５３列目、５３行目を構成する１列目から１９列目および２２列目から５３列目、５４列目を構成する１列目から１９列目および２１列目から５３列目をそれぞれ切り欠いて構成された切欠パターンとして構成され、
当該切欠パターンの１行目を構成する３３列目から３４列目の画素が、それぞれ、４０３，３９９番目に点灯され、
当該切欠パターンの２行目を構成する３１列目から３５列目の画素が、それぞれ、４１１，４２７，４３５，４２３，３９５番目に点灯され、
当該切欠パターンの３行目を構成する２９列目から３５列目の画素が、それぞれ、３９１，４４５，４６３，４８１，４７５，４５７，４２９番目に点灯され、
当該切欠パターンの４行目を構成する２８列目から３６列目の画素が、それぞれ、４３７，４７７，４９５，５１７，５２３，５１５，４９１，４６７，４１５番目に点灯され、
当該切欠パターンの５行目を構成する２６列目から３６列目の画素が、それぞれ、４１９，４７１，５１１，５３１，５５１，５６３，５６５，５５５，５３５，５０７，４５５番目に点灯され、
当該切欠パターンの６行目を構成する２４列目から３７列目の画素が、それぞれ、４０７，４５３，５０５，５３９，５７１，５８７，５９９，６０７，６０３，５９５，５７５，５４７，４９９，４４３番目に点灯され、
当該切欠パターンの７行目を構成する２３列目から３８列目の画素が、それぞれ、４４７，４８９，５２９，５６１，５９１，６２１，６３１，６４１，６５５，６３９，６２７，６１５，５８３，５４３，４８７，４０５番目に点灯され、
当該切欠パターンの８行目を構成する２１列目から３８列目の画素が、それぞれ、４１７，４５９，５０１，５４５，５８１，６１１，６３７，６５９，６７１，６８３，６８７，６７９，６６３，６４３，６１９，５７９，５２７，４５１番目に点灯され、
当該切欠パターンの９行目を構成する１９列目から３９列目の画素が、それぞれ、３９７，４３１，４６９，５０９，５４９，５８５，１６２３，６５３，６６９，６９１，７０３，７１１，７１５，７０７，６９５，６７５，６４９，６０９，５５９，５０３，４２１番目に点灯され、
当該切欠パターンの１０行目を構成する１８列目から３９列目の画素が、それぞれ、４０１，４２５，４６１，４９３，５３７，５７７，６１７，６５１，６７７，７０１，７２１，７２７，７３７，７４３，７３１，７２３，６９９，６６７，６３５，５９３，５４１，４７３番目に点灯され、
当該切欠パターンの１１行目を構成する１６列目から４０列目の画素が、それぞれ、３７６，３８０，４０９，４４１，４８３，５１９，５５７，５９７，６２９，６６５，６９７，７２５，７３９，７４９，７５５，７５７，７５１，７３５，７１９，６９３，６６１，６２５，５７３，５１３，４３９番目に点灯され、
当該切欠パターンの１２行目を構成する１４列目から４１列目の画素が、それぞれ、３６８，３５２，３４４，３５６，３８４，４３３，４８５，５２５，５６９，６０５，６４７，６８１，７０９，７３３，７５３，７６５，７６９，７６７，７６３，７４７，７２９，７０５，６７３，６３３，５８９，５３３，４７９，３９３番目に点灯され、
当該切欠パターンの１３行目を構成する１２列目から４１列目の画素が、それぞれ、３８８，３３４，３１６，２９８，３０４，３２２，３５０，４１３，４６５，５２１，５６７，６１３，６５７，６８９，７１７，７４５，７６１，７７３，７７７，７７５，７７１，７５９，７４１，７１３，６８５，６４５，６０１，５５３，４９７，４４９番目に点灯され、
当該切欠パターンの１４行目を構成する１１列目から４２列目の画素が、それぞれ、３４２，３０２，２８４，２６２，２５６，２６４，２８８，３１２，３６４，４４４，４９６，５５２，６００，６４２，６８４，７１２，７３８，７５８，７７０，７７８，７７６，７６８，７５６，７４０，７１６，６８８，６５６，６０８，５６０，５１８，４６４，４０８番目に点灯され、
当該切欠パターンの１５行目を構成する９列目から４２列目の画素が、それぞれ、３６０，３０８，２６８，２４８，２２８，２１６，２１４，２２４，２４４，２７２，３２４，３９２，４８４，５３４，５８８，６３２，６７２，７０４，７２８，７５０，７６６，７７４，７７２，７６４，７５２，７３２，７０８，６８０，６４０，６０４，５６６，５２４，４７４，４２８番目に点灯され、
当該切欠パターンの１６行目を構成する７列目から４３列目の画素が、それぞれ、３７２，３２６，２７４，２４０，２０８，１９２，１８０，１７２，１７６，１８４，２０４，２３２，２８０，３３６，４４０，５１２，５７２，６２４，６６０，６９２，７２２，７４２，７５４，７６２，７６０，７４８，７３６，７２４，６９６，６６４，６２８，５９６，５５４，５１６，４７２，４３６，４０２番目に点灯され、
当該切欠パターンの１７行目を構成する６列目から４３列目の画素が、それぞれ、３３２，２９０，２５０，２１８，１８８，１５８，１４８，１３８，１２４，１４０，１５２，１６４，１９６，２３６，２９２，３７４，４７６，５４０，５９２，６３８，６７０，７０２，７２６，７３４，７４６，７４４，７３０，７２０，７００，６７６，６４４，６１６，５７６，５３２，４９２，４５２，４２０，４００番目に点灯され、
当該切欠パターンの１８行目を構成する４列目から４４列目の画素が、それぞれ、３６２，３２０，２７８，２３４，１９８，１６８，１４２，１２０，１０８，９６，９２，１００，１１６，１３６，１６０，２００，２５２，３２８，４２２，５０６，５６４，６１４，６５４，６７８，６９８，７１０，７１８，７１４，７０６，６９４，６６８，６５２，６２０，５８４，５４８，５０８，４６８，４３２，３９４，３７６，３８０番目に点灯され、
当該切欠パターンの１９行目を構成する２列目から４５列目の画素が、それぞれ、，３８２，３４８，３１０，２７０，２３０，１９４，１５６，１２６，１１０，８８，７６，６８，６４，７２，８４，１０４，１３０，１７０，２２０，２７６，３５８，４６０，５３０，５８２，６２２，６５０，６６６，６８２，６９０，６８６，６７４，６６２，６３６，６１２，５８０，５４４，５００，４５６，４１６，３６８，３５２，３４４，３５６，３８４番目に点灯され、
当該切欠パターンの２０行目を構成する１列目から４５列目の画素が、それぞれ、３７８，３５４，３１８，２８６，２４２，２０２，１６２，１２８，１０２，７８，５８，５２，４２，３６，４８，５６，８０，１１２，１４４，１８６，２３８，３０６，４１２，４９０，５４６，５８６，６１８，６３０，６４６，６５８，６４８，６３４，６２６，５９４，５６２，５２８，４８８，４４８，３８８，３３４，３１６，２９８，３０４，３２２，３５０番目に点灯され、
当該切欠パターンの２１行目を構成する１列目から４６列目の画素が、それぞれ、３７０，３３８，２９６，２６０，２２２，１８２，１５０，１１４，８２，５４，４０，３０，２４，２２，２８，４４，６０，８６，１１８，１５４，２０６，２６６，３４０，４５０，５０２，５５０，５７８，５９８，６０６，６１０，６０２，５９０，５７４，５４２，５０４，４５８，４１０，３４２，３０２，２８４，２６２，２５６，２６４，２８８，３１２，３６４番目に点灯され、
当該切欠パターンの２２行目を構成する２列目から４６列目の画素が、それぞれ、３４６，２９４，２５４，２１０，１７４，１３２，９８，７０，４６，２６，１４，１０，１２，１６，３２，５０，７４，１０６，１４６，１９０，２４６，３００，３８６，４６２，５１０，５３８，５５８，５７０，５６８，５５６，５３６，５１４，４７８，４２４，３６０，３０８，２６８，２４８，２２８，２１６，２１４，２２４，２４４，２７２，３２４番目に点灯され、
当該切欠パターンの２３行目を構成する２列目から４７列目の画素が、それぞれ、３６６，３１４，２５８，２１２，１６６，１２２，９０，６２，３４，１８，６，２，４，８，２０，３８，６６，９４，１３４，１７８，２２６，２８２，３３０，４１８，４７０，４９４，５２０，５２６，５２２，４９８，４８６，４４２，３７２，３２６，２７４，２４０，２０８，１９２，１８０，１７２，１７６，１８４，２０４，２３２，２８０，３３６番目に点灯され、
当該切欠パターンの２４行目を構成する３列目から４８列目の画素が、それぞれ、３３５，２８３，２２７，１７９，１３７，９５，６７，４１，２１，９，１，３，１１，２３，３９，６３，９１，１２３，１７１，２１９，２６１，３１５，３７１，４３４，４５４，４８０，４８２，４６６，４４６，３９６，３３２，２９０，２５０，２１８，１８８，１５８，１４８，１３８，１２４，１４０，１５２，１６４，１９６，２３６，２９２，３７４番目に点灯され、
当該切欠パターンの２５行目を構成する３列目から４８列目の画素が、それぞれ、３８７，２９５，２４５，１９１，１４７，１０７，７５，５１，２９，１３，５，７，１５，２７，４７，７１，９９，１３９，１７５，２１３，２５５，３０５，３５１，３９８，４２６，４３８，４３０，４１４，３６２，３２０，２７８，２３４，１９８，１６８，１４２，１２０，１０８，９６，９２，１００，１１６，１３６，１６０，２００，２５２，３２８番目に点灯され、
当該切欠パターンの２６行目を構成する４列目から４９列目の画素が、それぞれ、３３９，２６７，２０７，１５５，１１９，８７，５７，３７，２５，１７，１９，３１，４３，５５，８３，１１５，１５１，１８３，２２５，２６３，３０７，３４３，３７７，４０４，４０６，３８２，３４８，３１０，２７０，２３０，１９４，１５６，１２６，１１０，８８，７６，６８，６４，７２，８４，１０４，１３０，１７０，２２０，２７６，３５８番目に点灯され、
当該切欠パターンの２７行目を構成する５列目から４９列目の画素が、それぞれ、３０３，２３９，１８７，１４１，１０９，７７，５３，４５，３３，３５，４９，５９，７９，１０３，１３５，１６３，２０３，２４７，２８７，３２７，３５９，３７９，３９０，３７８，３５４，３１８，２８６，２４２，２０２，１６２，１２８，１０２，７８，５８，５２，４２，３６，４８，５６，８０，１１２，１４４，１８６，２３８，３０６番目に点灯され、
当該切欠パターンの２８行目を構成する５列目から５０列目の画素が、それぞれ、３５７，２７３，２１５，１６５，１２５，１０１，８１，６９，６１，６５，７３，８５，１１１，１２７，１５９，１９５，２３１，２７１，３１１，３４７，３８５，４０３，３９９，３７０，３３８，２９６，２６０，２２２，１８２，１５０，１１４，８２，５４，４０，３０，２４，２２，２８，４４，６０，８６，１１８，１５４，２０６，２６６，３４０番目に点灯され、
当該切欠パターンの２９行目を構成する６列目から５１列目の画素が、それぞれ、３１９，２４９，１９７，１５７，１２９，１１３，９７，８９，９３，１０５，１１７，１４３，１６７，１９９，２３５，２７９，３２３，３６３，４１１，４２７，４３５，４２３，３９５，３４６，２９４，２５４，２１０，１７４，１３２，９８，７０，４６，２６，１４，１０，１２，１６，３２，５０，７４，１０６，１４６，１９０，２４６，３００，３８６番目に点灯され、
当該切欠パターンの３０行目を構成する６列目から５１列目の画素が、それぞれ、３６７，２８９，２３３，１９３，１６１，１４９，１３３，１２１，１３１，１４５，１５３，１８５，２１７，２５１，２９１，３３１，３９１，４４５，４６３，４８１，４７５，４５７，４２９，３６６，３１４，２５８，２１２，１６６，１２２，９０，６２，３４，１８，６，２，４，８，２０，３８，６６，９４，１３４，１７８，２２６，２８２，３３０番目に点灯され、
当該切欠パターンの３１行目を構成する７列目から５２列目の画素が、それぞれ、３２９，２７７，２２９，２０１，１８１，１７３，１６９，１７７，１８９，２０５，２３７，２７５，３２１，３６９，４３７，４７７，４９５，５１７，５２３，５１５，４９１，４６７，４１５，３３５，２８３，２２７，１７９，１３７，９５，６７，４１，２１，９，１，３，１１，２３，３９，６３，９１，１２３，１７１，２１９，２６１，３１５，３７１，番目に点灯され、
当該切欠パターンの３２行目を構成する８列目から５２列目の画素が、それぞれ、３１７，２６９，２４１，２２１，２０９，２１１，２２３，２４３，２６５，３０１，３５５，４１９，４７１，５１１，５３１，５５１，５６３，５６５，５５５，５３５，５０７，４５５，３８７，２９５，２４５，１９１，１４７，１０７，７５，５１，２９，１３，５，７，１５，２７，４７，７１，９９，１３９，１７５，２１３，２５５，３０５，３５１番目に点灯され、
当該切欠パターンの３３行目を構成する８列目から５３列目の画素が、それぞれ、３６１，３０９，２８５，２５９，２５３，２５７，２８１，２９３，３３７，４０７，４５３，５０５，５３９，５７１，５８７，５９９，６０７，６０３，５９５，５７５，５４７，４９９，４４３，３３９，２６７，２０７，１５５，１１９，８７，５７，３７，２５，１７，１９，３１，４３，５５，８３，１１５，１５１，１８３，２２５，２６３，３０７，３４３，３７７番目に点灯され、
当該切欠パターンの３４行目を構成する９列目から５３列目の画素が、それぞれ、３４５，３２５，２９９，２９７，３１３，３３３，３８３，４４７，４８９，５２９，５６１，５９１，６２１，６３１，６４１，６５５，６３９，６２７，６１５，５８３，５４３，４８７，４０５，３０３，２３９，１８７，１４１，１０９，７７，５３，４５，３３，３５，４９，５９，７９，１０３，１３５，１６３，２０３，２４７，２８７，３２７，３５９，３７９番目に点灯され、
当該切欠パターンの３５行目を構成する９列目から５２列目の画素が、それぞれ、３８１，３５３，３４１，３４９，３６５，４１７，４５９，５０１，５４５，５８１，６１１，６３７，６５９，６７１，６８３，６８７，６７９，６６３，６４３，６１９，５７９，５２７，４５１，３５７，２７３，２１５，１６５，１２５，１０１，８１，６９，６１，６５，７３，８５，１１１，１２７，１５９，１９５，２３１，２７１，３１１，３４７，３８５番目に点灯され、
当該切欠パターンの３６行目を構成する１０列目から５０列目の画素が、それぞれ、３７５，３７３，３９７，４３１，４６９，５０９，５４９，５８５，６２３，６５３，６６９，６９１，７０３，７１１，７１５，７０７，６９５，６７５，６４９，６０９，５５９，５０３，４２１，３１９，２４９，１９７，１５７，１２９，１１３，９７，８９，９３，１０５，１１７，１４３，１６７，１９９，２３５，２７９，３２３，３６３番目に点灯され、
当該切欠パターンの３７行目を構成する１０列目から４８列目の画素が、それぞれ、３８９，４０１，４２５，４６１，４９３，５３７，５７７，６１７，６５１，６７７，７０１，７２１，７２７，７３７，７４３，７３１，７２３，６９９，６６７，６３５，５９３，５４１，４７３，３６７，２８９，２３３，１９３，１６１，１４９，１３３，１２１，１３１，１４５，１５３，１８５，２１７，２５１，２９１，３３１番目に点灯され、
当該切欠パターンの３８行目を構成する１１列目から４７列目の画素が、それぞれ、４０９，４４１，４８３，５１９，５５７，５９７，６２９，６６５，６９７，７２５，７３９，７４９，７５５，７５７，７５１，７３５，７１９，６９３，６６１，６２５，５７３，５１３，４３９，３２９，２７７，２２９，２０１，１８１，１７３，１６９，１７７，１８９，２０５，２３７，２７５，３２１，３６９番目に点灯され、
当該切欠パターンの３９行目を構成する１２列目から４５列目の画素が、それぞれ、４３３，４８５，５２５，５６９，６０５，６４７，６８１，７０９，７３３，７５３，７６５，７６９，７６７，７６３，７４７，７２９，７０５，６７３，６３３，５８９，５３３，４７９，３９３，３１７，２６９，２４１，２２１，２０９，２１１，２２３，２４３，２６５，３０１，３５５番目に点灯され、
当該切欠パターンの４０行目を構成する１２列目から４３列目の画素が、それぞれ、４１３，４６５，５２１，５６７，６１３，６５７，６８９，７１７，７４５，７６１，７７３，７７７，７７５，７７１，７５９，７４１，７１３，６８５，６４５，６０１，５５３，４９７，４４９，３６１，３０９，２８５，２５９，２５３，２５７，２８１，２９３，３３７番目に点灯され、
当該切欠パターンの４１行目を構成する１３列目から４２列目の画素が、それぞれ、４４４，４９６，５５２，６００，６４２，６８４，７１２，７３８，７５８，７７０，７７８，７７６，７６８，７５６，７４０，７１６，６８８，６５６，６０８，５６０，５１８，４６４，４０８，３４５，３２５，２９９，２９７，３１３，３３３，３８３番目に点灯され、
当該切欠パターンの４２行目を構成する１３列目から４０列目の画素が、それぞれ、３９２，４８４，５３４，５８８，６３２，６７２，７０４，７２８，７５０，７６６，７７４，７７２，７６４，７５２，７３２，７０８，６８０，６４０，６０４，５６６，５２４，４７４，４２８，３８１，３５３，３４１，３４９，３６５番目に点灯され、
当該切欠パターンの４３行目を構成する１４列目から３８列目の画素が、それぞれ、４４０，５１２，５７２，６２４，６６０，６９２，７２２，７４２，７５４，７６２，７６０，７４８，７３６，７２４，６９６，６６４，６２８，５９６，５５４，５１６，４７２，４３６，４０２，３７５，３７３番目に点灯され、
当該切欠パターンの４４行目を構成する１５列目から３７列目の画素が、それぞれ、４７６，５４０，５９２，６３８，６７０，７０２，７２６，７３４，７４６，７４４，７３０，７２０，７００，６７６，６４４，６１６，５７６，５３２，４９２，４５２，４２０，４００，３８９番目に点灯され、
当該切欠パターンの４５行目を構成する１５列目から３５列目の画素が、それぞれ、４２２，５０６，５６４，６１４，６５４，６７８，６９８，７１０，７１８，７１４，７０６，６９４，６６８，６５２，６２０，５８４，５４８，５０８，４６８，４３２，３９４番目に点灯され、
当該切欠パターンの４６行目を構成する１６列目から３３列目の画素が、それぞれ、４６０，５３０，５８２，６２２，６５０，６６６，６８２，６９０，６８６，６７４，６６２，６３６，６１２，５８０，５４４，５００，４５６，４１６番目に点灯され、
当該切欠パターンの４７行目を構成する１６列目から３１列目の画素が、それぞれ、４１２，４９０，５４６，５８６，６１８，６３０，６４６，６５８，６４８，６３４，６２６，５９４，５６２，５２８，４８８，４４８番目に点灯され、
当該切欠パターンの４８行目を構成する１７列目から３０列目の画素が、それぞれ、４５０，５０２，５５０，５７８，５９８，６０６，６１０，６０２，５９０，５７４，５４２，５０４，４５８，４１０番目に点灯され、
当該切欠パターンの４９行目を構成する１８列目から２８列目の画素が、それぞれ、４６２，５１０，５３８，５５８，５７０，５６８，５５６，５３６，５１４，４７８，４２４番目に点灯され、
当該切欠パターンの５０行目を構成する１８列目から２６列目の画素が、それぞれ、４１８，４７０，４９４，５２０，５２６，５２２，４９８，４８６，４４２番目に点灯され、
当該切欠パターンの５１行目を構成する１９列目から２５列目の画素が、それぞれ、４３４，４５４，４８０，４８２，４６６，４４６，３９６番目に点灯され、
当該切欠パターンの５２行目を構成する１９列目から２３列目の画素が、それぞれ、３９８，４２６，４３８，４３０，４１４番目に点灯され、
当該切欠パターンの５３行目を構成する２０列目から２１列目の画素が、それぞれ、４０４，４０６番目に点灯され、
当該切欠パターンの５４行目を構成する２０列目の画素が、３９０番目に点灯されるように、該１５５６個の画素の点灯順序が設定されることを特徴とする、請求項１記載の印刷方法。
【請求項３】
該２値化ディザマトリクスパターンが、５４行×５３列のマトリクス状に配列される２８６２個の画素によって構成された矩形パターンのうち、当該矩形パターンの１行目を構成する１列目から３２列目および３５列目から５３列目、２行目を構成する１列目から３０行目および３６列目から５３列目、３行目を構成する１列目から２８列目および３６列目から５３列目、４行目を構成する１列目から２７列目および３７列目から５３列目、５行目を構成する１列目から２５列目および３７列目から５６列目、６行目を構成する１列目から２３列目および３８列目から５３列目、７行目を構成する１列目から２２列目および３９列目から５３列目、８行目を構成する１列目から２０列目および３９列目から５３列目、９行目を構成する１列目から１８列目および４０列目から５３列目、１０行目を構成する１列目から１７列目および４０列目から５３列目、１１行目を構成する１列目から１５列目および４１列目から５３列目、１２行目を構成する１列目から１３列目および４２列目から５３列目、１３行目を構成する１列目から１１列目および４２列目から５３列目、１４行目を構成する１列目から１０列目および４３列目から５３列目、１５行目を構成する１列目から８列目および４３列目から５３列目、１６行目を構成する１列目から６列目および４４列目から５３列目、１７行目を構成する１列目から５列目および４４列目から５３列目、１８行目を構成する１列目から３列目および４５列目から５３列目、１９行目を構成する１列目および４６列目から５３列目、２０行目を構成する４６列目から５３列目、２１行目を構成する４７行目から５３行目、２２行目を構成する１列目および４７行目から５３行目、２３行目を構成する１列目および４８列目から５３列目、２４行目を構成する１列目から２列目および４９列目から５３列目、２５行目を構成する１列目から２列目および４９列目から５３列目、２６行目を構成する１列目から３列目および５０列目から５３列目、２７行目を構成する１列目から４列目および５０列目から５３列目、２８行目を構成する１列目から４列目および５１列目から５３列目、２９行目を構成する１列目から５列目および５２列目から５３列目、３０行目を構成する１列目から５列目および５２列目から５３列目、３１行目を構成する１列目から６列目および５３列目、３２行目を構成する１列目から７列目および３５列目、３３行目を構成する１列目から７列目、３４行目を構成する１列目から８列目、３５行目を構成する１列目から８列目および５３列目、３６行目を構成する１列目から９列目および５１列目から５３列目、３７行目を構成する１列目から９列目および４９列目から５３列目、３８行目を構成する１列目から１０列目および４８列目から５３列目、３９行目を構成する１列目から１１列目および４６列目から５３列目、４０行目を構成する１列目から１１列目および４４列目から５３列目、４１行目を構成する１列目から１２列目および４３列目から５３列目、４２行目を構成する１列目から１２列目および４１列目から５３列目、４３行目を構成する１列目から１３列目および３９列目から５３列目、４４行目を構成する１列目から１４列目および３８列目から５���列目、４５行目を構成する１列目から１４列目および３６列目から５３列目、４６行目を構成する１列目から１５列目および３４列目から５３列目、４７行目を構成する１列目から１５行目および３２列目から５３列目、４８行目を構成する１列目から１６行目および３１列目から５３列目、４９行目を構成する１列目から１７列目および２９列目から５３列目、５０行目を構成する１列目から１７列目および２７列目から５３列目、５１行目を構成する１列目から１８列目および２６列目から５３列目、５２行目を構成する１列目から１８列目および２４列目から５３列目、５３行目を構成する１列目から１９列目および２２列目から５３列目、５４列目を構成する１列目から１９列目および２１列目から５３列目をそれぞれ切り欠いて構成された切欠パターンとして構成され、
当該切欠パターンの１行目を構成する３３列目から３４列目の画素が、それぞれ、８０５，７９７番目に点灯され、
当該切欠パターンの２行目を構成する３１列目から３５列目の画素が、それぞれ、８２１，８５３，８６９，８４５，７８９番目に点灯され、
当該切欠パターンの３行目を構成する２９列目から３５列目の画素が、それぞれ、７８１，８８９，９２５，９６１，９４９，９１３，８５７番目に点灯され、
当該切欠パターンの４行目を構成する２８列目から３６列目の画素が、それぞれ、８７３，９５３，９８９，１０３３，１０４５，１０２９，９８１，９３３，８２９番目に点灯され、
当該切欠パターンの５行目を構成する２６列目から３６列目の画素が、それぞれ、８３７，９４１，１０２１，１０６１，１１０１，１１２５，１１２９，１１０９，１０６９，１０１３，９０９番目に点灯され、
当該切欠パターンの６行目を構成する２４列目から３７列目の画素が、それぞれ、８１３，９０５，１００９，１０７７，１１４１，１１７３，１１９７，１２１３，１２０５，１１８９，１１４９，１０９３，９９７，８８５番目に点灯され、
当該切欠パターンの７行目を構成する２３列目から３８列目の画素が、それぞれ、８９３，９７７，１０５７，１１２１，１１８１，１２４１，１２６１，１２８１，１３０９，１２７７，１２５３，１２２９，１１６５，１０８５，９７３，８０９番目に点灯され、
当該切欠パターンの８行目を構成する２１列目から３８列目の画素が、それぞれ、８３３，９１７，１００１，１０８９，１１６１，１２２１，１２７３，１３１７，１３４１，１３６５，１３７３，１３５７，１３２５，１２８５，１２３７，１１５７，１０５３，９０１番目に点灯され、
当該切欠パターンの９行目を構成する１９列目から３９列目の画素が、それぞれ、７９３，８６１，９３７，１０１７，１０９７，１１６９，１２４５，１３０５，１３３７，１３８１，１４０５，１４２１，１４２９，１４１３，１３８９，１３４９，１２９７，１２１７，１１１７，１００５，８４１番目に点灯され、
当該切欠パターンの１０行目を構成する１８列目から３９列目の画素が、それぞれ、８０１，８４９，９２１，９８５，１０７３，１１５３，１２３３，１３０１，１３５３，１４０１，１４４１，１４５３，１４７３，１４８５，１４６１，１４４５，１３９７，１３３３，１２６９，１１８５，１０８１，９４５番目に点灯され、
当該切欠パターンの１１行目を構成する１６列目から４０列目の画素が、それぞれ、７５１，７５９，８１７，８８１，９６５，１０３７，１１１３，１１９３，１２５７，１３２９，１３９３，１４４９，１４７７，１４９７，１５０９，１５１３，１５０１，１４６９，１４３７，１３８５，１３２１，１２４９，１１４５，１０２５，８７７番目に点灯され、
当該切欠パターンの１２行目を構成する１４列目から４１列目の画素が、それぞれ、７３５，７０３，６８７，７１１，７６７，８６５，９６９，１０４９，１１３７，１２０９，１２９３，１３６１，１４１７，１４６５，１５０５，１５２９，１５３７，１５３３，１５２５，１４９３，１４５７，１４０９，１３４５，１２６５，１１７７，１０６５，９５７，７８５番目に点灯され、
当該切欠パターンの１３行目を構成する１２列目から４１列目の画素が、それぞれ、７７５，６６７，６３１，５９５，６０７，６４３，６９９，８２５，９２９，１０４１，１１３３，１２２５，１３１３，１３７７，１４３３，１４８９，１５２１，１５４５，１５５３，１５４９，１５４１，１５１７，１４８１，１４２５，１３６９，１２８９，１２０１，１１０５，９９３，８９７番目に点灯され、
当該切欠パターンの１４行目を構成する１１列目から４２列目の画素が、それぞれ、６８３，６０３，５６７，５２３，５１１，５２７，５７５，６２３，７２７，８８７，９９１，１１０３，１１９９，１２８３，１３６７，１４２３，１４７５，１５１５，１５３９，１５５５，１５５１，１５３５，１５１１，１４７９，１４３１，１３７５，１３１１，１２１５，１１１９，１０３５，９２７，８１５番目に点灯され、
当該切欠パターンの１５行目を構成する９列目から４２列目の画素が、それぞれ、７１９，６１５，５３５，４９５，４５５，４３１，４２７，４４７，４８７，５４３，６４７，７８３，９６７，１０６７，１１７５，１２６３，１３４３，１４０７，１４５５，１４９９，１５３１，１５４７，１５４３，１５２７，１５０３，１４６３，１４１５，１３５９，１２７９，１２０７，１１３１，１０４７，９４７，８５５番目に点灯され、
当該切欠パターンの１６行目を構成する７列目から４３列目の画素が、それぞれ、７４３，６５１，５４７，４７９，４１５，３８３，３５９，３４３，３５１，３６７，４０７，４６３，５５９，６７１，８７９，１０２３，１１４３，１２４７，１３１９，１３８３，１４４３，１４８３，１５０７，１５２３，１５１９，１４９５，１４７１，１４４７，１３９１，１３２７，１２５５，１１９１，１１０７，１０３１，９４３，８７１，８０３番目に点灯され、
当該切欠パターンの１７行目を構成する６列目から４３列目の画素が、それぞれ、６６３，５７９，４９９，４３５，３７５，３１５，２９５，２７５，２４７，２７９，３０３，３２７，３９１，４７１，５８３，７４７，９５１，１０７９，１１８３，１２７５，１３３９，１４０３，１４５１，１４６７，１４９１，１４８７，１４５９，１４３９，１３９９，１３５１，１２８７，１２３１，１１５１，１０６３，９８３，９０３，８３９，７９９番目に点灯され、
当該切欠パターンの１８行目を構成する４列目から４４列目の画素が、それぞれ、７２３，６３９，５５５，４６７，３９５，３３５，２８３，２３９，２１５，１９１，１８３，１９９，２３１，２７１，３１９，３９９，５０３，６５５，８４３，１０１１，１１２７，１２２７，１３０７，１３５５，１３９５，１４１９，１４３５，１４２７，１４１１，１３８７，１３３５，１３０３，１２３９，１１６７，１０９５，１０１５，９３５，８６３，７８７，７５２，７６０番目に点灯され、
当該切欠パターンの１９行目を構成する２列目から４５列目の画素が、それぞれ、７６３，６９５，６１９，５３９，４５９，３８７，３１１，２５１，２１９，１７５，１５１，１３５，１２７，１４３，１６７，２０７，２５９，３３９，４３９，５５１，７１５，９１９，１０５９，１１６３，１２４３，１２９９，１３３１，１３６３，１３７９，１３７１，１３４７，１３２３，１２７１，１２２３，１１５９，１０８７，９９９，９１１，８３１，７３６，７０４，６８８，７１２，７６８番目に点灯され、
当該切欠パターンの２０行目を構成する１列目から４５列目の画素が、それぞれ、７５５，７０７，６３５，５７１，４８３，４０３，３２３，２５５，２０３，１５５，１１５，１０３，８３，７１，９５，１１１，１５９，２２３，２８７，３７１，４７５，６１１，８２３，９７９，１０９１，１１７１，１２３５，１２５９，１２９１，１３１５，１２９５，１２６７，１２５１，１１８７，１１２３，１０５５，９７５，８９５，７７６，６６８，６３２，５９６，６０８，６４４，７００番目に点灯され、
当該切欠パターンの２１行目を構成する１列目から４６列目の画素が、それぞれ、７３９，６７５，５９１，５１９，４４３，３６３，２９９，２２７，１６３，１０７，７９，５９，４７，４３，５５，８７，１１９，１７１，２３５，３０７，４１１，５３１，６７９，８９９，１００３，１０９９，１１５５，１１９５，１２１１，１２１９，１２０３，１１７９，１１４７，１０８３，１００７，９１５，８１９，６８４，６０４，５６８，５２４，５１２，５２８，５７６，６２４，７２８番目に点灯され、
当該切欠パターンの２２行目を構成する２列目から４６列目の画素が、それぞれ、６９１，５８７，５０７，４１９，３４７，２６３，１９５，１３９，９１，５１，２７，１９，２３，３１，６３，９９，１４７，２１１，２９１，３７９，４９１，５９９，７７１，９２３，１０１９，１０７５，１１１５，１１３９，１１３５，１１１１，１０７１，１０２７，９５５，８４７，７２０，６１６，５３６，４９６，４５６，４３２，４２８，４４８，４８８，５４４，６４８番目に点灯され、
当該切欠パターンの２３行目を構成する２列目から４７列目の画素が、それぞれ、７３１，６２７，５１５，４２３，３３１，２４３，１７９，１２３，６７，３５，１１，３，７，１５，３９，７５，１３１，１８７，２６７，３５５，４５１，５６３，６５９，８３５，９３９，９８７，１０３９，１０５１，１０４３，９９５，９７１，８８３，７４４，６５２，５４８，４８０，４１６，３８４，３６０，３４４，３５２，３６８，４０８，４６４，５６０，６７２番目に点灯され、
当該切欠パターンの２４行目を構成する３列目から４８列目の画素が、それぞれ、６６９，５６５，４５３，３５７，２７３，１８９，１３３，８１，４１，１７，１，５，２１，４５，７７，１２５，１８１，２４５，３４１，４３７，５２１，６２９，７４１，８６７，９０７，９５９，９６３，９３１，８９１，７９１，６６４，５８０，５００，４３６，３７６，３１６，２９６，２７６，２４８，２８０，３０４，３２８，３９２，４７２，５８４，７４８番目に点灯され、
当該切欠パターンの２５行目を構成する３列目から４８列目の画素が、それぞれ、７７３，５８９，４８９，３８１，２９３，２１３，１４９，１０１，５７，２５，９，１３，２９，５３，９３，１４１，１９７，２７７，３４９，４２５，５０９，６０９，７０１，７９５，８５１，８７５，８５９，８２７，７２４，６４０，５５６，４６８，３９６，３３６，２８４，２４０，２１６，１９２，１８４，２００，２３２，２７２，３２０，４００，５０４，６５６番目に点灯され、
当該切欠パターンの２６行目を構成する４列目から４９列目の画素が、それぞれ、６７７，５３３，４１３，３０９，２３７，１７３，１１３，７３，４９，３３，３７，６１，８５，１０９，１６５，２２９，３０１，３６５，４４９，５２５，６１３，６８５，７５３，８０７，８１１，７６４，６９６，６２０，５４０，４６０，３８８，３１２，２５２，２２０，１７６，１５２，１３６，１２８，１４４，１６８，２０８，２６０，３４０，４４０，５５２，７１６番目に点灯され、
当該切欠パターンの２７行目を構成する５列目から４９列目の画素が、それぞれ、６０５，４７７，３７３，２８１，２１７，１５３，１０５，８９，６５，６９，９７，１１７，１５７，２０５，２６９，３２５，４０５，４９３，５７３，６５３，７１７，７５７，７７９，７５６，７０８，６３６，５７２，４８４，４０４，３２４，２５６，２０４，１５６，１１６，１０４，８４，７２，９６，１１２，１６０，２２４，２８８，３７２，４７６，６１２番目に点灯され、
当該切欠パターンの２８行目を構成する５列目から５０列目の画素が、それぞれ、７１３，５４５，４２９，３２９，２４９，２０１，１６１，１３７，１２１，１２９，１４５，１６９，２２１，２５３，３１７，３８９，４６１，５４１，６２１，６９３，７６９，８０６，７９８，７４０，６７６，５９２，５２０，４４４，３６４，３００，２２８，１６４，１０８，８０，６０，４８，４４，５６，８８，１２０，１７２，２３６，３０８，４１２，５３２，６８０番目に点灯され、
当該切欠パターンの２９行目を構成する６列目から５１列目の画素が、それぞれ、６３７，４９７，３９３，３１３，２５７，２２５，１９３，１７７，１８５，２０９，２３３，２８５，３３３，３９７，４６９，５５７，６４５，７２５，８２２，８５４，８７０，８４６，７９０，６９２，５８８，５０８，４２０，３４８，２６４，１９６，１４０，９２，５２，２８，２０，２４，３２，６４，１００，１４８，２１２，２９２，３８０，４９２，６００，７７２番目に点灯され、
当該切欠パターンの３０行目を構成する６列目から５１列目の画素が、それぞれ、７３３，５７７，４６５，３８５，３２１，２９７，２６５，２４１，２６１，２８９，３０５，３６９，４３３，５０１，５８１，６６１，７８２，８９０，９２６，９６２，９５０，９１４，８５８，７３２，６２８，５１６，４２４，３３２，２４４，１８０，１２４，６８，３６，１２，４，８，１６，４０，７６，１３２，１８８，２６８，３５６，４５２，５６４，６６０番目に点灯され、
当該切欠パターンの３１行目を構成する７列目から５２列目の画素が、それぞれ、６５７，５５３，４５７，４０１，３６１，３４５，３３７，３５３，３７７，４０９，４７３，５４９，６４１，７３７，８７４，９５４，９９０，１０３４，１０４６，１０３０，９８２，９３４，８３０，６７０，５６６，４５４，３５８，２７４，１９０，１３４，８２，４２，１８，２，６，２２，４６，７８，１２６，１８２，２４６，３４２，４３８，５２２，６３０，７４２番目に点灯され、
当該切欠パターンの３２行目を構成する８列目から５２列目の画素が、それぞれ、６３３，５３７，４８１，４４１，４１７，４２１，４４５，４８５，５２９，６０１，７０９，８３８，９４２，１０２２，１０６２，１１０２，１１２６，１１３０，１１１０，１０７０，１０１４，９１０，７７４，５９０，４９０，３８２，２９４，２１４，１５０，１０２，５８，２６，１０，１４，３０，５４，９４，１４２，１９８，２７８，３５０，４２６，５１０，６１０，７０２番目に点灯され、
当該切欠パターンの３３行目を構成する８列目から５３列目の画素が、それぞれ、７２１，６１７，５６９，５１７，５０５，５１３，５６１，５８５，６７３，８１４，９０６，１０１０，１０７８，１１４２，１１７４，１１９８，１２１４，１２０６，１１９０，１１５０，１０９４，９９８，８８６，６７８，５３４，４１４，３１０，２３８，１７４，１１４，７４，５０，３４，３８，６２，８６，１１０，１６６，２３０，３０２，３６６，４５０，５２６，６１４，６８６，７５４番目に点灯され、
当該切欠パターンの３４行目を構成する９列目から５３列目の画素が、それぞれ、６８９，６４９，５９７，５９３，６２５，６６５，７６５，８９４，９７８，１０５８，１１２２，１１８２，１２４２，１２６２，１２８２，１３１０，１２７８，１２５４，１２３０，１１６６，１０８６，９７４，８１０，６０６，４７８，３７４，２８２，２１８，１５４，１０６，９０，６６，７０，９８，１１８，１５８，２０６，２７０，３２６，４０６，４９４，５７４，６５４，７１８，７５８番目に点灯され、
当該切欠パターンの３５行目を構成する９列目から５２列目の画素が、それぞれ、７６１，７０５，６８１，６９７，７２９，８３４，９１８，１００２，１０９０，１１６２，１２２２，１２７４，１３１８，１３４２，１３６６，１３７４，１３５８，１３２６，１２８６，１２３８，１１５８，１０５４，９０２，７１４，５４６，４３０，３３０，２５０，２０２，１６２，１３８，１２２，１３０，１４６，１７０，２２２，２５４，３１８，３９０，４６２，５４２，６２２，６９４，７７０番目に点灯され、
当該切欠パターンの３６行目を構成する１０列目から５０列目の画素が、それぞれ、７４９，７４５，７９４，８６２，９３８，１０１８，１０９８，１１７０，１２４６，１３０６，１３３８，１３８２，１４０６，１４２２，１４３０，１４１４，１３９０，１３５０，１２９８，１２１８，１１１８，１００６，８４２，６３８，４９８，３９４，３１４，２５８，２２６，１９４，１７８，１８６，２１０，２３４，２８６，３３４，３９８，４７０，５５８，６４６，７２６番目に点灯され、
当該切欠パターンの３７行目を構成する１０列目から４８列目の画素が、それぞれ、７７７，８０２，８５０，９２２，９８６，１０７４，１１５４，１２３４，１３０２，１３５４，１４０２，１４４２，１４５４，１４７４，１４８６，１４６２，１４４６，１３９８，１３３４，１２７０，１１８６，１０８２，９４６，７３４，５７８，４６６，３８６，３２２，２９８，２６６，２４２，２６２，２９０，３０６，３７０，４３４，５０２，５８２，６６２番目に点灯され、
当該切欠パターンの３８行目を構成する１１列目から４７列目の画素が、それぞれ、８１８，８８２，９６６，１０３８，１１１４，１１９４，１２５８，１３３０，１３９４，１４５０，１４７８，１４９８，１５１０，１５１４，１５０２，１４７０，１４３８，１３８６，１３２２，１２５０，１１４６，１０２６，８７８，６５８，５５４，４５８，４０２，３６２，３４６，３３８，３５４，３７８，４１０，４７４，５５０，６４２，７３８番目に点灯され、
当該切欠パターンの３９行目を構成する１２列目から４５列目の画素が、それぞれ、８６６，９７０，１０５０，１１３８，１２１０，１２９４，１３６２，１４１８，１４６６，１５０６，１５３０，１５３８，１５３４，１５２６，１４９４，１４５８，１４１０，１３４６，１２６６，１１７８，１０６６，９５８，７８６，６３４，５３８，４８２，４４２，４１８，４２２，４４６，４８６，５３０，６０２，７１０番目に点灯され、
当該切欠パターンの４０行目を構成する１２列目から４３列目の画素が、それぞれ、８２６，９３０，１０４２，１１３４，１２２６，１３１４，１３７８，１４３４，１４９０，１５２２，１５４６，１５５４，１５５０，１５４２，１５１８，１４８２，１４２６，１３７０，１２９０，１２０２，１１０６，９９４，８９８，７２２，６１８，５７０，５１８，５０６，５１４，５６２，５８６，６７４番目に点灯され、
当該切欠パターンの４１行目を構成する１３列目から４２列目の画素が、それぞれ、８８８，９９２，１１０４，１２００，１２８４，１３６８，１４２４，１４７６，１５１６，１５４０，１５５６，１５５２，１５３６，１５１２，１４８０，１４３２，１３７６，１３１２，１２１６，１１２０，１０３６，９２８，８１６，６９０，６５０，５９８，５９４，６２６，６６６，７６６番目に点灯され、
当該切欠パターンの４２行目を構成する１３列目から４０列目の画素が、それぞれ、７８４，９６８，１０６８，１１７６，１２６４，１３４４，１４０８，１４５６，１５００，１５３２，１５４８，１５４４，１５２８，１５０４，１４６４，１４１６，１３６０，１２８０，１２０８，１１３２，１０４８，９４８，８５６，７６２，７０６，６８２，６９８，７３０番目に点灯され、
当該切欠パターンの４３行目を構成する１４列目から３８列目の画素が、それぞれ、８８０，１０２４，１１４４，１２４８，１３２０，１３８４，１４４４，１４８４，１５０８，１５２４，１５２０，１４９６，１４７２，１４４８，１３９２，１３２８，１２５６，１１９２，１１０８，１０３２，９４４，８７２，８０４，７５０，７４６番目に点灯され、
当該切欠パターンの４４行目を構成する１５列目から３７列目の画素が、それぞれ、９５２，１０８０，１１８４，１２７６，１３４０，１４０４，１４５２，１４６８，１４９２，１４８８，１４６０，１４４０，１４００，１３５２，１２８８，１２３２，１１５２，１０６４，９８４，９０４，８４０，８００，７７８番目に点灯され、
当該切欠パターンの４５行目を構成する１５列目から３５列目の画素が、それぞれ、８４４，１０１２，１１２８，１２２８，１３０８，１３５６，１３９６，１４２０，１４３６，１４２８，１４１２，１３８８，１３３６，１３０４，１２４０，１１６８，１０９６，１０１６，９３６，８６４，７８８番目に点灯され、
当該切欠パターンの４６行目を構成する１６列目から３３列目の画素が、それぞれ、９２０，１０６０，１１６４，１２４４，１３００，１３３２，１３６４，１３８０，１３７２，１３４８，１３２４，１２７２，１２２４，１１６０，１０８８，１０００，９１２，８３２番目に点灯され、
当該切欠パターンの４７行目を構成する１６列目から３１列目の画素が、それぞれ、８２４，９８０，１０９２，１１７２，１２３６，１２６０，１２９２，１３１６，１２９６，１２６８，１２５２，１１８８，１１２４，１０５６，９７６，８９６番目に点灯され、
当該切欠パターンの４８行目を構成する１７列目から３０列目の画素が、それぞれ、９００，１００４，１１００，１１５６，１１９６，１２１２，１２２０，１２０４，１１８０，１１４８，１０８４，１００８，９１６，８２０番目に点灯され、
当該切欠パターンの４９行目を構成する１８列目から２８列目の画素が、それぞれ、９２４，１０２０，１０７６，１１１６，１１４０，１１３６，１１１２，１０７２，１０２８，９５６，８４８番目に点灯され、
当該切欠パターンの５０行目を構成する１８列目から２６列目の画素が、それぞれ、８３６，９４０，９８８，１０４０，１０５２，１０４４，９９６，９７２，８８４番目に点灯され、
当該切欠パターンの５１行目を構成する１９列目から２５列目の画素が、それぞれ、８６８，９０８，９６０，９６４，９３２，８９２，７９２番目に点灯され、
当該切欠パターンの５２行目を構成する１９列目から２３列目の画素が、それぞれ、７９６，８５２，８７６，８６０，８２８番目に点灯され、
当該切欠パターンの５３行目を構成する２０列目から２１列目の画素が、それぞれ、８０８，８１２番目に点灯され、
当該切欠パターンの５４行目を構成する２０列目の画素が、７８０番目に点灯されるように、該１５５６個の画素の点灯順序が設定されることを特徴とする、請求項１記載の印刷方法。
【請求項４】
該２値化ディザマトリクスパターンが、当該２値化ディザマトリクスパターンにおける任意の画素に設定された点灯順序と、当該画素が属する網点ドットに関する特定点を基準として当該画素に対して点対称の位置にある画素に設定された点灯順序とを入れ替えて構成されたことを特徴とする、請求項２又は請求項３記載の印刷方法。
【請求項５】
ルックアップテーブルに基づいて画像形成順序を変更する画像形成順序変更ステップをそなえ、
該画像形成ステップにおいて、該画像形成順序変更ステップにおいて変更された画像形成順序に基づいて該画像を形成することを特徴とする、請求項１〜請求項４のいずれか１項に記載の印刷方法。
【請求項６】
２値化ディザマトリクスパターンに基づいて、多値画像の２値化を行なう２値化処理部と、
該２値化処理部によって行なわれた２値化結果に基づいて、媒体上に画像を形成する画像形成部を有する印刷装置とをそなえ、
該２値化ディザマトリクスパターンが、
順次点灯される複数の画素をマトリクス状に配列して構成され、
当該２値化ディザマトリクスパターンのほぼ図心位置に関して点対称の位置に複数の特定点をそなえ、当該特定点に近い該画素から順に、点灯画素に隣接する該画素を優先的に点灯させることによって、それぞれ連続的な網点ドットを生成し、
当該２値化ディザマトリクスパターンを構成するほぼ半数の画素まで順番に点灯させた際に、当該２値化ディザマトリクスパターンにおいて該点灯画素と非点灯画素とが市松模様を形成するものであることを特徴とする、印刷システム。
【請求項７】
多値画像を展開する記憶領域と、
該記憶領域に展開された多値画像を、２値化ディザマトリクスパターンを用いて２値化し、その２値化結果に基づいて画像を形成する画像形成部とをそなえ、
該２値化ディザマトリクスパターンが、
順次点灯される複数の画素をマトリクス状に配列して構成され、
当該２値化ディザマトリクスパターンのほぼ図心位置に関して点対称の位置に複数の特定点をそなえ、当該特定点に近い該画素から順に、点灯画素に隣接する該画素を優先的に点灯させることによって、それぞれ連続的な網点ドットを生成し、
当該２値化ディザマトリクスパターンを構成するほぼ半数の画素まで順番に点灯させた際に、当該２値化ディザマトリクスパターンにおいて該点灯画素と非点灯画素とが市松模様を形成するものであることを特徴とする、印刷装置。
【請求項８】
多値画像の２値化に用いられる２値化ディザマトリクスパターンであって、
順次点灯される複数の画素をマトリクス状に配列して構成され、
当該２値化ディザマトリクスパターンのほぼ図心位置に関して点対称の位置に複数の特定点をそなえ、当該特定点に近い該画素から順に、点灯画素に隣接する該画素を優先的に点灯させることによって、それぞれ連続的な網点ドットを生成し、
当該２値化ディザマトリクスパターンを構成するほぼ半数の画素まで順番に点灯させた際に、当該２値化ディザマトリクスパターンにおいて該点灯画素と非点灯画素とが市松模様を形成することを特徴とする、２値化ディザマトリクスパターン。
【請求項９】
多値画像を２値化して媒体上に画像を形成する印刷機能をコンピュータに実行させるための印刷プログラムであって、
順次点灯される複数の画素をマトリクス状に配列して構成された２値化ディザマトリクスパターンであって、当該２値化ディザマトリクスパターンのほぼ図心位置に関して点対称の位置に複数の特定点をそなえ、当該特定点に近い該画素から順に、点灯画素に隣接する該画素を優先的に点灯させることによって、それぞれ連続的な網点ドットを生成し、当該２値化ディザマトリクスパターンを構成するほぼ半数の画素まで順番に点灯させた際に、当該２値化ディザマトリクスパターンにおいて該点灯画素と非点灯画素とが市松模様を形成するように該画素の点灯順序を設定された２値化ディザマトリクスパターンを用意するステップと、
入力された多値画像の画素値に基づいて、該２値化ディザマトリクスパターンにおける、該点灯順序の開始画素から所定の点灯順番が設定された画素までを該点灯順序に従って選択することにより決定された色材を形成する画素に対して色材を形成することにより画像を形成する画像形成ステップとを該コンピュータに実行させることを特徴とする、印刷プログラム。
【請求項１０】
多値画像を２値化して媒体上に画像を形成する印刷機能をコンピュータに実行させるための印刷プログラムを記録したコンピュータ読取可能な記録媒体であって、
該印刷プログラムが、
順次点灯される複数の画素をマトリクス状に配列して構成された２値化ディザマトリクスパターンであって、当該２値化ディザマトリクスパターンのほぼ図心位置に関して点対称の位置に複数の特定点をそなえ、当該特定点に近い該画素から順に、点灯画素に隣接する該画素を優先的に点灯させることによって、それぞれ連続的な網点ドットを生成し、当該２値化ディザマトリクスパターンを構成するほぼ半数の画素まで順番に点灯させた際に、当該２値化ディザマトリクスパターンにおいて該点灯画素と非点灯画素とが市松模様を形成するように該画素の点灯順序を設定された２値化ディザマトリクスパターンを用意するステップと、
入力された多値画像の画素値に基づいて、該２値化ディザマトリクスパターンにおける、該点灯順序の開始画素から所定の点灯順番が設定された画素までを該点灯順序に従って選択することにより決定された色材を形成する画素に対して色材を形成することにより画像を形成する画像形成ステップとを該コンピュータに実行させることを特徴とする、印刷プログラムを記録したコンピュータ読取可能な記録媒体。
【発明の詳細な説明】
【技術分野】
【０００１】
本発明は、自然画像，グラフィック画像，色文字等の多値画像（Continuous Tone Image）を二値画像に変換する２値化処理に用いられる２値化ディザマトリクスパターン（ディザパターンテーブル）、並びに当該２値化ディザマトリクスパターンを用いた印刷方法，印刷システム，印刷装置，印刷プログラムおよび同プログラムを記録したコンピュータ読取可能な記録媒体に関する。
【背景技術】
【０００２】
スキャナ等の入力機器から取り込むあるいは作成する等して得られた、自然画像やグラフィック画像，色文字などの多値画像をプリンタ等の出力装置から出力する際には、この多値画像を色材（インクやトナー等；以下、ドットという場合もある）のＯＮ／ＯＦＦで表現するために、２値化処理を行なう必要がある。
この２値化手法のひとつとしてディザ法が知られている。ディザ法は、多値画像における特定のピクセル（対象ピクセル）の値と予め設定された閾値との大小を比較することによって画素の階調濃度を決定し、予め用意した２値化ディザマトリクスパターンを用いて、この画素の階調濃度に応じてピクセルについてのドットのＯＮ／ＯＦＦを決定する手法である。
【０００３】
例えば、特公昭５３−５５６１号公報（下記特許文献１）においては、色材が定着する領域の重心がｔａｎθ＝１／３（約１８．４３゜）で並ぶようなディザパターンであって、０゜，４５゜以外のディザ角度を使用することによりモアレや人工的な縞模様（アーティファクト；Ａｒｔｉｆａｃｔ）を軽減するものが開示されている。
【特許文献１】特公昭５３−５５６１号公報
【発明の開示】
【発明が解決しようとする課題】
【０００４】
しかしながら、上述の如き、特公昭５３−５５６１号公報に開示されたディザパターンにおいては、ディザパターンを複数個配列することにより繰り返される基本パターンを構成する画素数が少ない（１０個）ので、階調数が大きな画像を高品質に印刷することが困難であるという課題がある。例えば、単色８ビット（すなわち２５６色）に対応するために、基本パターンがより多くの画素で構成された大きなディザパターンが望ましい。
【０００５】
本発明は、このような課題に鑑み創案されたもので、より多くの画素で基本パターンが構成され、且つ、モアレやアーティファクトを軽減することを目的とする。
【課題を解決するための手段】
【０００６】
このため、本発明の印刷方法（請求項１）は、多値画像を記憶領域に展開する展開ステップと、記憶領域に展開された多値画像を、２値化ディザマトリクスパターンに基づいて２値化し、その２値化結果に基づいて画像を形成する画像形成ステップとをそなえ、２値化ディザマトリクスパターンが、順次点灯される複数の画素をマトリクス状に配列して構成され、その２値化ディザマトリクスパターンのほぼ図心位置に関して点対称の位置に複数の特定点をそなえ、これらの特定点に近い画素から順に、点灯画素に隣接する画素を優先的に点灯させることによって、それぞれ連続的な網点ドットを生成し、その２値化ディザマトリクスパターンを構成するほぼ半数の画素まで順番に点灯させた際に、その２値化ディザマトリクスパターンにおいて点灯画素と非点灯画素とが市松模様を形成するものであることを特徴としている。
【０００７】
なお、２値化ディザマトリクスパターンが、５４行×５３列のマトリクス状に配列される２８６２個の画素によって構成された矩形パターンのうち、当該矩形パターンの１行目を構成する１列目から３２列目および３５列目から５３列目、２行目を構成する１列目から３０行目および３６列目から５３列目、３行目を構成する１列目から２８列目および３６列目から５３列目、４行目を構成する１列目から２７列目および３７列目から５３列目、５行目を構成する１列目から２５列目および３７列目から５６列目、６行目を構成する１列目から２３列目および３８列目から５３列目、７行目を構成する１列目から２２列目および３９列目から５３列目、８行目を構成する１列目から２０列目および３９列目から５３列目、９行目を構成する１列目から１８列目および４０列目から５３列目、１０行目を構成する１列目から１７列目および４０列目から５３列目、１１行目を構成する１列目から１５列目および４１列目から５３列目、１２行目を構成する１列目から１３列目および４２列目から５３列目、１３行目を構成する１列目から１１列目および４２列目から５３列目、１４行目を構成する１列目から１０列目および４３列目から５３列目、１５行目を構成する１列目から８列目および４３列目から５３列目、１６行目を構成する１列目から６列目および４４列目から５３列目、１７行目を構成する１列目から５列目および４４列目から５３列目、１８行目を構成する１列目から３列目および４５列目から５３列目、１９行目を構成する１列目および４６列目から５３列目、２０行目を構成する４６列目から５３列目、２１行目を構成する４７行目から５３行目、２２行目を構成する１列目および４７行目から５３行目、２３行目を構成する１列目および４８列目から５３列目、２４行目を構成する１列目から２列目および４９列目から５３列目、２５行目を構成する１列目から２列目および４９列目から５３列目、２６行目を構成する１列目から３列目および５０列目から５３列目、２７行目を構成する１列目から４列目および５０列目から５３列目、２８行目を構成する１列目から４列目および５１列目から５３列目、２９行目を構成する１列目から５列目および５２列目から５３列目、３０行目を構成する１列目から５列目および５２列目から５３列目、３１行目を構成する１列目から６列目および５３列目、３２行目を構成する１列目から７列目および３５列目、３３行目を構成する１列目から７列目、３４行目を構成する１列目から８列目、３５行目を構成する１列目から８列目および５３列目、３６行目を構成する１列目から９列目および５１列目から５３列目、３７行目を構成する１列目から９列目および４９列目から５３列目、３８行目を構成する１列目から１０列目および４８列目から５３列目、３９行目を構成する１列目から１１列目および４６列目から５３列目、４０行目を構成する１列目から１１列目および４４列目から５３列目、４１行目を構成する１列目から１２列目および４３列目から５３列目、４２行目を構成する１列目から１２列目および４１列目から５３列目、４３行目を構成する１列目から１３列目および３９列目から５３列目、４４行目を構成する１列目から１４列目および３８列目か���５３列目、４５行目を構成する１列目から１４列目および３６列目から５３列目、４６行目を構成する１列目から１５列目および３４列目から５３列目、４７行目を構成する１列目から１５行目および３２列目から５３列目、４８行目を構成する１列目から１６行目および３１列目から５３列目、４９行目を構成する１列目から１７列目および２９列目から５３列目、５０行目を構成する１列目から１７列目および２７列目から５３列目、５１行目を構成する１列目から１８列目および２６列目から５３列目、５２行目を構成する１列目から１８列目および２４列目から５３列目、５３行目を構成する１列目から１９列目および２２列目から５３列目、５４列目を構成する１列目から１９列目および２１列目から５３列目をそれぞれ切り欠いて構成された切欠パターンとして構成され、
当該切欠パターンの１行目を構成する３３列目から３４列目の画素が、それぞれ、４０３，３９９番目に点灯され、
当該切欠パターンの２行目を構成する３１列目から３５列目の画素が、それぞれ、４１１，４２７，４３５，４２３，３９５番目に点灯され、
当該切欠パターンの３行目を構成する２９列目から３５列目の画素が、それぞれ、３９１，４４５，４６３，４８１，４７５，４５７，４２９番目に点灯され、
当該切欠パターンの４行目を構成する２８列目から３６列目の画素が、それぞれ、４３７，４７７，４９５，５１７，５２３，５１５，４９１，４６７，４１５番目に点灯され、
当該切欠パターンの５行目を構成する２６列目から３６列目の画素が、それぞれ、４１９，４７１，５１１，５３１，５５１，５６３，５６５，５５５，５３５，５０７，４５５番目に点灯され、
当該切欠パターンの６行目を構成する２４列目から３７列目の画素が、それぞれ、４０７，４５３，５０５，５３９，５７１，５８７，５９９，６０７，６０３，５９５，５７５，５４７，４９９，４４３番目に点灯され、
当該切欠パターンの７行目を構成する２３列目から３８列目の画素が、それぞれ、４４７，４８９，５２９，５６１，５９１，６２１，６３１，６４１，６５５，６３９，６２７，６１５，５８３，５４３，４８７，４０５番目に点灯され、
当該切欠パターンの８行目を構成する２１列目から３８列目の画素が、それぞれ、４１７，４５９，５０１，５４５，５８１，６１１，６３７，６５９，６７１，６８３，６８７，６７９，６６３，６４３，６１９，５７９，５２７，４５１番目に点灯され、
当該切欠パターンの９行目を構成する１９列目から３９列目の画素が、それぞれ、３９７，４３１，４６９，５０９，５４９，５８５，１６２３，６５３，６６９，６９１，７０３，７１１，７１５，７０７，６９５，６７５，６４９，６０９，５５９，５０３，４２１番目に点灯され、
当該切欠パターンの１０行目を構成する１８列目から３９列目の画素が、それぞれ、４０１，４２５，４６１，４９３，５３７，５７７，６１７，６５１，６７７，７０１，７２１，７２７，７３７，７４３，７３１，７２３，６９９，６６７，６３５，５９３，５４１，４７３番目に点灯され、
当該切欠パターンの１１行目を構成する１６列目から４０列目の画素が、それぞれ、３７６，３８０，４０９，４４１，４８３，５１９，５５７，５９７，６２９，６６５，６９７，７２５，７３９，７４９，７５５，７５７，７５１，７３５，７１９，６９３，６６１，６２５，５７３，５１３，４３９番目に点灯され、
当該切欠パターンの１２行目を構成する１４列目から４１列目の画素が、それぞれ、３６８，３５２，３４４，３５６，３８４，４３３，４８５，５２５，５６９，６０５，６４７，６８１，７０９，７３３，７５３，７６５，７６９，７６７，７６３，７４７，７２９，７０５，６７３，６３３，５８９，５３３，４７９，３９３番目に点灯され、
当該切欠パターンの１３行目を構成する１２列目から４１列目の画素が、それぞれ、３８８，３３４，３１６，２９８，３０４，３２２，３５０，４１３，４６５，５２１，５６７，６１３，６５７，６８９，７１７，７４５，７６１，７７３，７７７，７７５，７７１，７５９，７４１，７１３，６８５，６４５，６０１，５５３，４９７，４４９番目に点灯され、
当該切欠パターンの１４行目を構成する１１列目から４２列目の画素が、それぞれ、３４２，３０２，２８４，２６２，２５６，２６４，２８８，３１２，３６４，４４４，４９６，５５２，６００，６４２，６８４，７１２，７３８，７５８，７７０，７７８，７７６，７６８，７５６，７４０，７１６，６８８，６５６，６０８，５６０，５１８，４６４，４０８番目に点灯され、
当該切欠パターンの１５行目を構成する９列目から４２列目の画素が、それぞれ、３６０，３０８，２６８，２４８，２２８，２１６，２１４，２２４，２４４，２７２，３２４，３９２，４８４，５３４，５８８，６３２，６７２，７０４，７２８，７５０，７６６，７７４，７７２，７６４，７５２，７３２，７０８，６８０，６４０，６０４，５６６，５２４，４７４，４２８番目に点灯され、
当該切欠パターンの１６行目を構成する７列目から４３列目の画素が、それぞれ、３７２，３２６，２７４，２４０，２０８，１９２，１８０，１７２，１７６，１８４，２０４，２３２，２８０，３３６，４４０，５１２，５７２，６２４，６６０，６９２，７２２，７４２，７５４，７６２，７６０，７４８，７３６，７２４，６９６，６６４，６２８，５９６，５５４，５１６，４７２，４３６，４０２番目に点灯され、
当該切欠パターンの１７行目を構成する６列目から４３列目の画素が、それぞれ、３３２，２９０，２５０，２１８，１８８，１５８，１４８，１３８，１２４，１４０，１５２，１６４，１９６，２３６，２９２，３７４，４７６，５４０，５９２，６３８，６７０，７０２，７２６，７３４，７４６，７４４，７３０，７２０，７００，６７６，６４４，６１６，５７６，５３２，４９２，４５２，４２０，４００番目に点灯され、
当該切欠パターンの１８行目を構成する４列目から４４列目の画素が、それぞれ、３６２，３２０，２７８，２３４，１９８，１６８，１４２，１２０，１０８，９６，９２，１００，１１６，１３６，１６０，２００，２５２，３２８，４２２，５０６，５６４，６１４，６５４，６７８，６９８，７１０，７１８，７１４，７０６，６９４，６６８，６５２，６２０，５８４，５４８，５０８，４６８，４３２，３９４，３７６，３８０番目に点灯され、
当該切欠パターンの１９行目を構成する２列目から４５列目の画素が、それぞれ、，３８２，３４８，３１０，２７０，２３０，１９４，１５６，１２６，１１０，８８，７６，６８，６４，７２，８４，１０４，１３０，１７０，２２０，２７６，３５８，４６０，５３０，５８２，６２２，６５０，６６６，６８２，６９０，６８６，６７４，６６２，６３６，６１２，５８０，５４４，５００，４５６，４１６，３６８，３５２，３４４，３５６，３８４番目に点灯され、
当該切欠パターンの２０行目を構成する１列目から４５列目の画素が、それぞれ、３７８，３５４，３１８，２８６，２４２，２０２，１６２，１２８，１０２，７８，５８，５２，４２，３６，４８，５６，８０，１１２，１４４，１８６，２３８，３０６，４１２，４９０，５４６，５８６，６１８，６３０，６４６，６５８，６４８，６３４，６２６，５９４，５６２，５２８，４８８，４４８，３８８，３３４，３１６，２９８，３０４，３２２，３５０番目に点灯され、
当該切欠パターンの２１行目を構成する１列目から４６列目の画素が、それぞれ、３７０，３３８，２９６，２６０，２２２，１８２，１５０，１１４，８２，５４，４０，３０，２４，２２，２８，４４，６０，８６，１１８，１５４，２０６，２６６，３４０，４５０，５０２，５５０，５７８，５９８，６０６，６１０，６０２，５９０，５７４，５４２，５０４，４５８，４１０，３４２，３０２，２８４，２６２，２５６，２６４，２８８，３１２，３６４番目に点灯され、
当該切欠パターンの２２行目を構成する２列目から４６列目の画素が、それぞれ、３４６，２９４，２５４，２１０，１７４，１３２，９８，７０，４６，２６，１４，１０，１２，１６，３２，５０，７４，１０６，１４６，１９０，２４６，３００，３８６，４６２，５１０，５３８，５５８，５７０，５６８，５５６，５３６，５１４，４７８，４２４，３６０，３０８，２６８，２４８，２２８，２１６，２１４，２２４，２４４，２７２，３２４番目に点灯され、
当該切欠パターンの２３行目を構成する２列目から４７列目の画素が、それぞれ、３６６，３１４，２５８，２１２，１６６，１２２，９０，６２，３４，１８，６，２，４，８，２０，３８，６６，９４，１３４，１７８，２２６，２８２，３３０，４１８，４７０，４９４，５２０，５２６，５２２，４９８，４８６，４４２，３７２，３２６，２７４，２４０，２０８，１９２，１８０，１７２，１７６，１８４，２０４，２３２，２８０，３３６番目に点灯され、
当該切欠パターンの２４行目を構成する３列目から４８列目の画素が、それぞれ、３３５，２８３，２２７，１７９，１３７，９５，６７，４１，２１，９，１，３，１１，２３，３９，６３，９１，１２３，１７１，２１９，２６１，３１５，３７１，４３４，４５４，４８０，４８２，４６６，４４６，３９６，３３２，２９０，２５０，２１８，１８８，１５８，１４８，１３８，１２４，１４０，１５２，１６４，１９６，２３６，２９２，３７４番目に点灯され、
当該切欠パターンの２５行目を構成する３列目から４８列目の画素が、それぞれ、３８７，２９５，２４５，１９１，１４７，１０７，７５，５１，２９，１３，５，７，１５，２７，４７，７１，９９，１３９，１７５，２１３，２５５，３０５，３５１，３９８，４２６，４３８，４３０，４１４，３６２，３２０，２７８，２３４，１９８，１６８，１４２，１２０，１０８，９６，９２，１００，１１６，１３６，１６０，２００，２５２，３２８番目に点灯され、
当該切欠パターンの２６行目を構成する４列目から４９列目の画素が、それぞれ、３３９，２６７，２０７，１５５，１１９，８７，５７，３７，２５，１７，１９，３１，４３，５５，８３，１１５，１５１，１８３，２２５，２６３，３０７，３４３，３７７，４０４，４０６，３８２，３４８，３１０，２７０，２３０，１９４，１５６，１２６，１１０，８８，７６，６８，６４，７２，８４，１０４，１３０，１７０，２２０，２７６，３５８番目に点灯され、
当該切欠パターンの２７行目を構成する５列目から４９列目の画素が、それぞれ、３０３，２３９，１８７，１４１，１０９，７７，５３，４５，３３，３５，４９，５９，７９，１０３，１３５，１６３，２０３，２４７，２８７，３２７，３５９，３７９，３９０，３７８，３５４，３１８，２８６，２４２，２０２，１６２，１２８，１０２，７８，５８，５２，４２，３６，４８，５６，８０，１１２，１４４，１８６，２３８，３０６番目に点灯され、
当該切欠パターンの２８行目を構成する５列目から５０列目の画素が、それぞれ、３５７，２７３，２１５，１６５，１２５，１０１，８１，６９，６１，６５，７３，８５，１１１，１２７，１５９，１９５，２３１，２７１，３１１，３４７，３８５，４０３，３９９，３７０，３３８，２９６，２６０，２２２，１８２，１５０，１１４，８２，５４，４０，３０，２４，２２，２８，４４，６０，８６，１１８，１５４，２０６，２６６，３４０番目に点灯され、
当該切欠パターンの２９行目を構成する６列目から５１列目の画素が、それぞれ、３１９，２４９，１９７，１５７，１２９，１１３，９７，８９，９３，１０５，１１７，１４３，１６７，１９９，２３５，２７９，３２３，３６３，４１１，４２７，４３５，４２３，３９５，３４６，２９４，２５４，２１０，１７４，１３２，９８，７０，４６，２６，１４，１０，１２，１６，３２，５０，７４，１０６，１４６，１９０，２４６，３００，３８６番目に点灯され、
当該切欠パターンの３０行目を構成する６列目から５１列目の画素が、それぞれ、３６７，２８９，２３３，１９３，１６１，１４９，１３３，１２１，１３１，１４５，１５３，１８５，２１７，２５１，２９１，３３１，３９１，４４５，４６３，４８１，４７５，４５７，４２９，３６６，３１４，２５８，２１２，１６６，１２２，９０，６２，３４，１８，６，２，４，８，２０，３８，６６，９４，１３４，１７８，２２６，２８２，３３０番目に点灯され、
当該切欠パターンの３１行目を構成する７列目から５２列目の画素が、それぞれ、３２９，２７７，２２９，２０１，１８１，１７３，１６９，１７７，１８９，２０５，２３７，２７５，３２１，３６９，４３７，４７７，４９５，５１７，５２３，５１５，４９１，４６７，４１５，３３５，２８３，２２７，１７９，１３７，９５，６７，４１，２１，９，１，３，１１，２３，３９，６３，９１，１２３，１７１，２１９，２６１，３１５，３７１，番目に点灯され、
当該切欠パターンの３２行目を構成する８列目から５２列目の画素が、それぞれ、３１７，２６９，２４１，２２１，２０９，２１１，２２３，２４３，２６５，３０１，３５５，４１９，４７１，５１１，５３１，５５１，５６３，５６５，５５５，５３５，５０７，４５５，３８７，２９５，２４５，１９１，１４７，１０７，７５，５１，２９，１３，５，７，１５，２７，４７，７１，９９，１３９，１７５，２１３，２５５，３０５，３５１番目に点灯され、
当該切欠パターンの３３行目を構成する８列目から５３列目の画素が、それぞれ、３６１，３０９，２８５，２５９，２５３，２５７，２８１，２９３，３３７，４０７，４５３，５０５，５３９，５７１，５８７，５９９，６０７，６０３，５９５，５７５，５４７，４９９，４４３，３３９，２６７，２０７，１５５，１１９，８７，５７，３７，２５，１７，１９，３１，４３，５５，８３，１１５，１５１，１８３，２２５，２６３，３０７，３４３，３７７番目に点灯され、
当該切欠パターンの３４行目を構成する９列目から５３列目の画素が、それぞれ、３４５，３２５，２９９，２９７，３１３，３３３，３８３，４４７，４８９，５２９，５６１，５９１，６２１，６３１，６４１，６５５，６３９，６２７，６１５，５８３，５４３，４８７，４０５，３０３，２３９，１８７，１４１，１０９，７７，５３，４５，３３，３５，４９，５９，７９，１０３，１３５，１６３，２０３，２４７，２８７，３２７，３５９，３７９番目に点灯され、
当該切欠パターンの３５行目を構成する９列目から５２列目の画素が、それぞれ、３８１，３５３，３４１，３４９，３６５，４１７，４５９，５０１，５４５，５８１，６１１，６３７，６５９，６７１，６８３，６８７，６７９，６６３，６４３，６１９，５７９，５２７，４５１，３５７，２７３，２１５，１６５，１２５，１０１，８１，６９，６１，６５，７３，８５，１１１，１２７，１５９，１９５，２３１，２７１，３１１，３４７，３８５番目に点灯され、
当該切欠パターンの３６行目を構成する１０列目から５０列目の画素が、それぞれ、３７５，３７３，３９７，４３１，４６９，５０９，５４９，５８５，６２３，６５３，６６９，６９１，７０３，７１１，７１５，７０７，６９５，６７５，６４９，６０９，５５９，５０３，４２１，３１９，２４９，１９７，１５７，１２９，１１３，９７，８９，９３，１０５，１１７，１４３，１６７，１９９，２３５，２７９，３２３，３６３番目に点灯され、
当該切欠パターンの３７行目を構成する１０列目から４８列目の画素が、それぞれ、３８９，４０１，４２５，４６１，４９３，５３７，５７７，６１７，６５１，６７７，７０１，７２１，７２７，７３７，７４３，７３１，７２３，６９９，６６７，６３５，５９３，５４１，４７３，３６７，２８９，２３３，１９３，１６１，１４９，１３３，１２１，１３１，１４５，１５３，１８５，２１７，２５１，２９１，３３１番目に点灯され、
当該切欠パターンの３８行目を構成する１１列目から４７列目の画素が、それぞれ、４０９，４４１，４８３，５１９，５５７，５９７，６２９，６６５，６９７，７２５，７３９，７４９，７５５，７５７，７５１，７３５，７１９，６９３，６６１，６２５，５７３，５１３，４３９，３２９，２７７，２２９，２０１，１８１，１７３，１６９，１７７，１８９，２０５，２３７，２７５，３２１，３６９番目に点灯され、
当該切欠パターンの３９行目を構成する１２列目から４５列目の画素が、それぞれ、４３３，４８５，５２５，５６９，６０５，６４７，６８１，７０９，７３３，７５３，７６５，７６９，７６７，７６３，７４７，７２９，７０５，６７３，６３３，５８９，５３３，４７９，３９３，３１７，２６９，２４１，２２１，２０９，２１１，２２３，２４３，２６５，３０１，３５５番目に点灯され、
当該切欠パターンの４０行目を構成する１２列目から４３列目の画素が、それぞれ、４１３，４６５，５２１，５６７，６１３，６５７，６８９，７１７，７４５，７６１，７７３，７７７，７７５，７７１，７５９，７４１，７１３，６８５，６４５，６０１，５５３，４９７，４４９，３６１，３０９，２８５，２５９，２５３，２５７，２８１，２９３，３３７番目に点灯され、
当該切欠パターンの４１行目を構成する１３列目から４２列目の画素が、それぞれ、４４４，４９６，５５２，６００，６４２，６８４，７１２，７３８，７５８，７７０，７７８，７７６，７６８，７５６，７４０，７１６，６８８，６５６，６０８，５６０，５１８，４６４，４０８，３４５，３２５，２９９，２９７，３１３，３３３，３８３番目に点灯され、
当該切欠パターンの４２行目を構成する１３列目から４０列目の画素が、それぞれ、３９２，４８４，５３４，５８８，６３２，６７２，７０４，７２８，７５０，７６６，７７４，７７２，７６４，７５２，７３２，７０８，６８０，６４０，６０４，５６６，５２４，４７４，４２８，３８１，３５３，３４１，３４９，３６５番目に点灯され、
当該切欠パターンの４３行目を構成する１４列目から３８列目の画素が、それぞれ、４４０，５１２，５７２，６２４，６６０，６９２，７２２，７４２，７５４，７６２，７６０，７４８，７３６，７２４，６９６，６６４，６２８，５９６，５５４，５１６，４７２，４３６，４０２，３７５，３７３番目に点灯され、
当該切欠パターンの４４行目を構成する１５列目から３７列目の画素が、それぞれ、４７６，５４０，５９２，６３８，６７０，７０２，７２６，７３４，７４６，７４４，７３０，７２０，７００，６７６，６４４，６１６，５７６，５３２，４９２，４５２，４２０，４００，３８９番目に点灯され、
当該切欠パターンの４５行目を構成する１５列目から３５列目の画素が、それぞれ、４２２，５０６，５６４，６１４，６５４，６７８，６９８，７１０，７１８，７１４，７０６，６９４，６６８，６５２，６２０，５８４，５４８，５０８，４６８，４３２，３９４番目に点灯され、
当該切欠パターンの４６行目を構成する１６列目から３３列目の画素が、それぞれ、４６０，５３０，５８２，６２２，６５０，６６６，６８２，６９０，６８６，６７４，６６２，６３６，６１２，５８０，５４４，５００，４５６，４１６番目に点灯され、
当該切欠パターンの４７行目を構成する１６列目から３１列目の画素が、それぞれ、４１２，４９０，５４６，５８６，６１８，６３０，６４６，６５８，６４８，６３４，６２６，５９４，５６２，５２８，４８８，４４８番目に点灯され、
当該切欠パターンの４８行目を構成する１７列目から３０列目の画素が、それぞれ、４５０，５０２，５５０，５７８，５９８，６０６，６１０，６０２，５９０，５７４，５４２，５０４，４５８，４１０番目に点灯され、
当該切欠パターンの４９行目を構成する１８列目から２８列目の画素が、それぞれ、４６２，５１０，５３８，５５８，５７０，５６８，５５６，５３６，５１４，４７８，４２４番目に点灯され、
当該切欠パターンの５０行目を構成する１８列目から２６列目の画素が、それぞれ、４１８，４７０，４９４，５２０，５２６，５２２，４９８，４８６，４４２番目に点灯され、
当該切欠パターンの５１行目を構成する１９列目から２５列目の画素が、それぞれ、４３４，４５４，４８０，４８２，４６６，４４６，３９６番目に点灯され、
当該切欠パターンの５２行目を構成する１９列目から２３列目の画素が、それぞれ、３９８，４２６，４３８，４３０，４１４番目に点灯され、
当該切欠パターンの５３行目を構成する２０列目から２１列目の画素が、それぞれ、４０４，４０６番目に点灯され、
当該切欠パターンの５４行目を構成する２０列目の画素が、３９０番目に点灯されるように、該１５５６個の画素の点灯順序が設定されてもよい（請求項２）。
【０００８】
また、２値化ディザマトリクスパターンが、５４行×５３列のマトリクス状に配列される２８６２個の画素によって構成された矩形パターンのうち、当該矩形パターンの１行目を構成する１列目から３２列目および３５列目から５３列目、２行目を構成する１列目から３０行目および３６列目から５３列目、３行目を構成する１列目から２８列目および３６列目から５３列目、４行目を構成する１列目から２７列目および３７列目から５３列目、５行目を構成する１列目から２５列目および３７列目から５６列目、６行目を構成する１列目から２３列目および３８列目から５３列目、７行目を構成する１列目から２２列目および３９列目から５３列目、８行目を構成する１列目から２０列目および３９列目から５３列目、９行目を構成する１列目から１８列目および４０列目から５３列目、１０行目を構成する１列目から１７列目および４０列目から５３列目、１１行目を構成する１列目から１５列目および４１列目から５３列目、１２行目を構成する１列目から１３列目および４２列目から５３列目、１３行目を構成する１列目から１１列目および４２列目から５３列目、１４行目を構成する１列目から１０列目および４３列目から５３列目、１５行目を構成する１列目から８列目および４３列目から５３列目、１６行目を構成する１列目から６列目および４４列目から５３列目、１７行目を構成する１列目から５列目および４４列目から５３列目、１８行目を構成する１列目から３列目および４５列目から５３列目、１９行目を構成する１列目および４６列目から５３列目、２０行目を構成する４６列目から５３列目、２１行目を構成する４７行目から５３行目、２２行目を構成する１列目および４７行目から５３行目、２３行目を構成する１列目および４８列目から５３列目、２４行目を構成する１列目から２列目および４９列目から５３列目、２５行目を構成する１列目から２列目および４９列目から５３列目、２６行目を構成する１列目から３列目および５０列目から５３列目、２７行目を構成する１列目から４列目および５０列目から５３列目、２８行目を構成する１列目から４列目および５１列目から５３列目、２９行目を構成する１列目から５列目および５２列目から５３列目、３０行目を構成する１列目から５列目および５２列目から５３列目、３１行目を構成する１列目から６列目および５３列目、３２行目を構成する１列目から７列目および３５列目、３３行目を構成する１列目から７列目、３４行目を構成する１列目から８列目、３５行目を構成する１列目から８列目および５３列目、３６行目を構成する１列目から９列目および５１列目から５３列目、３７行目を構成する１列目から９列目および４９列目から５３列目、３８行目を構成する１列目から１０列目および４８列目から５３列目、３９行目を構成する１列目から１１列目および４６列目から５３列目、４０行目を構成する１列目から１１列目および４４列目から５３列目、４１行目を構成する１列目から１２列目および４３列目から５３列目、４２行目を構成する１列目から１２列目および４１列目から５３列目、４３行目を構成する１列目から１３列目および３９列目から５３列目、４４行目を構成する１列目から１４列目および３８列目か���５３列目、４５行目を構成する１列目から１４列目および３６列目から５３列目、４６行目を構成する１列目から１５列目および３４列目から５３列目、４７行目を構成する１列目から１５行目および３２列目から５３列目、４８行目を構成する１列目から１６行目および３１列目から５３列目、４９行目を構成する１列目から１７列目および２９列目から５３列目、５０行目を構成する１列目から１７列目および２７列目から５３列目、５１行目を構成する１列目から１８列目および２６列目から５３列目、５２行目を構成する１列目から１８列目および２４列目から５３列目、５３行目を構成する１列目から１９列目および２２列目から５３列目、５４列目を構成する１列目から１９列目および２１列目から５３列目をそれぞれ切り欠いて構成された切欠パターンとして構成され、
当該切欠パターンの１行目を構成する３３列目から３４列目の画素が、それぞれ、８０５，７９７番目に点灯され、
当該切欠パターンの２行目を構成する３１列目から３５列目の画素が、それぞれ、８２１，８５３，８６９，８４５，７８９番目に点灯され、
当該切欠パターンの３行目を構成する２９列目から３５列目の画素が、それぞれ、７８１，８８９，９２５，９６１，９４９，９１３，８５７番目に点灯され、
当該切欠パターンの４行目を構成する２８列目から３６列目の画素が、それぞれ、８７３，９５３，９８９，１０３３，１０４５，１０２９，９８１，９３３，８２９番目に点灯され、
当該切欠パターンの５行目を構成する２６列目から３６列目の画素が、それぞれ、８３７，９４１，１０２１，１０６１，１１０１，１１２５，１１２９，１１０９，１０６９，１０１３，９０９番目に点灯され、
当該切欠パターンの６行目を構成する２４列目から３７列目の画素が、それぞれ、８１３，９０５，１００９，１０７７，１１４１，１１７３，１１９７，１２１３，１２０５，１１８９，１１４９，１０９３，９９７，８８５番目に点灯され、
当該切欠パターンの７行目を構成する２３列目から３８列目の画素が、それぞれ、８９３，９７７，１０５７，１１２１，１１８１，１２４１，１２６１，１２８１，１３０９，１２７７，１２５３，１２２９，１１６５，１０８５，９７３，８０９番目に点灯され、
当該切欠パターンの８行目を構成する２１列目から３８列目の画素が、それぞれ、８３３，９１７，１００１，１０８９，１１６１，１２２１，１２７３，１３１７，１３４１，１３６５，１３７３，１３５７，１３２５，１２８５，１２３７，１１５７，１０５３，９０１番目に点灯され、
当該切欠パターンの９行目を構成する１９列目から３９列目の画素が、それぞれ、７９３，８６１，９３７，１０１７，１０９７，１１６９，１２４５，１３０５，１３３７，１３８１，１４０５，１４２１，１４２９，１４１３，１３８９，１３４９，１２９７，１２１７，１１１７，１００５，８４１番目に点灯され、
当該切欠パターンの１０行目を構成する１８列目から３９列目の画素が、それぞれ、８０１，８４９，９２１，９８５，１０７３，１１５３，１２３３，１３０１，１３５３，１４０１，１４４１，１４５３，１４７３，１４８５，１４６１，１４４５，１３９７，１３３３，１２６９，１１８５，１０８１，９４５番目に点灯され、
当該切欠パターンの１１行目を構成する１６列目から４０列目の画素が、それぞれ、７５１，７５９，８１７，８８１，９６５，１０３７，１１１３，１１９３，１２５７，１３２９，１３９３，１４４９，１４７７，１４９７，１５０９，１５１３，１５０１，１４６９，１４３７，１３８５，１３２１，１２４９，１１４５，１０２５，８７７番目に点灯され、
当該切欠パターンの１２行目を構成する１４列目から４１列目の画素が、それぞれ、７３５，７０３，６８７，７１１，７６７，８６５，９６９，１０４９，１１３７，１２０９，１２９３，１３６１，１４１７，１４６５，１５０５，１５２９，１５３７，１５３３，１５２５，１４９３，１４５７，１４０９，１３４５，１２６５，１１７７，１０６５，９５７，７８５番目に点灯され、
当該切欠パターンの１３行目を構成する１２列目から４１列目の画素が、それぞれ、７７５，６６７，６３１，５９５，６０７，６４３，６９９，８２５，９２９，１０４１，１１３３，１２２５，１３１３，１３７７，１４３３，１４８９，１５２１，１５４５，１５５３，１５４９，１５４１，１５１７，１４８１，１４２５，１３６９，１２８９，１２０１，１１０５，９９３，８９７番目に点灯され、
当該切欠パターンの１４行目を構成する１１列目から４２列目の画素が、それぞれ、６８３，６０３，５６７，５２３，５１１，５２７，５７５，６２３，７２７，８８７，９９１，１１０３，１１９９，１２８３，１３６７，１４２３，１４７５，１５１５，１５３９，１５５５，１５５１，１５３５，１５１１，１４７９，１４３１，１３７５，１３１１，１２１５，１１１９，１０３５，９２７，８１５番目に点灯され、
当該切欠パターンの１５行目を構成する９列目から４２列目の画素が、それぞれ、７１９，６１５，５３５，４９５，４５５，４３１，４２７，４４７，４８７，５４３，６４７，７８３，９６７，１０６７，１１７５，１２６３，１３４３，１４０７，１４５５，１４９９，１５３１，１５４７，１５４３，１５２７，１５０３，１４６３，１４１５，１３５９，１２７９，１２０７，１１３１，１０４７，９４７，８５５番目に点灯され、
当該切欠パターンの１６行目を構成する７列目から４３列目の画素が、それぞれ、７４３，６５１，５４７，４７９，４１５，３８３，３５９，３４３，３５１，３６７，４０７，４６３，５５９，６７１，８７９，１０２３，１１４３，１２４７，１３１９，１３８３，１４４３，１４８３，１５０７，１５２３，１５１９，１４９５，１４７１，１４４７，１３９１，１３２７，１２５５，１１９１，１１０７，１０３１，９４３，８７１，８０３番目に点灯され、
当該切欠パターンの１７行目を構成する６列目から４３列目の画素が、それぞれ、６６３，５７９，４９９，４３５，３７５，３１５，２９５，２７５，２４７，２７９，３０３，３２７，３９１，４７１，５８３，７４７，９５１，１０７９，１１８３，１２７５，１３３９，１４０３，１４５１，１４６７，１４９１，１４８７，１４５９，１４３９，１３９９，１３５１，１２８７，１２３１，１１５１，１０６３，９８３，９０３，８３９，７９９番目に点灯され、
当該切欠パターンの１８行目を構成する４列目から４４列目の画素が、それぞれ、７２３，６３９，５５５，４６７，３９５，３３５，２８３，２３９，２１５，１９１，１８３，１９９，２３１，２７１，３１９，３９９，５０３，６５５，８４３，１０１１，１１２７，１２２７，１３０７，１３５５，１３９５，１４１９，１４３５，１４２７，１４１１，１３８７，１３３５，１３０３，１２３９，１１６７，１０９５，１０１５，９３５，８６３，７８７，７５２，７６０番目に点灯され、
当該切欠パターンの１９行目を構成する２列目から４５列目の画素が、それぞれ、７６３，６９５，６１９，５３９，４５９，３８７，３１１，２５１，２１９，１７５，１５１，１３５，１２７，１４３，１６７，２０７，２５９，３３９，４３９，５５１，７１５，９１９，１０５９，１１６３，１２４３，１２９９，１３３１，１３６３，１３７９，１３７１，１３４７，１３２３，１２７１，１２２３，１１５９，１０８７，９９９，９１１，８３１，７３６，７０４，６８８，７１２，７６８番目に点灯され、
当該切欠パターンの２０行目を構成する１列目から４５列目の画素が、それぞれ、７５５，７０７，６３５，５７１，４８３，４０３，３２３，２５５，２０３，１５５，１１５，１０３，８３，７１，９５，１１１，１５９，２２３，２８７，３７１，４７５，６１１，８２３，９７９，１０９１，１１７１，１２３５，１２５９，１２９１，１３１５，１２９５，１２６７，１２５１，１１８７，１１２３，１０５５，９７５，８９５，７７６，６６８，６３２，５９６，６０８，６４４，７００番目に点灯され、
当該切欠パターンの２１行目を構成する１列目から４６列目の画素が、それぞれ、７３９，６７５，５９１，５１９，４４３，３６３，２９９，２２７，１６３，１０７，７９，５９，４７，４３，５５，８７，１１９，１７１，２３５，３０７，４１１，５３１，６７９，８９９，１００３，１０９９，１１５５，１１９５，１２１１，１２１９，１２０３，１１７９，１１４７，１０８３，１００７，９１５，８１９，６８４，６０４，５６８，５２４，５１２，５２８，５７６，６２４，７２８番目に点灯され、
当該切欠パターンの２２行目を構成する２列目から４６列目の画素が、それぞれ、６９１，５８７，５０７，４１９，３４７，２６３，１９５，１３９，９１，５１，２７，１９，２３，３１，６３，９９，１４７，２１１，２９１，３７９，４９１，５９９，７７１，９２３，１０１９，１０７５，１１１５，１１３９，１１３５，１１１１，１０７１，１０２７，９５５，８４７，７２０，６１６，５３６，４９６，４５６，４３２，４２８，４４８，４８８，５４４，６４８番目に点灯され、
当該切欠パターンの２３行目を構成する２列目から４７列目の画素が、それぞれ、７３１，６２７，５１５，４２３，３３１，２４３，１７９，１２３，６７，３５，１１，３，７，１５，３９，７５，１３１，１８７，２６７，３５５，４５１，５６３，６５９，８３５，９３９，９８７，１０３９，１０５１，１０４３，９９５，９７１，８８３，７４４，６５２，５４８，４８０，４１６，３８４，３６０，３４４，３５２，３６８，４０８，４６４，５６０，６７２番目に点灯され、
当該切欠パターンの２４行目を構成する３列目から４８列目の画素が、それぞれ、６６９，５６５，４５３，３５７，２７３，１８９，１３３，８１，４１，１７，１，５，２１，４５，７７，１２５，１８１，２４５，３４１，４３７，５２１，６２９，７４１，８６７，９０７，９５９，９６３，９３１，８９１，７９１，６６４，５８０，５００，４３６，３７６，３１６，２９６，２７６，２４８，２８０，３０４，３２８，３９２，４７２，５８４，７４８番目に点灯され、
当該切欠パターンの２５行目を構成する３列目から４８列目の画素が、それぞれ、７７３，５８９，４８９，３８１，２９３，２１３，１４９，１０１，５７，２５，９，１３，２９，５３，９３，１４１，１９７，２７７，３４９，４２５，５０９，６０９，７０１，７９５，８５１，８７５，８５９，８２７，７２４，６４０，５５６，４６８，３９６，３３６，２８４，２４０，２１６，１９２，１８４，２００，２３２，２７２，３２０，４００，５０４，６５６番目に点灯され、
当該切欠パターンの２６行目を構成する４列目から４９列目の画素が、それぞれ、６７７，５３３，４１３，３０９，２３７，１７３，１１３，７３，４９，３３，３７，６１，８５，１０９，１６５，２２９，３０１，３６５，４４９，５２５，６１３，６８５，７５３，８０７，８１１，７６４，６９６，６２０，５４０，４６０，３８８，３１２，２５２，２２０，１７６，１５２，１３６，１２８，１４４，１６８，２０８，２６０，３４０，４４０，５５２，７１６番目に点灯され、
当該切欠パターンの２７行目を構成する５列目から４９列目の画素が、それぞれ、６０５，４７７，３７３，２８１，２１７，１５３，１０５，８９，６５，６９，９７，１１７，１５７，２０５，２６９，３２５，４０５，４９３，５７３，６５３，７１７，７５７，７７９，７５６，７０８，６３６，５７２，４８４，４０４，３２４，２５６，２０４，１５６，１１６，１０４，８４，７２，９６，１１２，１６０，２２４，２８８，３７２，４７６，６１２番目に点灯され、
当該切欠パターンの２８行目を構成する５列目から５０列目の画素が、それぞれ、７１３，５４５，４２９，３２９，２４９，２０１，１６１，１３７，１２１，１２９，１４５，１６９，２２１，２５３，３１７，３８９，４６１，５４１，６２１，６９３，７６９，８０６，７９８，７４０，６７６，５９２，５２０，４４４，３６４，３００，２２８，１６４，１０８，８０，６０，４８，４４，５６，８８，１２０，１７２，２３６，３０８，４１２，５３２，６８０番目に点灯され、
当該切欠パターンの２９行目を構成する６列目から５１列目の画素が、それぞれ、６３７，４９７，３９３，３１３，２５７，２２５，１９３，１７７，１８５，２０９，２３３，２８５，３３３，３９７，４６９，５５７，６４５，７２５，８２２，８５４，８７０，８４６，７９０，６９２，５８８，５０８，４２０，３４８，２６４，１９６，１４０，９２，５２，２８，２０，２４，３２，６４，１００，１４８，２１２，２９２，３８０，４９２，６００，７７２番目に点灯され、
当該切欠パターンの３０行目を構成する６列目から５１列目の画素が、それぞれ、７３３，５７７，４６５，３８５，３２１，２９７，２６５，２４１，２６１，２８９，３０５，３６９，４３３，５０１，５８１，６６１，７８２，８９０，９２６，９６２，９５０，９１４，８５８，７３２，６２８，５１６，４２４，３３２，２４４，１８０，１２４，６８，３６，１２，４，８，１６，４０，７６，１３２，１８８，２６８，３５６，４５２，５６４，６６０番目に点灯され、
当該切欠パターンの３１行目を構成する７列目から５２列目の画素が、それぞれ、６５７，５５３，４５７，４０１，３６１，３４５，３３７，３５３，３７７，４０９，４７３，５４９，６４１，７３７，８７４，９５４，９９０，１０３４，１０４６，１０３０，９８２，９３４，８３０，６７０，５６６，４５４，３５８，２７４，１９０，１３４，８２，４２，１８，２，６，２２，４６，７８，１２６，１８２，２４６，３４２，４３８，５２２，６３０，７４２番目に点灯され、
当該切欠パターンの３２行目を構成する８列目から５２列目の画素が、それぞれ、６３３，５３７，４８１，４４１，４１７，４２１，４４５，４８５，５２９，６０１，７０９，８３８，９４２，１０２２，１０６２，１１０２，１１２６，１１３０，１１１０，１０７０，１０１４，９１０，７７４，５９０，４９０，３８２，２９４，２１４，１５０，１０２，５８，２６，１０，１４，３０，５４，９４，１４２，１９８，２７８，３５０，４２６，５１０，６１０，７０２番目に点灯され、
当該切欠パターンの３３行目を構成する８列目から５３列目の画素が、それぞれ、７２１，６１７，５６９，５１７，５０５，５１３，５６１，５８５，６７３，８１４，９０６，１０１０，１０７８，１１４２，１１７４，１１９８，１２１４，１２０６，１１９０，１１５０，１０９４，９９８，８８６，６７８，５３４，４１４，３１０，２３８，１７４，１１４，７４，５０，３４，３８，６２，８６，１１０，１６６，２３０，３０２，３６６，４５０，５２６，６１４，６８６，７５４番目に点灯され、
当該切欠パターンの３４行目を構成する９列目から５３列目の画素が、それぞれ、６８９，６４９，５９７，５９３，６２５，６６５，７６５，８９４，９７８，１０５８，１１２２，１１８２，１２４２，１２６２，１２８２，１３１０，１２７８，１２５４，１２３０，１１６６，１０８６，９７４，８１０，６０６，４７８，３７４，２８２，２１８，１５４，１０６，９０，６６，７０，９８，１１８，１５８，２０６，２７０，３２６，４０６，４９４，５７４，６５４，７１８，７５８番目に点灯され、
当該切欠パターンの３５行目を構成する９列目から５２列目の画素が、それぞれ、７６１，７０５，６８１，６９７，７２９，８３４，９１８，１００２，１０９０，１１６２，１２２２，１２７４，１３１８，１３４２，１３６６，１３７４，１３５８，１３２６，１２８６，１２３８，１１５８，１０５４，９０２，７１４，５４６，４３０，３３０，２５０，２０２，１６２，１３８，１２２，１３０，１４６，１７０，２２２，２５４，３１８，３９０，４６２，５４２，６２２，６９４，７７０番目に点灯され、
当該切欠パターンの３６行目を構成する１０列目から５０列目の画素が、それぞれ、７４９，７４５，７９４，８６２，９３８，１０１８，１０９８，１１７０，１２４６，１３０６，１３３８，１３８２，１４０６，１４２２，１４３０，１４１４，１３９０，１３５０，１２９８，１２１８，１１１８，１００６，８４２，６３８，４９８，３９４，３１４，２５８，２２６，１９４，１７８，１８６，２１０，２３４，２８６，３３４，３９８，４７０，５５８，６４６，７２６番目に点灯され、
当該切欠パターンの３７行目を構成する１０列目から４８列目の画素が、それぞれ、７７７，８０２，８５０，９２２，９８６，１０７４，１１５４，１２３４，１３０２，１３５４，１４０２，１４４２，１４５４，１４７４，１４８６，１４６２，１４４６，１３９８，１３３４，１２７０，１１８６，１０８２，９４６，７３４，５７８，４６６，３８６，３２２，２９８，２６６，２４２，２６２，２９０，３０６，３７０，４３４，５０２，５８２，６６２番目に点灯され、
当該切欠パターンの３８行目を構成する１１列目から４７列目の画素が、それぞれ、８１８，８８２，９６６，１０３８，１１１４，１１９４，１２５８，１３３０，１３９４，１４５０，１４７８，１４９８，１５１０，１５１４，１５０２，１４７０，１４３８，１３８６，１３２２，１２５０，１１４６，１０２６，８７８，６５８，５５４，４５８，４０２，３６２，３４６，３３８，３５４，３７８，４１０，４７４，５５０，６４２，７３８番目に点灯され、
当該切欠パターンの３９行目を構成する１２列目から４５列目の画素が、それぞれ、８６６，９７０，１０５０，１１３８，１２１０，１２９４，１３６２，１４１８，１４６６，１５０６，１５３０，１５３８，１５３４，１５２６，１４９４，１４５８，１４１０，１３４６，１２６６，１１７８，１０６６，９５８，７８６，６３４，５３８，４８２，４４２，４１８，４２２，４４６，４８６，５３０，６０２，７１０番目に点灯され、
当該切欠パターンの４０行目を構成する１２列目から４３列目の画素が、それぞれ、８２６，９３０，１０４２，１１３４，１２２６，１３１４，１３７８，１４３４，１４９０，１５２２，１５４６，１５５４，１５５０，１５４２，１５１８，１４８２，１４２６，１３７０，１２９０，１２０２，１１０６，９９４，８９８，７２２，６１８，５７０，５１８，５０６，５１４，５６２，５８６，６７４番目に点灯され、
当該切欠パターンの４１行目を構成する１３列目から４２列目の画素が、それぞれ、８８８，９９２，１１０４，１２００，１２８４，１３６８，１４２４，１４７６，１５１６，１５４０，１５５６，１５５２，１５３６，１５１２，１４８０，１４３２，１３７６，１３１２，１２１６，１１２０，１０３６，９２８，８１６，６９０，６５０，５９８，５９４，６２６，６６６，７６６番目に点灯され、
当該切欠パターンの４２行目を構成する１３列目から４０列目の画素が、それぞれ、７８４，９６８，１０６８，１１７６，１２６４，１３４４，１４０８，１４５６，１５００，１５３２，１５４８，１５４４，１５２８，１５０４，１４６４，１４１６，１３６０，１２８０，１２０８，１１３２，１０４８，９４８，８５６，７６２，７０６，６８２，６９８，７３０番目に点灯され、
当該切欠パターンの４３行目を構成する１４列目から３８列目の画素が、それぞれ、８８０，１０２４，１１４４，１２４８，１３２０，１３８４，１４４４，１４８４，１５０８，１５２４，１５２０，１４９６，１４７２，１４４８，１３９２，１３２８，１２５６，１１９２，１１０８，１０３２，９４４，８７２，８０４，７５０，７４６番目に点灯され、
当該切欠パターンの４４行目を構成する１５列目から３７列目の画素が、それぞれ、９５２，１０８０，１１８４，１２７６，１３４０，１４０４，１４５２，１４６８，１４９２，１４８８，１４６０，１４４０，１４００，１３５２，１２８８，１２３２，１１５２，１０６４，９８４，９０４，８４０，８００，７７８番目に点灯され、
当該切欠パターンの４５行目を構成する１５列目から３５列目の画素が、それぞれ、８４４，１０１２，１１２８，１２２８，１３０８，１３５６，１３９６，１４２０，１４３６，１４２８，１４１２，１３８８，１３３６，１３０４，１２４０，１１６８，１０９６，１０１６，９３６，８６４，７８８番目に点灯され、
当該切欠パターンの４６行目を構成する１６列目から３３列目の画素が、それぞれ、９２０，１０６０，１１６４，１２４４，１３００，１３３２，１３６４，１３８０，１３７２，１３４８，１３２４，１２７２，１２２４，１１６０，１０８８，１０００，９１２，８３２番目に点灯され、
当該切欠パターンの４７行目を構成する１６列目から３１列目の画素が、それぞれ、８２４，９８０，１０９２，１１７２，１２３６，１２６０，１２９２，１３１６，１２９６，１２６８，１２５２，１１８８，１１２４，１０５６，９７６，８９６番目に点灯され、
当該切欠パターンの４８行目を構成する１７列目から３０列目の画素が、それぞれ、９００，１００４，１１００，１１５６，１１９６，１２１２，１２２０，１２０４，１１８０，１１４８，１０８４，１００８，９１６，８２０番目に点灯され、
当該切欠パターンの４９行目を構成する１８列目から２８列目の画素が、それぞれ、９２４，１０２０，１０７６，１１１６，１１４０，１１３６，１１１２，１０７２，１０２８，９５６，８４８番目に点灯され、
当該切欠パターンの５０行目を構成する１８列目から２６列目の画素が、それぞれ、８３６，９４０，９８８，１０４０，１０５２，１０４４，９９６，９７２，８８４番目に点灯され、
当該切欠パターンの５１行目を構成する１９列目から２５列目の画素が、それぞれ、８６８，９０８，９６０，９６４，９３２，８９２，７９２番目に点灯され、
当該切欠パターンの５２行目を構成する１９列目から２３列目の画素が、それぞれ、７９６，８５２，８７６，８６０，８２８番目に点灯され、
当該切欠パターンの５３行目を構成する２０列目から２１列目の画素が、それぞれ、８０８，８１２番目に点灯され、
当該切欠パターンの５４行目を構成する２０列目の画素が、７８０番目に点灯されるように、該１５５６個の画素の点灯順序が設定されてもよい（請求項３）。
【０００９】
また、上述した２値化ディザマトリクスパターンにおける任意の画素に設定された点灯順序と、その画素が属する網点ドットに関する特定点を基準としてその画素に対して点対称の位置にある画素に設定された点灯順序とを入れ替えて構成してもよい（請求項４）。
さらに、ルックアップテーブルに基づいて画像形成順序を変更する画像形成順序変更ステップをそなえ、画像形成ステップにおいて、画像形成順序変更ステップにおいて変更された画像形成順序に基づいて画像を形成してもよい（請求項５）。
【００１０】
また、本発明の印刷システム（請求項６）は、２値化ディザマトリクスパターンに基づいて、多値画像の２値化を行なう２値化処理部と、この２値化処理部によって行なわれた２値化結果に基づいて、媒体上に画像を形成する画像形成部を有する印刷装置とをそなえ、２値化ディザマトリクスパターンが、順次点灯される複数の画素をマトリクス状に配列して構成され、その２値化ディザマトリクスパターンのほぼ図心位置に関して点対称の位置に複数の特定点をそなえ、これらの特定点に近い画素から順に、点灯画素に隣接する画素を優先的に点灯させることによって、それぞれ連続的な網点ドットを生成し、この２値化ディザマトリクスパターンを構成するほぼ半数の画素まで順番に点灯させた際に、この２値化ディザマトリクスパターンにおいて点灯画素と非点灯画素とが市松模様を形成するものであることを特徴としている。
【００１１】
さらに、本発明の印刷装置（請求項７）は、多値画像を展開する記憶領域と、この記憶領域に展開された多値画像を、２値化ディザマトリクスパターンを用いて２値化し、その２値化結果に基づいて画像を形成する画像形成部とをそなえ、２値化ディザマトリクスパターンが、順次点灯される複数の画素をマトリクス状に配列して構成され、この２値化ディザマトリクスパターンのほぼ図心位置に関して点対称の位置に複数の特定点をそなえ、これらの特定点に近い画素から順に、点灯画素に隣接する画素を優先的に点灯させることによって、それぞれ連続的な網点ドットを生成し、この２値化ディザマトリクスパターンを構成するほぼ半数の画素まで順番に点灯させた際に、この２値化ディザマトリクスパターンにおいて点灯画素と非点灯画素とが市松模様を形成するものであることを特徴としている。
【００１２】
また、本発明の２値化ディザマトリクスパターン（請求項８）は、多値画像の２値化に用いられる２値化ディザマトリクスパターンであって、順次点灯される複数の画素をマトリクス状に配列して構成され、この２値化ディザマトリクスパターンのほぼ図心位置に関して点対称の位置に複数の特定点をそなえ、これらの特定点に近い画素から順に、点灯画素に隣接する画素を優先的に点灯させることによって、それぞれ連続的な網点ドットを生成し、２値化ディザマトリクスパターンを構成するほぼ半数の画素まで順番に点灯させた際に、この２値化ディザマトリクスパターンにおいて点灯画素と非点灯画素とが市松模様を形成することを特徴としている。
【００１３】
さらに、本発明の印刷プログラム（請求項９）は、多値画像を２値化して媒体上に画像を形成する印刷機能をコンピュータに実行させるための印刷プログラムであって、順次点灯される複数の画素をマトリクス状に配列して構成された２値化ディザマトリクスパターンであって、この２値化ディザマトリクスパターンのほぼ図心位置に関して点対称の位置に複数の特定点をそなえ、これらの特定点に近い画素から順に、点灯画素に隣接する画素を優先的に点灯させることによって、それぞれ連続的な網点ドットを生成し、この２値化ディザマトリクスパターンを構成するほぼ半数の画素まで順番に点灯させた際に、この２値化ディザマトリクスパターンにおいて点灯画素と非点灯画素とが市松模様を形成するように画素の点灯順序を設定された２値化ディザマトリクスパターンを用意するステップと、入力された多値画像の画素値に基づいて、２値化ディザマトリクスパターンにおける、点灯順序の開始画素から所定の点灯順番が設定された画素までを該点灯順序に従って選択することにより決定された色材を形成する画素に対して色材を形成することにより画像を形成する画像形成ステップとをコンピュータに実行させることを特徴としている。
【００１４】
また、本発明のコンピュータ読取可能な記録媒体（請求項１０）は、上述した印刷プログラムを記録したものである。
【発明の効果】
【００１５】
本発明の印刷方法，印刷システム，印刷装置，２値化ディザマトリクスパターン，印刷プログラムおよび同プログラムを記録したコンピュータ読取可能な記録媒体によれば、以下の効果ないし利点がある。
（１）２値化ディザマトリクスパターンを構成するほぼ半数の画素まで順番に点灯させた際に、この２値化ディザマトリクスパターンにおいて該点灯画素と非点灯画素とが市松模様を形成するように画素の点灯順序を設定された２値化ディザマトリクスパターンを用いて２値化し、その２値化結果に基づいて画像を形成することにより、モアレやアーティファクト（人工的な縞模様；Ａｒｔｉｆａｃｔ）を軽減することができる（請求項１〜請求項１０）。
【００１６】
（２）２値化ディザマトリクスパターンにおいて、２値化ディザマトリクスパターンにおける任意の画素に設定された点灯順序と、その画素が属する網点ドットに関する特定点を基準としてその画素に対して点対称の位置にある画素に設定された点灯順序とを入れ替えても、モアレやアーティファクトを軽減することができる。（請求項４）
（３）２値化ディザマトリクスパターンにおいて、点灯順序を設定された該矩形パターンを９０度もしくは２７０度回転させても、モアレやアーティファクトを軽減することができる。
【００１７】
（４）ルックアップテーブルを介して画像形成順序を変更しても、モアレやアーティファクトを軽減することができる（請求項５）。
【発明を実施するための最良の形態】
【００１８】
以下、図面を参照して本発明の実施の形態を説明する。
図１は本発明の一実施形態としての印刷装置におけるドット生成部１の要部を示すブロック図である。
本印刷装置は、多値画像を２値化ディザマトリクスパターン（２値化用パターン；詳細は後述）を用いて２値化することによって、色材のＯＮ／ＯＦＦを制御し、この２値化結果に基づいて画像を形成（印刷）するものである。本印刷装置は、多値画像を、紙やフィルム，印刷版等の表面に乗る色材の微少なドット（網点，網点ドット）の大小によって表現するようになっており、単位面積当たりのドットの面積比によって画像の濃度を表現するようになっている。
【００１９】
本印刷装置は、例えば、インクジェットプリンタ，レーザビームプリンタ，熱転写プリンタ，昇華型プリンタ，ＬＥＤプリンタ，印刷装置等の、印刷用紙等の媒体上に色材（トナーやインク等）を形成（打点）することにより画像を形成（印刷）するものであって、印刷媒体上に形成する色材（ドット）の面積によって多値画像（連続色調画像）の階調を再現するようになっている。
【００２０】
なお、本実施形態において２値化の処理の対象となる各画素はそれぞれ、例えば、０〜２５５のいずれかの値（多値）を有し、又、２値化（ハーフトーン化）処理後の各画素はそれぞれ０もしくは２５５のいずれかの値（２値）を有するものとする。このように定義しても一般性は失わないものである。
本印刷装置は、図示しないＣＰＵ（Central Processing Unit：中央処理装置），ＲＯＭ（Read Only Memory）およびＲＡＭ（Random Access Memory）をそなえて構成されている。ＲＯＭには、後述する、色演算部１０，階調特性変更部１３およびドットデータ生成部１４を実現するためのアプリケーションプログラム（２値化プログラム，印刷プログラム）が格納されており、ＣＰＵがＲＯＭから上記アプリケーションプログラムを実行することにより、色演算部１０，階調特性変更部１３，ドットデータ生成部１４としての機能（その詳細については後述）が実現され、本発明の印刷方法，印刷装置が実現されるようになっている。
【００２１】
ここで、コンピュータとは、ハードウェアとオペレーションシステムとを含む概念であり、オペレーションシステムの制御の下で動作するハードウェアを意味している。又、オペレーションシステムが不要でアプリケーションプログラム単独でハードウェアを動作させるような場合には、そのハードウェア自体がコンピュータに相当する。ハードウェアは少なくともＣＰＵ（Central Processing Unit：中央処理装置）等のマイクロプロセッサと、記録媒体に記録されたコンピュータプログラムを読み取るための手段とをそなえている。
【００２２】
なお、色演算部１０，階調特性変更部１３，ドットデータ生成部１４としての機能を実現するためのプログラム（２値化プログラム，印刷プログラム）は、例えばフレキシブルディスク，ＣＤ−ＲＯＭ，ＣＤ−Ｒ，ＣＤ−Ｒ／Ｗ，ＤＶＤ，ＤＶＤ−Ｒ，ＤＶＤ−Ｒ／Ｗ，磁気ディスク，光ディスク，光磁気ディスク等の、コンピュータ読取可能な記録媒体に記録された形態で提供される。そして、コンピュータはその記録媒体からプログラムを読み取って内部記憶装置または外部記憶装置に転送し格納して用いる。又、そのプログラムを、例えば磁気ディスク，光ディスク，光磁気ディスク等の記憶装置（記録媒体）に記録しておき、その記憶装置から通信経路を介してコンピュータに提供するようにしてもよい。
【００２３】
色演算部１０，階調特性変更部１３およびドットデータ生成部１４としての機能を実現する際には、内部記憶装置（本実施形態ではプリンタのＲＡＭやＲＯＭ）に格納されたプログラムがコンピュータのマイクロプロセッサ（本実施形態ではプリンタのＣＰＵ）によって実行される。このとき、記録媒体に記録されたプログラムをコンピュータが読み取って実行するようにしてもよい。
【００２４】
なお、本実施形態において、コンピュータとは、ハードウェアとオペレーティングシステムとを含む概念であり、オペレーティングシステムの制御の下で動作するハードウェアを意味している。又、オペレーティングシステムが不要でアプリケーションプログラム単独でハードウェアを動作させるような場合には、そのハードウェア自体がコンピュータに相当する。ハードウェアは、少なくとも、ＣＰＵ等のマイクロプロセッサと、記録媒体に記録されたコンピュータプログラムを読み取るための手段とをそなえており、本実施形態においては、印刷装置にそなえられた制御回路（図示省略）や、印刷装置に印刷用画像を提供する種々の情報処理装置がコンピュータとしての機能を有しているのである。
【００２５】
さらに、本実施形態における記録媒体としては、上述したフレキシブルディスク，ＣＤ−ＲＯＭ，ＣＤ−Ｒ，ＣＤ−Ｒ／Ｗ，ＤＶＤ，ＤＶＤ−Ｒ，ＤＶＤ−Ｒ／Ｗ，磁気ディスク，光ディスク，光磁気ディスクのほか、ＩＣカード，ＲＯＭカートリッジ，磁気テープ、パンチカード、コンピュータの内部記憶装置（ＲＡＭやＲＯＭなどのメモリ），外部記憶装置等や、バーコードなどの符号が印刷された印刷物等のコンピュータ読取可能な種々の媒体を利用することができる。
【００２６】
ドット生成部１は、多値画像の画像信号に基づいて紙やフィルム，印刷版等の表面にドットを生成するものであって、色演算部１０，画像信号メモリ（記憶領域）１１，パターンメモリ（２値化ディザマトリクスパターン設定部）１２，階調特性変更部１３，ドットデータ生成部（２値化処理部）１４および画像形成部１５をそなえて構成されている。
色演算部１０は、多値画像の画像信号に関する色演算を行なうものであって、入力された画像信号（例えば、０〜２５５の画素値で表わされる）に対して、色修正，階調補正，墨版形成，下色除去，鮮鋭度強調等の種々の処理を行なうものである。
【００２７】
画像信号メモリ１１は、色演算部１０によって処理された画像信号を記憶するものであって、多値画像を展開する記憶領域として機能するものである。
パターンメモリ１２は、図２に示すような２値化ディザマトリクスパターン（以下、２値化用パターンという場合もある）を格納するものである。なお、実際は、パターンメモリ１２やＲＡＭ（Random Access Memory），ＲＯＭ(Read Only Memory)，磁気記憶装置等の記憶媒体（図示せず）には２値化プログラムや印刷プログラムが格納されており、これによりパターンメモリ１２に２値化用パターン１２ａが格納されているものとみなすことができる。
【００２８】
図２は本発明の一実施形態の印刷装置において用いられる２値化用パターン（２値化ディザマトリクスパターン）を示す図である。２値化用パターン１２ａは、順次点灯される複数の画素をマトリクス状に配列して構成されたものであって、これらの各画素に色材（トナーやインク等）が形成（点灯）される順番（以下、この順番のことを点灯順序という）が設定されている。
【００２９】
具体的には、本印刷装置において用いられる２値化用パターン１２ａは、図２に示すように、５４行×５３列のマトリクス状に配列される２８６２個のピクセルによって構成された矩形パターンのうち、この矩形パターンの１行目を構成する１列目から３２列目および３５列目から５３列目、２行目を構成する１列目から３０行目および３６列目から５３列目、３行目を構成する１列目から２８列目および３６列目から５３列目、４行目を構成する１列目から２７列目および３７列目から５３列目、５行目を構成する１列目から２５列目および３７列目から５６列目、６行目を構成する１列目から２３列目および３８列目から５３列目、７行目を構成する１列目から２２列目および３９列目から５３列目、８行目を構成する１列目から２０列目および３９列目から５３列目、９行目を構成する１列目から１８列目および４０列目から５３列目、１０行目を構成する１列目から１７列目および４０列目から５３列目、１１行目を構成する１列目から１５列目および４１列目から５３列目、１２行目を構成する１列目から１３列目および４２列目から５３列目、１３行目を構成する１列目から１１列目および４２列目から５３列目、１４行目を構成する１列目から１０列目および４３列目から５３列目、１５行目を構成する１列目から８列目および４３列目から５３列目、１６行目を構成する１列目から６列目および４４列目から５３列目、１７行目を構成する１列目から５列目および４４列目から５３列目、１８行目を構成する１列目から３列目および４５列目から５３列目、１９行目を構成する１列目および４６列目から５３列目、２０行目を構成する４６列目から５３列目、２１行目を構成する４７行目から５３行目、２２行目を構成する１列目および４７行目から５３行目、２３行目を構成する１列目および４８列目から５３列目、２４行目を構成する１列目から２列目および４９列目から５３列目、２５行目を構成する１列目から２列目および４９列目から５３列目、２６行目を構成する１列目から３列目および５０列目から５３列目、２７行目を構成する１列目から４列目および５０列目から５３列目、２８行目を構成する１列目から４列目および５１列目から５３列目、２９行目を構成する１列目から５列目および５２列目から５３列目、３０行目を構成する１列目から５列目および５２列目から５３列目、３１行目を構成する１列目から６列目および５３列目、３２行目を構成する１列目から７列目および３５列目、３３行目を構成する１列目から７列目、３４行目を構成する１列目から８列目、３５行目を構成する１列目から８列目および５３列目、３６行目を構成する１列目から９列目および５１列目から５３列目、３７行目を構成する１列目から９列目および４９列目から５３列目、３８行目を構成する１列目から１０列目および４８列目から５３列目、３９行目を構成する１列目から１１列目および４６列目から５３列目、４０行目を構成する１列目から１１列目および４４列目から５３列目、４１行目を構成する１列目から１２列目および４３列目から５３列目、４２行目を構成する１列目から１２列目および４１列目から５３列目、４３行目を構成する１列目から１３列目および３９列目から５３列目、４４���目を構成する１列目から１４列目および３８列目から５３列目、４５行目を構成する１列目から１４列目および３６列目から５３列目、４６行目を構成する１列目から１５列目および３４列目から５３列目、４７行目を構成する１列目から１５行目および３２列目から５３列目、４８行目を構成する１列目から１６行目および３１列目から５３列目、４９行目を構成する１列目から１７列目および２９列目から５３列目、５０行目を構成する１列目から１７列目および２７列目から５３列目、５１行目を構成する１列目から１８列目および２６列目から５３列目、５２行目を構成する１列目から１８列目および２４列目から５３列目、５３行目を構成する１列目から１９列目および２２列目から５３列目、５４列目を構成する１列目から１９列目および２１列目から５３列目をそれぞれ切り欠いて構成された切欠パターンとして構成されている。
【００３０】
そして、２値化用パターン１２ａは、
（１）切欠パターンの１行目を構成する３３列目から３４列目の画素が、それぞれ、４０３，３９９番目に点灯され、
（２）切欠パターンの２行目を構成する３１列目から３５列目の画素が、それぞれ、４１１，４２７，４３５，４２３，３９５番目に点灯され、
（３）切欠パターンの３行目を構成する２９列目から３５列目の画素が、それぞれ、３９１，４４５，４６３，４８１，４７５，４５７，４２９番目に点灯され、
（４）切欠パターンの４行目を構成する２８列目から３６列目の画素が、それぞれ、４３７，４７７，４９５，５１７，５２３，５１５，４９１，４６７，４１５番目に点灯され、
（５）切欠パターンの５行目を構成する２６列目から３６列目の画素が、それぞれ、４１９，４７１，５１１，５３１，５５１，５６３，５６５，５５５，５３５，５０７，４５５番目に点灯され、
（６）切欠パターンの６行目を構成する２４列目から３７列目の画素が、それぞれ、４０７，４５３，５０５，５３９，５７１，５８７，５９９，６０７，６０３，５９５，５７５，５４７，４９９，４４３番目に点灯され、
（７）切欠パターンの７行目を構成する２３列目から３８列目の画素が、それぞれ、４４７，４８９，５２９，５６１，５９１，６２１，６３１，６４１，６５５，６３９，６２７，６１５，５８３，５４３，４８７，４０５番目に点灯され、
（８）切欠パターンの８行目を構成する２１列目から３８列目の画素が、それぞれ、４１７，４５９，５０１，５４５，５８１，６１１，６３７，６５９，６７１，６８３，６８７，６７９，６６３，６４３，６１９，５７９，５２７，４５１番目に点灯され、
（９）切欠パターンの９行目を構成する１９列目から３９列目の画素が、それぞれ、３９７，４３１，４６９，５０９，５４９，５８５，１６２３，６５３，６６９，６９１，７０３，７１１，７１５，７０７，６９５，６７５，６４９，６０９，５５９，５０３，４２１番目に点灯され、
（１０）切欠パターンの１０行目を構成する１８列目から３９列目の画素が、それぞれ、４０１，４２５，４６１，４９３，５３７，５７７，６１７，６５１，６７７，７０１，７２１，７２７，７３７，７４３，７３１，７２３，６９９，６６７，６３５，５９３，５４１，４７３番目に点灯され、
（１１）切欠パターンの１１行目を構成する１６列目から４０列目の画素が、それぞれ、３７６，３８０，４０９，４４１，４８３，５１９，５５７，５９７，６２９，６６５，６９７，７２５，７３９，７４９，７５５，７５７，７５１，７３５，７１９，６９３，６６１，６２５，５７３，５１３，４３９番目に点灯され、
（１２）切欠パターンの１２行目を構成する１４列目から４１列目の画素が、それぞれ、３６８，３５２，３４４，３５６，３８４，４３３，４８５，５２５，５６９，６０５，６４７，６８１，７０９，７３３，７５３，７６５，７６９，７６７，７６３，７４７，７２９，７０５，６７３，６３３，５８９，５３３，４７９，３９３番目に点灯され、
（１３）切欠パターンの１３行目を構成する１２列目から４１列目の画素が、それぞれ、３８８，３３４，３１６，２９８，３０４，３２２，３５０，４１３，４６５，５２１，５６７，６１３，６５７，６８９，７１７，７４５，７６１，７７３，７７７，７７５，７７１，７５９，７４１，７１３，６８５，６４５，６０１，５５３，４９７，４４９番目に点灯され、
（１４）切欠パターンの１４行目を構成する１１列目から４２列目の画素が、それぞれ、３４２，３０２，２８４，２６２，２５６，２６４，２８８，３１２，３６４，４４４，４９６，５５２，６００，６４２，６８４，７１２，７３８，７５８，７７０，７７８，７７６，７６８，７５６，７４０，７１６，６８８，６５６，６０８，５６０，５１８，４６４，４０８番目に点灯され、
（１５）切欠パターンの１５行目を構成する９列目から４２列目の画素が、それぞれ、３６０，３０８，２６８，２４８，２２８，２１６，２１４，２２４，２４４，２７２，３２４，３９２，４８４，５３４，５８８，６３２，６７２，７０４，７２８，７５０，７６６，７７４，７７２，７６４，７５２，７３２，７０８，６８０，６４０，６０４，５６６，５２４，４７４，４２８番目に点灯され、
（１６）切欠パターンの１６行目を構成する７列目から４３列目の画素が、それぞれ、３７２，３２６，２７４，２４０，２０８，１９２，１８０，１７２，１７６，１８４，２０４，２３２，２８０，３３６，４４０，５１２，５７２，６２４，６６０，６９２，７２２，７４２，７５４，７６２，７６０，７４８，７３６，７２４，６９６，６６４，６２８，５９６，５５４，５１６，４７２，４３６，４０２番目に点灯され、
（１７）切欠パターンの１７行目を構成する６列目から４３列目の画素が、それぞれ、３３２，２９０，２５０，２１８，１８８，１５８，１４８，１３８，１２４，１４０，１５２，１６４，１９６，２３６，２９２，３７４，４７６，５４０，５９２，６３８，６７０，７０２，７２６，７３４，７４６，７４４，７３０，７２０，７００，６７６，６４４，６１６，５７６，５３２，４９２，４５２，４２０，４００番目に点灯され、
（１８）切欠パターンの１８行目を構成する４列目から４４列目の画素が、それぞれ、３６２，３２０，２７８，２３４，１９８，１６８，１４２，１２０，１０８，９６，９２，１００，１１６，１３６，１６０，２００，２５２，３２８，４２２，５０６，５６４，６１４，６５４，６７８，６９８，７１０，７１８，７１４，７０６，６９４，６６８，６５２，６２０，５８４，５４８，５０８，４６８，４３２，３９４，３７６，３８０番目に点灯され、
（１９）切欠パターンの１９行目を構成する２列目から４５列目の画素が、それぞれ、，３８２，３４８，３１０，２７０，２３０，１９４，１５６，１２６，１１０，８８，７６，６８，６４，７２，８４，１０４，１３０，１７０，２２０，２７６，３５８，４６０，５３０，５８２，６２２，６５０，６６６，６８２，６９０，６８６，６７４，６６２，６３６，６１２，５８０，５４４，５００，４５６，４１６，３６８，３５２，３４４，３５６，３８４番目に点灯され、
（２０）切欠パターンの２０行目を構成する１列目から４５列目の画素が、それぞれ、３７８，３５４，３１８，２８６，２４２，２０２，１６２，１２８，１０２，７８，５８，５２，４２，３６，４８，５６，８０，１１２，１４４，１８６，２３８，３０６，４１２，４９０，５４６，５８６，６１８，６３０，６４６，６５８，６４８，６３４，６２６，５９４，５６２，５２８，４８８，４４８，３８８，３３４，３１６，２９８，３０４，３２２，３５０番目に点灯され、
（２１）切欠パターンの２１行目を構成する１列目から４６列目の画素が、それぞれ、３７０，３３８，２９６，２６０，２２２，１８２，１５０，１１４，８２，５４，４０，３０，２４，２２，２８，４４，６０，８６，１１８，１５４，２０６，２６６，３４０，４５０，５０２，５５０，５７８，５９８，６０６，６１０，６０２，５９０，５７４，５４２，５０４，４５８，４１０，３４２，３０２，２８４，２６２，２５６，２６４，２８８，３１２，３６４番目に点灯され、
（２２）切欠パターンの２２行目を構成する２列目から４６列目の画素が、それぞれ、３４６，２９４，２５４，２１０，１７４，１３２，９８，７０，４６，２６，１４，１０，１２，１６，３２，５０，７４，１０６，１４６，１９０，２４６，３００，３８６，４６２，５１０，５３８，５５８，５７０，５６８，５５６，５３６，５１４，４７８，４２４，３６０，３０８，２６８，２４８，２２８，２１６，２１４，２２４，２４４，２７２，３２４番目に点灯され、
（２３）切欠パターンの２３行目を構成する２列目から４７列目の画素が、それぞれ、３６６，３１４，２５８，２１２，１６６，１２２，９０，６２，３４，１８，６，２，４，８，２０，３８，６６，９４，１３４，１７８，２２６，２８２，３３０，４１８，４７０，４９４，５２０，５２６，５２２，４９８，４８６，４４２，３７２，３２６，２７４，２４０，２０８，１９２，１８０，１７２，１７６，１８４，２０４，２３２，２８０，３３６番目に点灯され、
（２４）切欠パターンの２４行目を構成する３列目から４８列目の画素が、それぞれ、３３５，２８３，２２７，１７９，１３７，９５，６７，４１，２１，９，１，３，１１，２３，３９，６３，９１，１２３，１７１，２１９，２６１，３１５，３７１，４３４，４５４，４８０，４８２，４６６，４４６，３９６，３３２，２９０，２５０，２１８，１８８，１５８，１４８，１３８，１２４，１４０，１５２，１６４，１９６，２３６，２９２，３７４番目に点灯され、
（２５）切欠パターンの２５行目を構成する３列目から４８列目の画素が、それぞれ、３８７，２９５，２４５，１９１，１４７，１０７，７５，５１，２９，１３，５，７，１５，２７，４７，７１，９９，１３９，１７５，２１３，２５５，３０５，３５１，３９８，４２６，４３８，４３０，４１４，３６２，３２０，２７８，２３４，１９８，１６８，１４２，１２０，１０８，９６，９２，１００，１１６，１３６，１６０，２００，２５２，３２８番目に点灯され、
（２６）切欠パターンの２６行目を構成する４列目から４９列目の画素が、それぞれ、３３９，２６７，２０７，１５５，１１９，８７，５７，３７，２５，１７，１９，３１，４３，５５，８３，１１５，１５１，１８３，２２５，２６３，３０７，３４３，３７７，４０４，４０６，３８２，３４８，３１０，２７０，２３０，１９４，１５６，１２６，１１０，８８，７６，６８，６４，７２，８４，１０４，１３０，１７０，２２０，２７６，３５８番目に点灯され、
（２７）切欠パターンの２７行目を構成する５列目から４９列目の画素が、それぞれ、３０３，２３９，１８７，１４１，１０９，７７，５３，４５，３３，３５，４９，５９，７９，１０３，１３５，１６３，２０３，２４７，２８７，３２７，３５９，３７９，３９０，３７８，３５４，３１８，２８６，２４２，２０２，１６２，１２８，１０２，７８，５８，５２，４２，３６，４８，５６，８０，１１２，１４４，１８６，２３８，３０６番目に点灯され、
（２８）切欠パターンの２８行目を構成する５列目から５０列目の画素が、それぞれ、３５７，２７３，２１５，１６５，１２５，１０１，８１，６９，６１，６５，７３，８５，１１１，１２７，１５９，１９５，２３１，２７１，３１１，３４７，３８５，４０３，３９９，３７０，３３８，２９６，２６０，２２２，１８２，１５０，１１４，８２，５４，４０，３０，２４，２２，２８，４４，６０，８６，１１８，１５４，２０６，２６６，３４０番目に点灯され、
（２９）切欠パターンの２９行目を構成する６列目から５１列目の画素が、それぞれ、３１９，２４９，１９７，１５７，１２９，１１３，９７，８９，９３，１０５，１１７，１４３，１６７，１９９，２３５，２７９，３２３，３６３，４１１，４２７，４３５，４２３，３９５，３４６，２９４，２５４，２１０，１７４，１３２，９８，７０，４６，２６，１４，１０，１２，１６，３２，５０，７４，１０６，１４６，１９０，２４６，３００，３８６番目に点灯され、
（３０）切欠パターンの３０行目を構成する６列目から５１列目の画素が、それぞれ、３６７，２８９，２３３，１９３，１６１，１４９，１３３，１２１，１３１，１４５，１５３，１８５，２１７，２５１，２９１，３３１，３９１，４４５，４６３，４８１，４７５，４５７，４２９，３６６，３１４，２５８，２１２，１６６，１２２，９０，６２，３４，１８，６，２，４，８，２０，３８，６６，９４，１３４，１７８，２２６，２８２，３３０番目に点灯され、
（３１）切欠パターンの３１行目を構成する７列目から５２列目の画素が、それぞれ、３２９，２７７，２２９，２０１，１８１，１７３，１６９，１７７，１８９，２０５，２３７，２７５，３２１，３６９，４３７，４７７，４９５，５１７，５２３，５１５，４９１，４６７，４１５，３３５，２８３，２２７，１７９，１３７，９５，６７，４１，２１，９，１，３，１１，２３，３９，６３，９１，１２３，１７１，２１９，２６１，３１５，３７１，番目に点灯され、
（３２）切欠パターンの３２行目を構成する８列目から５２列目の画素が、それぞれ、３１７，２６９，２４１，２２１，２０９，２１１，２２３，２４３，２６５，３０１，３５５，４１９，４７１，５１１，５３１，５５１，５６３，５６５，５５５，５３５，５０７，４５５，３８７，２９５，２４５，１９１，１４７，１０７，７５，５１，２９，１３，５，７，１５，２７，４７，７１，９９，１３９，１７５，２１３，２５５，３０５，３５１番目に点灯され、
（３３）切欠パターンの３３行目を構成する８列目から５３列目の画素が、それぞれ、３６１，３０９，２８５，２５９，２５３，２５７，２８１，２９３，３３７，４０７，４５３，５０５，５３９，５７１，５８７，５９９，６０７，６０３，５９５，５７５，５４７，４９９，４４３，３３９，２６７，２０７，１５５，１１９，８７，５７，３７，２５，１７，１９，３１，４３，５５，８３，１１５，１５１，１８３，２２５，２６３，３０７，３４３，３７７番目に点灯され、
（３４）切欠パターンの３４行目を構成する９列目から５３列目の画素が、それぞれ、３４５，３２５，２９９，２９７，３１３，３３３，３８３，４４７，４８９，５２９，５６１，５９１，６２１，６３１，６４１，６５５，６３９，６２７，６１５，５８３，５４３，４８７，４０５，３０３，２３９，１８７，１４１，１０９，７７，５３，４５，３３，３５，４９，５９，７９，１０３，１３５，１６３，２０３，２４７，２８７，３２７，３５９，３７９番目に点灯され、
（３５）切欠パターンの３５行目を構成する９列目から５２列目の画素が、それぞれ、３８１，３５３，３４１，３４９，３６５，４１７，４５９，５０１，５４５，５８１，６１１，６３７，６５９，６７１，６８３，６８７，６７９，６６３，６４３，６１９，５７９，５２７，４５１，３５７，２７３，２１５，１６５，１２５，１０１，８１，６９，６１，６５，７３，８５，１１１，１２７，１５９，１９５，２３１，２７１，３１１，３４７，３８５番目に点灯され、
（３６）切欠パターンの３６行目を構成する１０列目から５０列目の画素が、それぞれ、３７５，３７３，３９７，４３１，４６９，５０９，５４９，５８５，６２３，６５３，６６９，６９１，７０３，７１１，７１５，７０７，６９５，６７５，６４９，６０９，５５９，５０３，４２１，３１９，２４９，１９７，１５７，１２９，１１３，９７，８９，９３，１０５，１１７，１４３，１６７，１９９，２３５，２７９，３２３，３６３番目に点灯され、
（３７）切欠パターンの３７行目を構成する１０列目から４８列目の画素が、それぞれ、３８９，４０１，４２５，４６１，４９３，５３７，５７７，６１７，６５１，６７７，７０１，７２１，７２７，７３７，７４３，７３１，７２３，６９９，６６７，６３５，５９３，５４１，４７３，３６７，２８９，２３３，１９３，１６１，１４９，１３３，１２１，１３１，１４５，１５３，１８５，２１７，２５１，２９１，３３１番目に点灯され、
（３８）切欠パターンの３８行目を構成する１１列目から４７列目の画素が、それぞれ、４０９，４４１，４８３，５１９，５５７，５９７，６２９，６６５，６９７，７２５，７３９，７４９，７５５，７５７，７５１，７３５，７１９，６９３，６６１，６２５，５７３，５１３，４３９，３２９，２７７，２２９，２０１，１８１，１７３，１６９，１７７，１８９，２０５，２３７，２７５，３２１，３６９番目に点灯され、
（３９）切欠パターンの３９行目を構成する１２列目から４５列目の画素が、それぞれ、４３３，４８５，５２５，５６９，６０５，６４７，６８１，７０９，７３３，７５３，７６５，７６９，７６７，７６３，７４７，７２９，７０５，６７３，６３３，５８９，５３３，４７９，３９３，３１７，２６９，２４１，２２１，２０９，２１１，２２３，２４３，２６５，３０１，３５５番目に点灯され、
（４０）切欠パターンの４０行目を構成する１２列目から４３列目の画素が、それぞれ、４１３，４６５，５２１，５６７，６１３，６５７，６８９，７１７，７４５，７６１，７７３，７７７，７７５，７７１，７５９，７４１，７１３，６８５，６４５，６０１，５５３，４９７，４４９，３６１，３０９，２８５，２５９，２５３，２５７，２８１，２９３，３３７番目に点灯され、
（４１）切欠パターンの４１行目を構成する１３列目から４２列目の画素が、それぞれ、４４４，４９６，５５２，６００，６４２，６８４，７１２，７３８，７５８，７７０，７７８，７７６，７６８，７５６，７４０，７１６，６８８，６５６，６０８，５６０，５１８，４６４，４０８，３４５，３２５，２９９，２９７，３１３，３３３，３８３番目に点灯され、
（４２）切欠パターンの４２行目を構成する１３列目から４０列目の画素が、それぞれ、３９２，４８４，５３４，５８８，６３２，６７２，７０４，７２８，７５０，７６６，７７４，７７２，７６４，７５２，７３２，７０８，６８０，６４０，６０４，５６６，５２４，４７４，４２８，３８１，３５３，３４１，３４９，３６５番目に点灯され、
（４３）切欠パターンの４３行目を構成する１４列目から３８列目の画素が、それぞれ、４４０，５１２，５７２，６２４，６６０，６９２，７２２，７４２，７５４，７６２，７６０，７４８，７３６，７２４，６９６，６６４，６２８，５９６，５５４，５１６，４７２，４３６，４０２，３７５，３７３番目に点灯され、
（４４）切欠パターンの４４行目を構成する１５列目から３７列目の画素が、それぞれ、４７６，５４０，５９２，６３８，６７０，７０２，７２６，７３４，７４６，７４４，７３０，７２０，７００，６７６，６４４，６１６，５７６，５３２，４９２，４５２，４２０，４００，３８９番目に点灯され、
（４５）切欠パターンの４５行目を構成する１５列目から３５列目の画素が、それぞれ、４２２，５０６，５６４，６１４，６５４，６７８，６９８，７１０，７１８，７１４，７０６，６９４，６６８，６５２，６２０，５８４，５４８，５０８，４６８，４３２，３９４番目に点灯され、
（４６）切欠パターンの４６行目を構成する１６列目から３３列目の画素が、それぞれ、４６０，５３０，５８２，６２２，６５０，６６６，６８２，６９０，６８６，６７４，６６２，６３６，６１２，５８０，５４４，５００，４５６，４１６番目に点灯され、
（４７）切欠パターンの４７行目を構成する１６列目から３１列目の画素が、それぞれ、４１２，４９０，５４６，５８６，６１８，６３０，６４６，６５８，６４８，６３４，６２６，５９４，５６２，５２８，４８８，４４８番目に点灯され、
（４８）切欠パターンの４８行目を構成する１７列目から３０列目の画素が、それぞれ、４５０，５０２，５５０，５７８，５９８，６０６，６１０，６０２，５９０，５７４，５４２，５０４，４５８，４１０番目に点灯され、
（４９）切欠パターンの４９行目を構成する１８列目から２８列目の画素が、それぞれ、４６２，５１０，５３８，５５８，５７０，５６８，５５６，５３６，５１４，４７８，４２４番目に点灯され、
（５０）切欠パターンの５０行目を構成する１８列目から２６列目の画素が、それぞれ、４１８，４７０，４９４，５２０，５２６，５２２，４９８，４８６，４４２番目に点灯され、
（５１）切欠パターンの５１行目を構成する１９列目から２５列目の画素が、それぞれ、４３４，４５４，４８０，４８２，４６６，４４６，３９６番目に点灯され、
（５２）切欠パターンの５２行目を構成する１９列目から２３列目の画素が、それぞれ、３９８，４２６，４３８，４３０，４１４番目に点灯され、
（５３）切欠パターンの５３行目を構成する２０列目から２１列目の画素が、それぞれ、４０４，４０６番目に点灯され、
（５４）切欠パターンの５４行目を構成する２０列目の画素が、３９０番目に点灯されるように、該１５５６個のピクセルの点灯順序が設定されている。
【００３１】
そして、この２値化用パターン１２ａにおいては、図２に示すように、そのほぼ図心位置Ｃに関して点対称の位置に複数の特定点（拡散特定点）Ｐ１，Ｐ２をそなえ、これらの特定点Ｐ１，Ｐ２に近い画素から順に、点灯画素に隣接する該画素を優先的に点灯させることによって、それぞれ連続的な網点ドットが生成されるようになっており、これにより集中型のディザが形成されるようになっている。
【００３２】
図３は図２に示した２値化用パターンを構成するほぼ半数の画素まで（点灯順序１〜３９０）順番に点灯させた状態を示す図である。なお、この図３中においては、点灯画素に斜線を付して示している。この図３に示すように、２値化用パターン１２ａは、その特定点Ｐ１，Ｐ２から、それぞれ、互いに同一形状のドット（網点ドット）がそれぞれ順番に成長するように点灯順序が設定されており、この２値化用パターン１２ａを構成するほぼ半数の画素まで順番（図３においては点灯順序１〜３９０によって）に点灯させた際に、この２値化用パターン１２ａにおいて点灯画素と非点灯画素（非点灯ピクセル）とが市松模様を形成するようになっている。
【００３３】
また、この２値化用パターン１２ａにおいては、特定点Ｐ１，Ｐ２にそれぞれ最も近く、且つ、点灯済の画素（点灯画素）がある場合にはこの点灯画素に隣接する未点灯画素を点灯した後、基本パターン１２１の特定点を基準として点対称の位置に対応する画素を点灯させることにより、ドットがほぼ円形に成長するように点灯順序が設定されている。
これらの図２，図３に示す２値化用パターン１２ａにおいては、数値の小さい方から大きい方に順番に色材が載せられるようになっている。これにより、特定点Ｐ１，Ｐ２を中心としてほぼ円形にドットが成長し、２値化用パターン１２ａが、ドット集中型の２値化用パターン（２値化ディザマトリクスパターン；ディザパターン）として機能するのである。
【００３４】
また、２値化用パターン１２ａにおいては、図２に示すように、そのほぼ図心位置Ｃに関して点対称の位置であって、前述した特定点Ｐ１，Ｐ２とは異なる位置に複数の特定点（収束特定点）Ｐ３，Ｐ４をそなえている。これらの特定点Ｐ３，Ｐ４は、それぞれ２値化用パターン１２ａにおいて、図心位置Ｃを中心として、特定点Ｐ１，Ｐ２を略９０度もしくは２７０度回転した位置に設けられており、これらの特定点Ｐ３，Ｐ４は、図３に示すように２値化用パターン１２ａを構成するほぼ半数の画素まで順番（図３においては点灯順序１〜３９０によって）に点灯させた状態、すなわち、２値化用パターン１２ａにおいて特定点Ｐ１，Ｐ２をそれぞれ含んだ網点ドット（点灯画素）と、これらの網点ドット以外の画素（非点灯画素）によって市松模様が形成された状態で、その非点灯画素によって形成された各領域のほぼ中央にそれぞれ位置するようになっている。
【００３５】
そして、２値化用パターン１２ａにおいては、２値化用パターン１２ａを構成するほぼ半数の画素（図３においては点灯順序１〜３９０が付された画素）まで順番に点灯させた状態以降、すなわち、２値化用パターン１２ａにおいて特定点Ｐ１，Ｐ２をそれぞれ含んだ網点ドット（点灯画素）と、これらの網点ドット以外の画素（非点灯画素）とによって市松模様が形成された以降においては、特定点Ｐ３，Ｐ４から最も遠い非点灯画素から順番に特定点Ｐ３，Ｐ４に近づくように画素の点灯順序が設定されているのである。
【００３６】
すなわち、２値化用パターン１２ａにおいて、最も大きい点灯順序が付された画素（点灯順序７７８が付された画素）から点灯順序が小さい画素に向かって降順に画素を点灯させた場合には、最も小さい点灯順序が付された画素から点灯順序が大きい画素（点灯順序７７８が付された画素）に向かって昇順に画素を点灯させた場合と比較して、２値化用パターン１２ａにおいて、そのほぼ図心位置Ｃを中心として略９０度もしくは略２７０度回転した位置から網点ドットが発生し成長するようになっている。
【００３７】
このように、２値化用パターン１２ａは、特定点Ｐ１，Ｐ２をそれぞれ中心として網点ドットが発生・成長（拡散）するように画素に点灯順序が設定された領域と、特定点Ｐ３，Ｐ３から遠いところから特定点Ｐ３，Ｐ４に向かって集約（収束）するようにそれぞれ網点ドットが発生・成長するように画素に点灯順序が設定された領域とをそなえて構成されており、これらの４つの領域を２値化用パターン１２ａ中に交互に配置することによって市松模様が形成されているのである。
【００３８】
従って、本２値化用パターン１２ａは、最も大きい点灯順序が付された画素（点灯順序７７８が付された画素）から点灯順序が小さい画素に向かって降順に画素を点灯させるように使用しても、最も小さい点灯順序が付された画素から点灯順序が大きい画素（点灯順序７７８が付された画素）に向かって昇順に画素を点灯させるように使用しても同様の作用・効果を得ることができるのである。以下、本実施形態においては、便宜上、最も小さい点灯順序が付された画素から点灯順序が大きい画素に向かって昇順に画素を点灯させる場合について説明する。
【００３９】
また、この２値化用パターン１２ａは、その縦方向（行方向）および横方向（列方向）に隙間が生じないように繰り返し並べることができるようになっている。
なお、このような２値化用パターン１２ａを用いることにより、印刷を行なう多値画像（原画像）を構成する各画素の画素値（例えば０〜２５５）を、７７８段階（階調）で表すことができる。
【００４０】
そして、この２値化用パターン１２ａにおいては、特定点Ｐ１を中心とするドット（網点ドット）と、特定点Ｐ２を中心とするドット（網点ドット）との２つのドットが発生し成長するようになっている。
階調特性変更部１３は、画像信号における各画素の画素値を予めそなえられた一次元ルックアップテーブル（図４参照）に基づいて変換するものである。図４は本発明の一実施形態としての印刷装置において用いられる一次元ルックアップテーブルの例を示す図であり、７７８階調を２５５階調に変換するための一次元ルックアップテーブルを部分的に抜粋して示すものである。
【００４１】
階調特性変更部１３は、この図４に示すような一次元ルックアップテーブルに基づいて画像信号の画素値を変換してドットデータ生成部１２に渡すようになっており、これにより点灯順序を変更するようになっている。
そして、この一次元ルックアップテーブルの値を任意に変更することにより、変換前の画像を任意の階調に変換したり（階調変換）、画像の特性（階調特性）を任意に変更することができるのである。なお、この階調特性変更部１３がルックアップテーブルに基づいて点灯順序を変更する点灯順序変更部として機能するようになっている。
【００４２】
なお、このルックアップテーブルを用いて、２値化用パターン１２ａを構成する複数の画素に対して同時に色材を定着させるようにしてもよく、又、色材を定着させないようにしてもよい。
また、かかるルックアップテーブルに基づく点灯順序の変更に際して、色材が既に色材を定着させた（点灯済の）画素に隣接するように点灯順序を設定することにより、色材が定着し易くなり印刷品質を向上させることができる。
【００４３】
さらに、本実施形態においては階調特性変更部１３によって画像信号の画素値を変換しているが、これに限定するものではなく、本発明の趣旨を逸脱しない範囲で種々変更して実施することができる。例えば、階調特性変更部１３は、図４に示す以外のルックアップテーブルによって画素値の変更を行なってもよく、又、階調特性変更部１３による画素値の変更を行なわないようにしてもよい。
【００４４】
ドットデータ生成部（２値化処理部）１４は、階調特性変更部１３から入力される画像信号を、パターンメモリ１２に記録されている２値化用パターン１２ａを用いて２値化して、画像形成部１５によってドットを印刷するためのデータ（ドットデータ）を生成するものである。
具体的には、ドットデータ生成部１４は、画像信号の画素値（例えば０〜２５５）を予め設定された閾値と比較して、２値化用パターン１２ａにおいて点灯すべき画素数を求めた後、２値化用パターン１２ａに設定された点灯順序に従って、求めた画素数と一致するまで点灯させるようなドットデータを生成する。
【００４５】
すなわち、ドットデータ生成部１４は、２値化用パターン１２ａに設定された点灯順序に従って、点灯順序の開始画素（図２中では、点灯順序として１が設定された画素）から、求めた画素数と一致する点灯順番が設定された画素までを該点灯順序に従って（昇順に）選択する（点灯させる）ことにより、色材を形成する画素を決定し、この情報に基づいてドットデータを生成するようになっている。
【００４６】
画像形成部１５は、ドットデータ生成部１４によって生成されたドットデータを印刷するものである。例えば、静電印刷方式の印刷装置においては、露光装置等がこの画像形成部１５として機能するようになっており、この場合には、ドットデータ生成部１４により、露光用データがドットデータとして生成される。
すなわち、画像信号メモリ１１に展開された多値画像をドットデータ生成部１４によって２値化し、画像形成部１５が、この２値化結果に基づいて画像を形成するようになっている。
【００４７】
上述の構成により、本発明の一実施形態の印刷装置は、予め、パターンメモリ１２に、図２に示すような２値化用パターン１２ａを用意しておき（用意ステップ）、ドット生成部１において、入力された画像信号を色演算部１０によって色修正，階調補正，墨版形成，下色除去，鮮鋭度強調等の種々の処理を行なった後、これらの処理を行った画像信号を画像信号メモリ１１に展開する（多値画像を記憶領域に展開する展開ステップ）。又、印刷装置は、画像信号メモリ１１に展開された画像信号に対して、必要に応じて階調特性変更部１３によって画素値の変換を行なう。
【００４８】
そして、ドットデータ生成部１４が、パターンメモリ１２に記録された２値化用パターン１２ａを用いて画像信号を２値化し（２値化ステップ）、ドットデータを作成して画像形成部１５に入力する。
図５および図６はそれぞれ本発明の一実施形態としての印刷装置における２値化処理を説明するための図であって、図２に示す２値化パターン１２ａの特定点Ｐ１の周辺部分を部分的に抽出することにより色材を形成する画素を決定する過程の例を示す図である。図５は２値化用パターン１２ａにおいて５つの画素を点灯させた例を示しており、図６は２値化パターン１２ａにおいて２０個の画素を点灯させた例を示している。これらの図５および図６においては、２値化パターン１２ａにおいて選択した（点灯させた）画素に○を付して示している。
【００４９】
ドットデータ生成部１４は、これらの図５，図６に示すように、２値化パターン１２ａにおける、点灯順序の開始画素から所定の点灯順番が設定された画素までを点灯順序に従って（本実施形態においては、数字の小さいものから大きいものにかけて昇順に）選択することにより、色材を形成する画素を決定し、ドットデータを作成する。そして、画像形成部１５は、この作成されたドットデータに従って画像の形成（印刷）を行なう（画像形成ステップ）。
【００５０】
このように、本発明の一実施形態としての印刷装置（２値化ディザマトリクスパターン）によれば、ドット集中型の印刷を行なうことができ、この際、モアレやアーティファクト（人工的な縞模様；Ａｒｔｉｆａｃｔ）の少ない画像を印刷することができる。
そして、本発明は上述した実施形態に限定されるものではなく、本発明の趣旨を逸脱しない範囲で種々変形して実施することができる。
【００５１】
例えば、上記実施形態では、ドットデータ生成部１４が、図２に示した２値化用パターン１２ａを用いて２値化処理を行なっているがそれに限定されるものではなく、本発明の趣旨を逸脱しない範囲で種々変更して実施することができる。
図７は本発明の一実施形態の印刷装置において用いられる２値化用パターンの変形例を示す図であり、ドットデータ生成部１４は、この図７に示す２値化用パターン１２ｂを用いて２値化処理を行なってもよい。なお、２値化用パターン１２ｂを用いることにより、印刷を行なう多値画像（原画像）を構成する各画素の画素値（例えば、０〜２５５）を、それぞれ１５５６段階（階調）で表すことができる。
【００５２】
図７に示す２値化用パターン１２ｂは、図２に示した２値化用パターン１２ａにおいて同一の点灯順序が生じないように作成したものであって、各画素に互いに異なる点灯順序（１〜１５５６）を設定して作成したものである。
具体的には、２値化用パターン１２ｂは、図７に示すように、５４行×５３列のマトリクス状に配列される２８６２個の画素によって構成された矩形パターンのうち、この矩形パターンの１行目を構成する１列目から３２列目および３５列目から５３列目、２行目を構成する１列目から３０行目および３６列目から５３列目、３行目を構成する１列目から２８列目および３６列目から５３列目、４行目を構成する１列目から２７列目および３７列目から５３列目、５行目を構成する１列目から２５列目および３７列目から５６列目、６行目を構成する１列目から２３列目および３８列目から５３列目、７行目を構成する１列目から２２列目および３９列目から５３列目、８行目を構成する１列目から２０列目および３９列目から５３列目、９行目を構成する１列目から１８列目および４０列目から５３列目、１０行目を構成する１列目から１７列目および４０列目から５３列目、１１行目を構成する１列目から１５列目および４１列目から５３列目、１２行目を構成する１列目から１３列目および４２列目から５３列目、１３行目を構成する１列目から１１列目および４２列目から５３列目、１４行目を構成する１列目から１０列目および４３列目から５３列目、１５行目を構成する１列目から８列目および４３列目から５３列目、１６行目を構成する１列目から６列目および４４列目から５３列目、１７行目を構成する１列目から５列目および４４列目から５３列目、１８行目を構成する１列目から３列目および４５列目から５３列目、１９行目を構成する１列目および４６列目から５３列目、２０行目を構成する４６列目から５３列目、２１行目を構成する４７行目から５３行目、２２行目を構成する１列目および４７行目から５３行目、２３行目を構成する１列目および４８列目から５３列目、２４行目を構成する１列目から２列目および４９列目から５３列目、２５行目を構成する１列目から２列目および４９列目から５３列目、２６行目を構成する１列目から３列目および５０列目から５３列目、２７行目を構成する１列目から４列目および５０列目から５３列目、２８行目を構成する１列目から４列目および５１列目から５３列目、２９行目を構成する１列目から５列目および５２列目から５３列目、３０行目を構成する１列目から５列目および５２列目から５３列目、３１行目を構成する１列目から６列目および５３列目、３２行目を構成する１列目から７列目および３５列目、３３行目を構成する１列目から７列目、３４行目を構成する１列目から８列目、３５行目を構成する１列目から８列目および５３列目、３６行目を構成する１列目から９列目および５１列目から５３列目、３７行目を構成する１列目から９列目および４９列目から５３列目、３８行目を構成する１列目から１０列目および４８列目から５３列目、３９行目を構成する１列目から１１列目および４６列目から５３列目、４０行目を構成する１列目から１１列目および４４列目から５３列目、４１行目を構成する１列目から１２列目および４３列目から５３列目、４２行目を構成する１列目から１２列目および４１列目から５３列目、４３行目を構成する１列目から１３列目および３９列目から５３列目、４４行目を構成する１列目から１４列目���よび３８列目から５３列目、４５行目を構成する１列目から１４列目および３６列目から５３列目、４６行目を構成する１列目から１５列目および３４列目から５３列目、４７行目を構成する１列目から１５行目および３２列目から５３列目、４８行目を構成する１列目から１６行目および３１列目から５３列目、４９行目を構成する１列目から１７列目および２９列目から５３列目、５０行目を構成する１列目から１７列目および２７列目から５３列目、５１行目を構成する１列目から１８列目および２６列目から５３列目、５２行目を構成する１列目から１８列目および２４列目から５３列目、５３行目を構成する１列目から１９列目および２２列目から５３列目、５４列目を構成する１列目から１９列目および２１列目から５３列目をそれぞれ切り欠いて構成された切欠パターンとして構成されており、更に、
（１）切欠パターンの１行目を構成する３３列目から３４列目の画素が、それぞれ、８０５，７９７番目に点灯され、
（２）切欠パターンの２行目を構成する３１列目から３５列目の画素が、それぞれ、８２１，８５３，８６９，８４５，７８９番目に点灯され、
（３）切欠パターンの３行目を構成する２９列目から３５列目の画素が、それぞれ、７８１，８８９，９２５，９６１，９４９，９１３，８５７番目に点灯され、
（４）切欠パターンの４行目を構成する２８列目から３６列目の画素が、それぞれ、８７３，９５３，９８９，１０３３，１０４５，１０２９，９８１，９３３，８２９番目に点灯され、
（５）切欠パターンの５行目を構成する２６列目から３６列目の画素が、それぞれ、８３７，９４１，１０２１，１０６１，１１０１，１１２５，１１２９，１１０９，１０６９，１０１３，９０９番目に点灯され、
（６）切欠パターンの６行目を構成する２４列目から３７列目の画素が、それぞれ、８１３，９０５，１００９，１０７７，１１４１，１１７３，１１９７，１２１３，１２０５，１１８９，１１４９，１０９３，９９７，８８５番目に点灯され、
（７）切欠パターンの７行目を構成する２３列目から３８列目の画素が、それぞれ、８９３，９７７，１０５７，１１２１，１１８１，１２４１，１２６１，１２８１，１３０９，１２７７，１２５３，１２２９，１１６５，１０８５，９７３，８０９番目に点灯され、
（８）切欠パターンの８行目を構成する２１列目から３８列目の画素が、それぞれ、８３３，９１７，１００１，１０８９，１１６１，１２２１，１２７３，１３１７，１３４１，１３６５，１３７３，１３５７，１３２５，１２８５，１２３７，１１５７，１０５３，９０１番目に点灯され、
（９）切欠パターンの９行目を構成する１９列目から３９列目の画素が、それぞれ、７９３，８６１，９３７，１０１７，１０９７，１１６９，１２４５，１３０５，１３３７，１３８１，１４０５，１４２１，１４２９，１４１３，１３８９，１３４９，１２９７，１２１７，１１１７，１００５，８４１番目に点灯され、
（１０）切欠パターンの１０行目を構成する１８列目から３９列目の画素が、それぞれ、８０１，８４９，９２１，９８５，１０７３，１１５３，１２３３，１３０１，１３５３，１４０１，１４４１，１４５３，１４７３，１４８５，１４６１，１４４５，１３９７，１３３３，１２６９，１１８５，１０８１，９４５番目に点灯され、
（１１）切欠パターンの１１行目を構成する１６列目から４０列目の画素が、それぞれ、７５１，７５９，８１７，８８１，９６５，１０３７，１１１３，１１９３，１２５７，１３２９，１３９３，１４４９，１４７７，１４９７，１５０９，１５１３，１５０１，１４６９，１４３７，１３８５，１３２１，１２４９，１１４５，１０２５，８７７番目に点灯され、
（１２）切欠パターンの１２行目を構成する１４列目から４１列目の画素が、それぞれ、７３５，７０３，６８７，７１１，７６７，８６５，９６９，１０４９，１１３７，１２０９，１２９３，１３６１，１４１７，１４６５，１５０５，１５２９，１５３７，１５３３，１５２５，１４９３，１４５７，１４０９，１３４５，１２６５，１１７７，１０６５，９５７，７８５番目に点灯され、
（１３）切欠パターンの１３行目を構成する１２列目から４１列目の画素が、それぞれ、７７５，６６７，６３１，５９５，６０７，６４３，６９９，８２５，９２９，１０４１，１１３３，１２２５，１３１３，１３７７，１４３３，１４８９，１５２１，１５４５，１５５３，１５４９，１５４１，１５１７，１４８１，１４２５，１３６９，１２８９，１２０１，１１０５，９９３，８９７番目に点灯され、
（１４）切欠パターンの１４行目を構成する１１列目から４２列目の画素が、それぞれ、６８３，６０３，５６７，５２３，５１１，５２７，５７５，６２３，７２７，８８７，９９１，１１０３，１１９９，１２８３，１３６７，１４２３，１４７５，１５１５，１５３９，１５５５，１５５１，１５３５，１５１１，１４７９，１４３１，１３７５，１３１１，１２１５，１１１９，１０３５，９２７，８１５番目に点灯され、
（１５）切欠パターンの１５行目を構成する９列目から４２列目の画素が、それぞれ、７１９，６１５，５３５，４９５，４５５，４３１，４２７，４４７，４８７，５４３，６４７，７８３，９６７，１０６７，１１７５，１２６３，１３４３，１４０７，１４５５，１４９９，１５３１，１５４７，１５４３，１５２７，１５０３，１４６３，１４１５，１３５９，１２７９，１２０７，１１３１，１０４７，９４７，８５５番目に点灯され、
（１６）切欠パターンの１６行目を構成する７列目から４３列目の画素が、それぞれ、７４３，６５１，５４７，４７９，４１５，３８３，３５９，３４３，３５１，３６７，４０７，４６３，５５９，６７１，８７９，１０２３，１１４３，１２４７，１３１９，１３８３，１４４３，１４８３，１５０７，１５２３，１５１９，１４９５，１４７１，１４４７，１３９１，１３２７，１２５５，１１９１，１１０７，１０３１，９４３，８７１，８０３番目に点灯され、
（１７）切欠パターンの１７行目を構成する６列目から４３列目の画素が、それぞれ、６６３，５７９，４９９，４３５，３７５，３１５，２９５，２７５，２４７，２７９，３０３，３２７，３９１，４７１，５８３，７４７，９５１，１０７９，１１８３，１２７５，１３３９，１４０３，１４５１，１４６７，１４９１，１４８７，１４５９，１４３９，１３９９，１３５１，１２８７，１２３１，１１５１，１０６３，９８３，９０３，８３９，７９９番目に点灯され、
（１８）切欠パターンの１８行目を構成する４列目から４４列目の画素が、それぞれ、７２３，６３９，５５５，４６７，３９５，３３５，２８３，２３９，２１５，１９１，１８３，１９９，２３１，２７１，３１９，３９９，５０３，６５５，８４３，１０１１，１１２７，１２２７，１３０７，１３５５，１３９５，１４１９，１４３５，１４２７，１４１１，１３８７，１３３５，１３０３，１２３９，１１６７，１０９５，１０１５，９３５，８６３，７８７，７５２，７６０番目に点灯され、
（１９）切欠パターンの１９行目を構成する２列目から４５列目の画素が、それぞれ、７６３，６９５，６１９，５３９，４５９，３８７，３１１，２５１，２１９，１７５，１５１，１３５，１２７，１４３，１６７，２０７，２５９，３３９，４３９，５５１，７１５，９１９，１０５９，１１６３，１２４３，１２９９，１３３１，１３６３，１３７９，１３７１，１３４７，１３２３，１２７１，１２２３，１１５９，１０８７，９９９，９１１，８３１，７３６，７０４，６８８，７１２，７６８番目に点灯され、
（２０）切欠パターンの２０行目を構成する１列目から４５列目の画素が、それぞれ、７５５，７０７，６３５，５７１，４８３，４０３，３２３，２５５，２０３，１５５，１１５，１０３，８３，７１，９５，１１１，１５９，２２３，２８７，３７１，４７５，６１１，８２３，９７９，１０９１，１１７１，１２３５，１２５９，１２９１，１３１５，１２９５，１２６７，１２５１，１１８７，１１２３，１０５５，９７５，８９５，７７６，６６８，６３２，５９６，６０８，６４４，７００番目に点灯され、
（２１）切欠パターンの２１行目を構成する１列目から４６列目の画素が、それぞれ、７３９，６７５，５９１，５１９，４４３，３６３，２９９，２２７，１６３，１０７，７９，５９，４７，４３，５５，８７，１１９，１７１，２３５，３０７，４１１，５３１，６７９，８９９，１００３，１０９９，１１５５，１１９５，１２１１，１２１９，１２０３，１１７９，１１４７，１０８３，１００７，９１５，８１９，６８４，６０４，５６８，５２４，５１２，５２８，５７６，６２４，７２８番目に点灯され、
（２２）切欠パターンの２２行目を構成する２列目から４６列目の画素が、それぞれ、６９１，５８７，５０７，４１９，３４７，２６３，１９５，１３９，９１，５１，２７，１９，２３，３１，６３，９９，１４７，２１１，２９１，３７９，４９１，５９９，７７１，９２３，１０１９，１０７５，１１１５，１１３９，１１３５，１１１１，１０７１，１０２７，９５５，８４７，７２０，６１６，５３６，４９６，４５６，４３２，４２８，４４８，４８８，５４４，６４８番目に点灯され、
（２３）切欠パターンの２３行目を構成する２列目から４７列目の画素が、それぞれ、７３１，６２７，５１５，４２３，３３１，２４３，１７９，１２３，６７，３５，１１，３，７，１５，３９，７５，１３１，１８７，２６７，３５５，４５１，５６３，６５９，８３５，９３９，９８７，１０３９，１０５１，１０４３，９９５，９７１，８８３，７４４，６５２，５４８，４８０，４１６，３８４，３６０，３４４，３５２，３６８，４０８，４６４，５６０，６７２番目に点灯され、
（２４）切欠パターンの２４行目を構成する３列目から４８列目の画素が、それぞれ、６６９，５６５，４５３，３５７，２７３，１８９，１３３，８１，４１，１７，１，５，２１，４５，７７，１２５，１８１，２４５，３４１，４３７，５２１，６２９，７４１，８６７，９０７，９５９，９６３，９３１，８９１，７９１，６６４，５８０，５００，４３６，３７６，３１６，２９６，２７６，２４８，２８０，３０４，３２８，３９２，４７２，５８４，７４８番目に点灯され、
（２５）切欠パターンの２５行目を構成する３列目から４８列目の画素が、それぞれ、７７３，５８９，４８９，３８１，２９３，２１３，１４９，１０１，５７，２５，９，１３，２９，５３，９３，１４１，１９７，２７７，３４９，４２５，５０９，６０９，７０１，７９５，８５１，８７５，８５９，８２７，７２４，６４０，５５６，４６８，３９６，３３６，２８４，２４０，２１６，１９２，１８４，２００，２３２，２７２，３２０，４００，５０４，６５６番目に点灯され、
（２６）切欠パターンの２６行目を構成する４列目から４９列目の画素が、それぞれ、６７７，５３３，４１３，３０９，２３７，１７３，１１３，７３，４９，３３，３７，６１，８５，１０９，１６５，２２９，３０１，３６５，４４９，５２５，６１３，６８５，７５３，８０７，８１１，７６４，６９６，６２０，５４０，４６０，３８８，３１２，２５２，２２０，１７６，１５２，１３６，１２８，１４４，１６８，２０８，２６０，３４０，４４０，５５２，７１６番目に点灯され、
（２７）切欠パターンの２７行目を構成する５列目から４９列目の画素が、それぞれ、６０５，４７７，３７３，２８１，２１７，１５３，１０５，８９，６５，６９，９７，１１７，１５７，２０５，２６９，３２５，４０５，４９３，５７３，６５３，７１７，７５７，７７９，７５６，７０８，６３６，５７２，４８４，４０４，３２４，２５６，２０４，１５６，１１６，１０４，８４，７２，９６，１１２，１６０，２２４，２８８，３７２，４７６，６１２番目に点灯され、
（２８）切欠パターンの２８行目を構成する５列目から５０列目の画素が、それぞれ、７１３，５４５，４２９，３２９，２４９，２０１，１６１，１３７，１２１，１２９，１４５，１６９，２２１，２５３，３１７，３８９，４６１，５４１，６２１，６９３，７６９，８０６，７９８，７４０，６７６，５９２，５２０，４４４，３６４，３００，２２８，１６４，１０８，８０，６０，４８，４４，５６，８８，１２０，１７２，２３６，３０８，４１２，５３２，６８０番目に点灯され、
（２９）切欠パターンの２９行目を構成する６列目から５１列目の画素が、それぞれ、６３７，４９７，３９３，３１３，２５７，２２５，１９３，１７７，１８５，２０９，２３３，２８５，３３３，３９７，４６９，５５７，６４５，７２５，８２２，８５４，８７０，８４６，７９０，６９２，５８８，５０８，４２０，３４８，２６４，１９６，１４０，９２，５２，２８，２０，２４，３２，６４，１００，１４８，２１２，２９２，３８０，４９２，６００，７７２番目に点灯され、
（３０）切欠パターンの３０行目を構成する６列目から５１列目の画素が、それぞれ、７３３，５７７，４６５，３８５，３２１，２９７，２６５，２４１，２６１，２８９，３０５，３６９，４３３，５０１，５８１，６６１，７８２，８９０，９２６，９６２，９５０，９１４，８５８，７３２，６２８，５１６，４２４，３３２，２４４，１８０，１２４，６８，３６，１２，４，８，１６，４０，７６，１３２，１８８，２６８，３５６，４５２，５６４，６６０番目に点灯され、
（３１）切欠パターンの３１行目を構成する７列目から５２列目の画素が、それぞれ、６５７，５５３，４５７，４０１，３６１，３４５，３３７，３５３，３７７，４０９，４７３，５４９，６４１，７３７，８７４，９５４，９９０，１０３４，１０４６，１０３０，９８２，９３４，８３０，６７０，５６６，４５４，３５８，２７４，１９０，１３４，８２，４２，１８，２，６，２２，４６，７８，１２６，１８２，２４６，３４２，４３８，５２２，６３０，７４２番目に点灯され、
（３２）切欠パターンの３２行目を構成する８列目から５２列目の画素が、それぞれ、６３３，５３７，４８１，４４１，４１７，４２１，４４５，４８５，５２９，６０１，７０９，８３８，９４２，１０２２，１０６２，１１０２，１１２６，１１３０，１１１０，１０７０，１０１４，９１０，７７４，５９０，４９０，３８２，２９４，２１４，１５０，１０２，５８，２６，１０，１４，３０，５４，９４，１４２，１９８，２７８，３５０，４２６，５１０，６１０，７０２番目に点灯され、
（３３）切欠パターンの３３行目を構成する８列目から５３列目の画素が、それぞれ、７２１，６１７，５６９，５１７，５０５，５１３，５６１，５８５，６７３，８１４，９０６，１０１０，１０７８，１１４２，１１７４，１１９８，１２１４，１２０６，１１９０，１１５０，１０９４，９９８，８８６，６７８，５３４，４１４，３１０，２３８，１７４，１１４，７４，５０，３４，３８，６２，８６，１１０，１６６，２３０，３０２，３６６，４５０，５２６，６１４，６８６，７５４番目に点灯され、
（３４）切欠パターンの３４行目を構成する９列目から５３列目の画素が、それぞれ、６８９，６４９，５９７，５９３，６２５，６６５，７６５，８９４，９７８，１０５８，１１２２，１１８２，１２４２，１２６２，１２８２，１３１０，１２７８，１２５４，１２３０，１１６６，１０８６，９７４，８１０，６０６，４７８，３７４，２８２，２１８，１５４，１０６，９０，６６，７０，９８，１１８，１５８，２０６，２７０，３２６，４０６，４９４，５７４，６５４，７１８，７５８番目に点灯され、
（３５）切欠パターンの３５行目を構成する９列目から５２列目の画素が、それぞれ、７６１，７０５，６８１，６９７，７２９，８３４，９１８，１００２，１０９０，１１６２，１２２２，１２７４，１３１８，１３４２，１３６６，１３７４，１３５８，１３２６，１２８６，１２３８，１１５８，１０５４，９０２，７１４，５４６，４３０，３３０，２５０，２０２，１６２，１３８，１２２，１３０，１４６，１７０，２２２，２５４，３１８，３９０，４６２，５４２，６２２，６９４，７７０番目に点灯され、
（３６）切欠パターンの３６行目を構成する１０列目から５０列目の画素が、それぞれ、７４９，７４５，７９４，８６２，９３８，１０１８，１０９８，１１７０，１２４６，１３０６，１３３８，１３８２，１４０６，１４２２，１４３０，１４１４，１３９０，１３５０，１２９８，１２１８，１１１８，１００６，８４２，６３８，４９８，３９４，３１４，２５８，２２６，１９４，１７８，１８６，２１０，２３４，２８６，３３４，３９８，４７０，５５８，６４６，７２６番目に点灯され、
（３７）切欠パターンの３７行目を構成する１０列目から４８列目の画素が、それぞれ、７７７，８０２，８５０，９２２，９８６，１０７４，１１５４，１２３４，１３０２，１３５４，１４０２，１４４２，１４５４，１４７４，１４８６，１４６２，１４４６，１３９８，１３３４，１２７０，１１８６，１０８２，９４６，７３４，５７８，４６６，３８６，３２２，２９８，２６６，２４２，２６２，２９０，３０６，３７０，４３４，５０２，５８２，６６２番目に点灯され、
（３８）切欠パターンの３８行目を構成する１１列目から４７列目の画素が、それぞれ、８１８，８８２，９６６，１０３８，１１１４，１１９４，１２５８，１３３０，１３９４，１４５０，１４７８，１４９８，１５１０，１５１４，１５０２，１４７０，１４３８，１３８６，１３２２，１２５０，１１４６，１０２６，８７８，６５８，５５４，４５８，４０２，３６２，３４６，３３８，３５４，３７８，４１０，４７４，５５０，６４２，７３８番目に点灯され、
（３９）切欠パターンの３９行目を構成する１２列目から４５列目の画素が、それぞれ、８６６，９７０，１０５０，１１３８，１２１０，１２９４，１３６２，１４１８，１４６６，１５０６，１５３０，１５３８，１５３４，１５２６，１４９４，１４５８，１４１０，１３４６，１２６６，１１７８，１０６６，９５８，７８６，６３４，５３８，４８２，４４２，４１８，４２２，４４６，４８６，５３０，６０２，７１０番目に点灯され、
（４０）切欠パターンの４０行目を構成する１２列目から４３列目の画素が、それぞれ、８２６，９３０，１０４２，１１３４，１２２６，１３１４，１３７８，１４３４，１４９０，１５２２，１５４６，１５５４，１５５０，１５４２，１５１８，１４８２，１４２６，１３７０，１２９０，１２０２，１１０６，９９４，８９８，７２２，６１８，５７０，５１８，５０６，５１４，５６２，５８６，６７４番目に点灯され、
（４１）切欠パターンの４１行目を構成する１３列目から４２列目の画素が、それぞれ、８８８，９９２，１１０４，１２００，１２８４，１３６８，１４２４，１４７６，１５１６，１５４０，１５５６，１５５２，１５３６，１５１２，１４８０，１４３２，１３７６，１３１２，１２１６，１１２０，１０３６，９２８，８１６，６９０，６５０，５９８，５９４，６２６，６６６，７６６番目に点灯され、
（４２）切欠パターンの４２行目を構成する１３列目から４０列目の画素が、それぞれ、７８４，９６８，１０６８，１１７６，１２６４，１３４４，１４０８，１４５６，１５００，１５３２，１５４８，１５４４，１５２８，１５０４，１４６４，１４１６，１３６０，１２８０，１２０８，１１３２，１０４８，９４８，８５６，７６２，７０６，６８２，６９８，７３０番目に点灯され、
（４３）切欠パターンの４３行目を構成する１４列目から３８列目の画素が、それぞれ、８８０，１０２４，１１４４，１２４８，１３２０，１３８４，１４４４，１４８４，１５０８，１５２４，１５２０，１４９６，１４７２，１４４８，１３９２，１３２８，１２５６，１１９２，１１０８，１０３２，９４４，８７２，８０４，７５０，７４６番目に点灯され、
（４４）切欠パターンの４４行目を構成する１５列目から３７列目の画素が、それぞれ、９５２，１０８０，１１８４，１２７６，１３４０，１４０４，１４５２，１４６８，１４９２，１４８８，１４６０，１４４０，１４００，１３５２，１２８８，１２３２，１１５２，１０６４，９８４，９０４，８４０，８００，７７８番目に点灯され、
（４５）切欠パターンの４５行目を構成する１５列目から３５列目の画素が、それぞれ、８４４，１０１２，１１２８，１２２８，１３０８，１３５６，１３９６，１４２０，１４３６，１４２８，１４１２，１３８８，１３３６，１３０４，１２４０，１１６８，１０９６，１０１６，９３６，８６４，７８８番目に点灯され、
（４６）切欠パターンの４６行目を構成する１６列目から３３列目の画素が、それぞれ、９２０，１０６０，１１６４，１２４４，１３００，１３３２，１３６４，１３８０，１３７２，１３４８，１３２４，１２７２，１２２４，１１６０，１０８８，１０００，９１２，８３２番目に点灯され、
（４７）切欠パターンの４７行目を構成する１６列目から３１列目の画素が、それぞれ、８２４，９８０，１０９２，１１７２，１２３６，１２６０，１２９２，１３１６，１２９６，１２６８，１２５２，１１８８，１１２４，１０５６，９７６，８９６番目に点灯され、
（４８）切欠パターンの４８行目を構成する１７列目から３０列目の画素が、それぞれ、９００，１００４，１１００，１１５６，１１９６，１２１２，１２２０，１２０４，１１８０，１１４８，１０８４，１００８，９１６，８２０番目に点灯され、
（４９）切欠パターンの４９行目を構成する１８列目から２８列目の画素が、それぞれ、９２４，１０２０，１０７６，１１１６，１１４０，１１３６，１１１２，１０７２，１０２８，９５６，８４８番目に点灯され、
（５０）切欠パターンの５０行目を構成する１８列目から２６列目の画素が、それぞれ、８３６，９４０，９８８，１０４０，１０５２，１０４４，９９６，９７２，８８４番目に点灯され、
（５１）切欠パターンの５１行目を構成する１９列目から２５列目の画素が、それぞれ、８６８，９０８，９６０，９６４，９３２，８９２，７９２番目に点灯され、
（５２）切欠パターンの５２行目を構成する１９列目から２３列目の画素が、それぞれ、７９６，８５２，８７６，８６０，８２８番目に点灯され、
（５３）切欠パターンの５３行目を構成する２０列目から２１列目の画素が、それぞれ、８０８，８１２番目に点灯され、
（５４）切欠パターンの５４行目を構成する２０列目の画素が、７８０番目に点灯されるように、１５５６個の画素の点灯順序が設定されている。
【００５３】
この２値化用パターン１２ｂも、図７に示すように、そのほぼ図心位置Ｃに関して点対称の位置に複数の特定点Ｐ１，Ｐ２がそなえており、これらの特定点Ｐ１，Ｐ２に近い画素から順に、点灯画素に隣接する該画素を優先的に点灯させることによって、それぞれ連続的な網点ドットが生成されるようになっており、これにより集中型のディザが形成されるようになっている。
【００５４】
そして、図８は図７に示した２値化用パターンを構成するほぼ半数の画素まで（点灯順序１〜７７９）順番に点灯させた状態を示す図である。なお、この図８中においては、点灯画素に斜線を付して示している。この図８に示すように、２値化用パターン１２ｂも２値化用パターン１２ａと同様に、その特定点Ｐ１，Ｐ２から、それぞれ、互いに同一形状のドット（網点ドット）がそれぞれ順番に成長するように点灯順序が設定されており、この２値化用パターン１２ｂを構成するほぼ半数の画素（図８においては点灯順序１〜７７９が付された画素）まで順番に点灯させた際に、この２値化用パターン１２ｂにおいて点灯画素と非点灯画素（非点灯ピクセル）とが市松模様を形成するようになっている。
【００５５】
また、この２値化用パターン１２ｂにおいても、特定点Ｐ１，Ｐ２にそれぞれ最も近く、且つ、点灯済の画素（点灯画素）がある場合にはこの点灯画素に隣接する未点灯画素を点灯した後、基本パターン１２１の特定点を基準として点対称の位置に対応する画素を点灯させることにより、ドットがほぼ円形に成長するように点灯順序が設定されている。
これらの図７，図８に示す２値化用パターン１２ｂにおいても、数値の小さい方から大きい方に順番に色材が載せられるようになっており、これにより、特定点Ｐ１，Ｐ２を中心としてほぼ円形にドットが成長し、２値化用パターン１２ｂが、ドット集中型の２値化用パターン（２値化ディザマトリクスパターン；ディザパターン）として機能するのである。
【００５６】
また、２値化用パターン１２ｂにおいても、図７に示すように、そのほぼ図心位置Ｃに関して点対称の位置であって、前述した特定点Ｐ１，Ｐ２とは異なる位置に複数の特定点Ｐ３，Ｐ４をそなえている。これらの特定点Ｐ３，Ｐ４は、それぞれ２値化用パターン１２ｂにおいて、図心位置Ｃを中心として、特定点Ｐ１，Ｐ２を略９０度もしくは２７０度回転した位置に設けられている。そして、これらの特定点Ｐ３，Ｐ４は、図８に示すように２値化用パターン１２ｂを構成するほぼ半数の画素（図８においては点灯順序１〜７７９が付された画素）まで順番に点灯させた状態、すなわち、２値化用パターン１２ｂにおいて特定点Ｐ１，Ｐ２をそれぞれ含んだ網点ドット（点灯画素）と、これらの網点ドット以外の画素（非点灯画素）とによって市松模様が形成された状態で、その非点灯画素によって形成された各領域のほぼ中央にそれぞれ位置するようになっている。
【００５７】
そして、２値化用パターン１２ｂにおいては、２値化用パターン１２ｂを構成するほぼ半数の画素（図３においては点灯順序１〜７７９が付された画素）まで順番に点灯させた状態以降、すなわち、２値化用パターン１２ｂにおいて特定点Ｐ１，Ｐ２をそれぞれ含んだ網点ドット（点灯画素）と、これらの網点ドット以外の画素（非点灯画素）とによって市松模様が形成された以降においては、特定点Ｐ３，Ｐ４から最も遠い非点灯画素から順番に特定点Ｐ３，Ｐ４に近づくように画素の点灯順序が設定されているのである。
【００５８】
すなわち、２値化用パターン１２ｂにおいて、最も大きい点灯順序が付された画素（点灯順序１５５６が付された画素）から点灯順序が小さい画素に向かって降順に画素を点灯させた場合には、最も小さい点灯順序が付された画素から点灯順序が大きい画素（点灯順序１５５６が付された画素）に向かって昇順に画素を点灯させた場合と比較して、２値化用パターン１２ｂにおいて、そのほぼ図心位置Ｃを中心として略９０度回転した位置から網点ドットが発生し成長するようになっている。
【００５９】
このように、２値化用パターン１２ｂも２値化用パターン１２ａと同様に、特定点Ｐ１，Ｐ２をそれぞれ中心として網点ドットが発生・成長するように画素に点灯順序が設定された領域と、特定点Ｐ３，Ｐ３から遠いところから特定点Ｐ３，Ｐ４に向かって集約するようにそれぞれ網点ドットが発生・成長するように画素に点灯順序が設定された領域とをそなえて構成されており、これらの４つの領域を２値化用パターン１２ｂ中に交互に配置することによって市松模様が形成されているのである。
【００６０】
従って、本２値化用パターン１２ｂは、最も大きい点灯順序が付された画素（点灯順序１５５６が付された画素）から点灯順序が小さい画素に向かって降順に画素を点灯させるように使用しても、最も小さい点灯順序が付された画素から点灯順序が大きい画素（点灯順序１５５６が付された画素）に向かって昇順に画素を点灯させるように使用しても同様の作用・効果を得ることができるのである。以下、本実施形態においては、便宜上、最も小さい点灯順序が付された画素から点灯順序が大きい画素に向かって昇順に画素を点灯させる場合について説明する。
【００６１】
また、この２値化用パターン１２ｂも、２値化用パターン１２ａと同様に、その縦方向（行方向）および横方向（列方向）に隙間が生じないように繰り返し並べることができるようになっている。
なお、このような２値化用パターン１２ｂを用いることにより、印刷を行なう多値画像（原画像）を構成する各画素の画素値（例えば０〜２５５）を、１５５６段階（階調）で表すことができる。
【００６２】
そして、この２値化用パターン１２ｂにおいても、特定点Ｐ１を中心とするドットと、特定点Ｐ２を中心とするドットとの２つのドットが形成されるようになっている。
また、上述した２値化用パターン１２ａ，１２ｂにおいては、点灯順序が小さいものから大きいものに向かって順番に色材を定着させるようになっているが、これに限定されるものではなく、上述した各２値化用パターン１２ａ，１２ｂとは反対に点灯順序を設定し、点灯順序が小さいものから大きいものに向かって順番に色材を定着させてもよい。
【００６３】
なお、上述した各２値化用パターン１２ａ，１２ｂにおいて、任意の画素に設定された点灯順序と、この任意の画素が属する網点ドットに関する特定点Ｐ１，Ｐ２，Ｐ３，Ｐ４を基準として点対称の位置にある画素に設定された点灯順序とを入れ替えてもよい。具体的には、２値化用パターン１２ａ，１２ｂにおける任意の画素に設定された点灯順序を、その２値化用パターン１２ａ，１２ｂにおける特定点Ｐ１，Ｐ２，Ｐ３，Ｐ４のうち、その画素に最も近い位置にある特定点Ｐ１，Ｐ２，Ｐ３，Ｐ４を基準として点対称の位置にある画素に設定された点灯順序と入れ替えても、同様の作用・効果を得ることができるのである。
【００６４】
なお、２値化用パターン１２ａ，１２ｂにおいて、当該２値化用パターン１２ａ，１２ｂを構成するほぼ半数の画素（図３においては点灯順序１〜７７９が付された画素）まで順番に点灯させた状態、すなわち、２値化用パターン１２ａ，１２ｂにおいて特定点Ｐ１，Ｐ２をそれぞれ含んだ網点ドット（点灯画素）と、これらの網点ドット以外の画素（非点灯画素）とによって市松模様が形成された状態で、その２値化用パターン１２ａ，１２ｂ中の任意の画素が点灯画素である場合には、その画素が属する網点ドットの中心となっている特定点Ｐ１もしくは特定点Ｐ２が上述した点対称の基準となるものであり、その２値化用パターン１２ａ，１２ｂ中の任意の画素が非点灯画素である場合には、その画素が属する非点灯画素の集合の中心となっている特定点Ｐ３もしくは特定点Ｐ３が上述した点対称の基準となるものであるということができる。
【００６５】
また、上述のごとき２値化用パターン１２ｂを用いた場合においても、前述した２値化用パターン１２ａを用いて行なった手法と同様の処理を行なうことにより、ドットデータ生成部１４は、２値化パターン１２ｂにおける、点灯順序の開始画素から所定の点灯順番が設定された画素までを点灯順序に従って選択して、色材を形成する画素を決定し、ドットデータを作成する。そして、画像形成部１５は、この作成されたドットデータに従って画像の形成（印刷）を行なう（画像形成ステップ）のである。
【００６６】
これにより、２値化用パターン１２ｂを用いた場合においても、２値化用パターン１２ａを用いた場合と同様の作用・効果を得ることができる。
すなわち、２値化ディザマトリクスパターンとして、１２ａ，１２ｂのいずれを用いても、本発明の印刷方法，印刷装置，印刷プログラム，２値化プログラム、およびこれらの印刷プログラムもしくは２値化プログラムを記録したコンピュータ読取可能な記録媒体を実現することができる。
【００６７】
さらに、上述した色演算部１０，画像信号メモリ１１，階調特性変更部１３，パターンメモリ１２およびドットデータ生成部１４は、本印刷装置外部（例えば、本印刷装置に接続するコンピュータ等（図示省略））にそなえてもよく、このコンピュータがプログラム（前述した２値化用パターン１２ａ，１２ｂを作成するプログラムを含む）を実行することにより、色演算部１０，画像信号メモリ１１，階調特性変更部１３，パターンメモリ１２およびドットデータ生成部１４のうち少なくとも一部の機能を実現してもよい。
【００６８】
なお、本発明の各実施形態が開示されていれば、当業者によって本装置を製造することが可能であり、更には、本方法の実施も可能である。
そして、本発明の印刷方法，印刷システム，印刷装置，２値化ディザマトリクスパターン，印刷プログラム，２値化プログラムおよびこれらのプログラムを記録したコンピュータ読取可能な記録媒体は以下に示すように要約することができる。
【００６９】
（付記１）  多値画像を記憶領域に展開する展開ステップと、
該記憶領域に展開された多値画像を、２値化ディザマトリクスパターンに基づいて２値化し、その２値化結果に基づいて画像を形成する画像形成ステップとをそなえ、
該２値化ディザマトリクスパターンが、
順次点灯される複数の画素をマトリクス状に配列して構成され、
当該２値化ディザマトリクスパターンのほぼ図心位置に関して点対称の位置に複数の特定点をそなえ、当該特定点に近い該画素から順に、点灯画素に隣接する該画素を優先的に点灯させることによって、それぞれ連続的な網点ドットを生成し、
当該２値化ディザマトリクスパターンを構成するほぼ半数の画素まで順番に点灯させた際に、当該２値化ディザマトリクスパターンにおいて該点灯画素と非点灯画素とが市松模様を形成するものであることを特徴とする、印刷方法。
【００７０】
（付記２）  該２値化ディザマトリクスパターンが、５４行×５３列のマトリクス状に配列される２８６２個の画素によって構成された矩形パターンのうち、当該矩形パターンの１行目を構成する１列目から３２列目および３５列目から５３列目、２行目を構成する１列目から３０行目および３６列目から５３列目、３行目を構成する１列目から２８列目および３６列目から５３列目、４行目を構成する１列目から２７列目および３７列目から５３列目、５行目を構成する１列目から２５列目および３７列目から５６列目、６行目を構成する１列目から２３列目および３８列目から５３列目、７行目を構成する１列目から２２列目および３９列目から５３列目、８行目を構成する１列目から２０列目および３９列目から５３列目、９行目を構成する１列目から１８列目および４０列目から５３列目、１０行目を構成する１列目から１７列目および４０列目から５３列目、１１行目を構成する１列目から１５列目および４１列目から５３列目、１２行目を構成する１列目から１３列目および４２列目から５３列目、１３行目を構成する１列目から１１列目および４２列目から５３列目、１４行目を構成する１列目から１０列目および４３列目から５３列目、１５行目を構成する１列目から８列目および４３列目から５３列目、１６行目を構成する１列目から６列目および４４列目から５３列目、１７行目を構成する１列目から５列目および４４列目から５３列目、１８行目を構成する１列目から３列目および４５列目から５３列目、１９行目を構成する１列目および４６列目から５３列目、２０行目を構成する４６列目から５３列目、２１行目を構成する４７行目から５３行目、２２行目を構成する１列目および４７行目から５３行目、２３行目を構成する１列目および４８列目から５３列目、２４行目を構成する１列目から２列目および４９列目から５３列目、２５行目を構成する１列目から２列目および４９列目から５３列目、２６行目を構成する１列目から３列目および５０列目から５３列目、２７行目を構成する１列目から４列目および５０列目から５３列目、２８行目を構成する１列目から４列目および５１列目から５３列目、２９行目を構成する１列目から５列目および５２列目から５３列目、３０行目を構成する１列目から５列目および５２列目から５３列目、３１行目を構成する１列目から６列目および５３列目、３２行目を構成する１列目から７列目および３５列目、３３行目を構成する１列目から７列目、３４行目を構成する１列目から８列目、３５行目を構成する１列目から８列目および５３列目、３６行目を構成する１列目から９列目および５１列目から５３列目、３７行目を構成する１列目から９列目および４９列目から５３列目、３８行目を構成する１列目から１０列目および４８列目から５３列目、３９行目を構成する１列目から１１列目および４６列目から５３列目、４０行目を構成する１列目から１１列目および４４列目から５３列目、４１行目を構成する１列目から１２列目および４３列目から５３列目、４２行目を構成する１列目から１２列目および４１列目から５３列目、４３行目を構成する１列目から１３列目および３９列目から５３列目、４４行目を構成する１列目から１４列目および３��列目から５３列目、４５行目を構成する１列目から１４列目および３６列目から５３列目、４６行目を構成する１列目から１５列目および３４列目から５３列目、４７行目を構成する１列目から１５行目および３２列目から５３列目、４８行目を構成する１列目から１６行目および３１列目から５３列目、４９行目を構成する１列目から１７列目および２９列目から５３列目、５０行目を構成する１列目から１７列目および２７列目から５３列目、５１行目を構成する１列目から１８列目および２６列目から５３列目、５２行目を構成する１列目から１８列目および２４列目から５３列目、５３行目を構成する１列目から１９列目および２２列目から５３列目、５４列目を構成する１列目から１９列目および２１列目から５３列目をそれぞれ切り欠いて構成された切欠パターンとして構成され、
当該切欠パターンの１行目を構成する３３列目から３４列目の画素が、それぞれ、４０３，３９９番目に点灯され、
当該切欠パターンの２行目を構成する３１列目から３５列目の画素が、それぞれ、４１１，４２７，４３５，４２３，３９５番目に点灯され、
当該切欠パターンの３行目を構成する２９列目から３５列目の画素が、それぞれ、３９１，４４５，４６３，４８１，４７５，４５７，４２９番目に点灯され、
当該切欠パターンの４行目を構成する２８列目から３６列目の画素が、それぞれ、４３７，４７７，４９５，５１７，５２３，５１５，４９１，４６７，４１５番目に点灯され、
当該切欠パターンの５行目を構成する２６列目から３６列目の画素が、それぞれ、４１９，４７１，５１１，５３１，５５１，５６３，５６５，５５５，５３５，５０７，４５５番目に点灯され、
当該切欠パターンの６行目を構成する２４列目から３７列目の画素が、それぞれ、４０７，４５３，５０５，５３９，５７１，５８７，５９９，６０７，６０３，５９５，５７５，５４７，４９９，４４３番目に点灯され、
当該切欠パターンの７行目を構成する２３列目から３８列目の画素が、それぞれ、４４７，４８９，５２９，５６１，５９１，６２１，６３１，６４１，６５５，６３９，６２７，６１５，５８３，５４３，４８７，４０５番目に点灯され、
当該切欠パターンの８行目を構成する２１列目から３８列目の画素が、それぞれ、４１７，４５９，５０１，５４５，５８１，６１１，６３７，６５９，６７１，６８３，６８７，６７９，６６３，６４３，６１９，５７９，５２７，４５１番目に点灯され、
当該切欠パターンの９行目を構成する１９列目から３９列目の画素が、それぞれ、３９７，４３１，４６９，５０９，５４９，５８５，１６２３，６５３，６６９，６９１，７０３，７１１，７１５，７０７，６９５，６７５，６４９，６０９，５５９，５０３，４２１番目に点灯され、
当該切欠パターンの１０行目を構成する１８列目から３９列目の画素が、それぞれ、４０１，４２５，４６１，４９３，５３７，５７７，６１７，６５１，６７７，７０１，７２１，７２７，７３７，７４３，７３１，７２３，６９９，６６７，６３５，５９３，５４１，４７３番目に点灯され、
当該切欠パターンの１１行目を構成する１６列目から４０列目の画素が、それぞれ、３７６，３８０，４０９，４４１，４８３，５１９，５５７，５９７，６２９，６６５，６９７，７２５，７３９，７４９，７５５，７５７，７５１，７３５，７１９，６９３，６６１，６２５，５７３，５１３，４３９番目に点灯され、
当該切欠パターンの１２行目を構成する１４列目から４１列目の画素が、それぞれ、３６８，３５２，３４４，３５６，３８４，４３３，４８５，５２５，５６９，６０５，６４７，６８１，７０９，７３３，７５３，７６５，７６９，７６７，７６３，７４７，７２９，７０５，６７３，６３３，５８９，５３３，４７９，３９３番目に点灯され、
当該切欠パターンの１３行目を構成する１２列目から４１列目の画素が、それぞれ、３８８，３３４，３１６，２９８，３０４，３２２，３５０，４１３，４６５，５２１，５６７，６１３，６５７，６８９，７１７，７４５，７６１，７７３，７７７，７７５，７７１，７５９，７４１，７１３，６８５，６４５，６０１，５５３，４９７，４４９番目に点灯され、
当該切欠パターンの１４行目を構成する１１列目から４２列目の画素が、それぞれ、３４２，３０２，２８４，２６２，２５６，２６４，２８８，３１２，３６４，４４４，４９６，５５２，６００，６４２，６８４，７１２，７３８，７５８，７７０，７７８，７７６，７６８，７５６，７４０，７１６，６８８，６５６，６０８，５６０，５１８，４６４，４０８番目に点灯され、
当該切欠パターンの１５行目を構成する９列目から４２列目の画素が、それぞれ、３６０，３０８，２６８，２４８，２２８，２１６，２１４，２２４，２４４，２７２，３２４，３９２，４８４，５３４，５８８，６３２，６７２，７０４，７２８，７５０，７６６，７７４，７７２，７６４，７５２，７３２，７０８，６８０，６４０，６０４，５６６，５２４，４７４，４２８番目に点灯され、
当該切欠パターンの１６行目を構成する７列目から４３列目の画素が、それぞれ、３７２，３２６，２７４，２４０，２０８，１９２，１８０，１７２，１７６，１８４，２０４，２３２，２８０，３３６，４４０，５１２，５７２，６２４，６６０，６９２，７２２，７４２，７５４，７６２，７６０，７４８，７３６，７２４，６９６，６６４，６２８，５９６，５５４，５１６，４７２，４３６，４０２番目に点灯され、
当該切欠パターンの１７行目を構成する６列目から４３列目の画素が、それぞれ、３３２，２９０，２５０，２１８，１８８，１５８，１４８，１３８，１２４，１４０，１５２，１６４，１９６，２３６，２９２，３７４，４７６，５４０，５９２，６３８，６７０，７０２，７２６，７３４，７４６，７４４，７３０，７２０，７００，６７６，６４４，６１６，５７６，５３２，４９２，４５２，４２０，４００番目に点灯され、
当該切欠パターンの１８行目を構成する４列目から４４列目の画素が、それぞれ、３６２，３２０，２７８，２３４，１９８，１６８，１４２，１２０，１０８，９６，９２，１００，１１６，１３６，１６０，２００，２５２，３２８，４２２，５０６，５６４，６１４，６５４，６７８，６９８，７１０，７１８，７１４，７０６，６９４，６６８，６５２，６２０，５８４，５４８，５０８，４６８，４３２，３９４，３７６，３８０番目に点灯され、
当該切欠パターンの１９行目を構成する２列目から４５列目の画素が、それぞれ、，３８２，３４８，３１０，２７０，２３０，１９４，１５６，１２６，１１０，８８，７６，６８，６４，７２，８４，１０４，１３０，１７０，２２０，２７６，３５８，４６０，５３０，５８２，６２２，６５０，６６６，６８２，６９０，６８６，６７４，６６２，６３６，６１２，５８０，５４４，５００，４５６，４１６，３６８，３５２，３４４，３５６，３８４番目に点灯され、
当該切欠パターンの２０行目を構成する１列目から４５列目の画素が、それぞれ、３７８，３５４，３１８，２８６，２４２，２０２，１６２，１２８，１０２，７８，５８，５２，４２，３６，４８，５６，８０，１１２，１４４，１８６，２３８，３０６，４１２，４９０，５４６，５８６，６１８，６３０，６４６，６５８，６４８，６３４，６２６，５９４，５６２，５２８，４８８，４４８，３８８，３３４，３１６，２９８，３０４，３２２，３５０番目に点灯され、
当該切欠パターンの２１行目を構成する１列目から４６列目の画素が、それぞれ、３７０，３３８，２９６，２６０，２２２，１８２，１５０，１１４，８２，５４，４０，３０，２４，２２，２８，４４，６０，８６，１１８，１５４，２０６，２６６，３４０，４５０，５０２，５５０，５７８，５９８，６０６，６１０，６０２，５９０，５７４，５４２，５０４，４５８，４１０，３４２，３０２，２８４，２６２，２５６，２６４，２８８，３１２，３６４番目に点灯され、
当該切欠パターンの２２行目を構成する２列目から４６列目の画素が、それぞれ、３４６，２９４，２５４，２１０，１７４，１３２，９８，７０，４６，２６，１４，１０，１２，１６，３２，５０，７４，１０６，１４６，１９０，２４６，３００，３８６，４６２，５１０，５３８，５５８，５７０，５６８，５５６，５３６，５１４，４７８，４２４，３６０，３０８，２６８，２４８，２２８，２１６，２１４，２２４，２４４，２７２，３２４番目に点灯され、
当該切欠パターンの２３行目を構成する２列目から４７列目の画素が、それぞれ、３６６，３１４，２５８，２１２，１６６，１２２，９０，６２，３４，１８，６，２，４，８，２０，３８，６６，９４，１３４，１７８，２２６，２８２，３３０，４１８，４７０，４９４，５２０，５２６，５２２，４９８，４８６，４４２，３７２，３２６，２７４，２４０，２０８，１９２，１８０，１７２，１７６，１８４，２０４，２３２，２８０，３３６番目に点灯され、
当該切欠パターンの２４行目を構成する３列目から４８列目の画素が、それぞれ、３３５，２８３，２２７，１７９，１３７，９５，６７，４１，２１，９，１，３，１１，２３，３９，６３，９１，１２３，１７１，２１９，２６１，３１５，３７１，４３４，４５４，４８０，４８２，４６６，４４６，３９６，３３２，２９０，２５０，２１８，１８８，１５８，１４８，１３８，１２４，１４０，１５２，１６４，１９６，２３６，２９２，３７４番目に点灯され、
当該切欠パターンの２５行目を構成する３列目から４８列目の画素が、それぞれ、３８７，２９５，２４５，１９１，１４７，１０７，７５，５１，２９，１３，５，７，１５，２７，４７，７１，９９，１３９，１７５，２１３，２５５，３０５，３５１，３９８，４２６，４３８，４３０，４１４，３６２，３２０，２７８，２３４，１９８，１６８，１４２，１２０，１０８，９６，９２，１００，１１６，１３６，１６０，２００，２５２，３２８番目に点灯され、
当該切欠パターンの２６行目を構成する４列目から４９列目の画素が、それぞれ、３３９，２６７，２０７，１５５，１１９，８７，５７，３７，２５，１７，１９，３１，４３，５５，８３，１１５，１５１，１８３，２２５，２６３，３０７，３４３，３７７，４０４，４０６，３８２，３４８，３１０，２７０，２３０，１９４，１５６，１２６，１１０，８８，７６，６８，６４，７２，８４，１０４，１３０，１７０，２２０，２７６，３５８番目に点灯され、
当該切欠パターンの２７行目を構成する５列目から４９列目の画素が、それぞれ、３０３，２３９，１８７，１４１，１０９，７７，５３，４５，３３，３５，４９，５９，７９，１０３，１３５，１６３，２０３，２４７，２８７，３２７，３５９，３７９，３９０，３７８，３５４，３１８，２８６，２４２，２０２，１６２，１２８，１０２，７８，５８，５２，４２，３６，４８，５６，８０，１１２，１４４，１８６，２３８，３０６番目に点灯され、
当該切欠パターンの２８行目を構成する５列目から５０列目の画素が、それぞれ、３５７，２７３，２１５，１６５，１２５，１０１，８１，６９，６１，６５，７３，８５，１１１，１２７，１５９，１９５，２３１，２７１，３１１，３４７，３８５，４０３，３９９，３７０，３３８，２９６，２６０，２２２，１８２，１５０，１１４，８２，５４，４０，３０，２４，２２，２８，４４，６０，８６，１１８，１５４，２０６，２６６，３４０番目に点灯され、
当該切欠パターンの２９行目を構成する６列目から５１列目の画素が、それぞれ、３１９，２４９，１９７，１５７，１２９，１１３，９７，８９，９３，１０５，１１７，１４３，１６７，１９９，２３５，２７９，３２３，３６３，４１１，４２７，４３５，４２３，３９５，３４６，２９４，２５４，２１０，１７４，１３２，９８，７０，４６，２６，１４，１０，１２，１６，３２，５０，７４，１０６，１４６，１９０，２４６，３００，３８６番目に点灯され、
当該切欠パターンの３０行目を構成する６列目から５１列目の画素が、それぞれ、３６７，２８９，２３３，１９３，１６１，１４９，１３３，１２１，１３１，１４５，１５３，１８５，２１７，２５１，２９１，３３１，３９１，４４５，４６３，４８１，４７５，４５７，４２９，３６６，３１４，２５８，２１２，１６６，１２２，９０，６２，３４，１８，６，２，４，８，２０，３８，６６，９４，１３４，１７８，２２６，２８２，３３０番目に点灯され、
当該切欠パターンの３１行目を構成する７列目から５２列目の画素が、それぞれ、３２９，２７７，２２９，２０１，１８１，１７３，１６９，１７７，１８９，２０５，２３７，２７５，３２１，３６９，４３７，４７７，４９５，５１７，５２３，５１５，４９１，４６７，４１５，３３５，２８３，２２７，１７９，１３７，９５，６７，４１，２１，９，１，３，１１，２３，３９，６３，９１，１２３，１７１，２１９，２６１，３１５，３７１，番目に点灯され、
当該切欠パターンの３２行目を構成する８列目から５２列目の画素が、それぞれ、３１７，２６９，２４１，２２１，２０９，２１１，２２３，２４３，２６５，３０１，３５５，４１９，４７１，５１１，５３１，５５１，５６３，５６５，５５５，５３５，５０７，４５５，３８７，２９５，２４５，１９１，１４７，１０７，７５，５１，２９，１３，５，７，１５，２７，４７，７１，９９，１３９，１７５，２１３，２５５，３０５，３５１番目に点灯され、
当該切欠パターンの３３行目を構成する８列目から５３列目の画素が、それぞれ、３６１，３０９，２８５，２５９，２５３，２５７，２８１，２９３，３３７，４０７，４５３，５０５，５３９，５７１，５８７，５９９，６０７，６０３，５９５，５７５，５４７，４９９，４４３，３３９，２６７，２０７，１５５，１１９，８７，５７，３７，２５，１７，１９，３１，４３，５５，８３，１１５，１５１，１８３，２２５，２６３，３０７，３４３，３７７番目に点灯され、
当該切欠パターンの３４行目を構成する９列目から５３列目の画素が、それぞれ、３４５，３２５，２９９，２９７，３１３，３３３，３８３，４４７，４８９，５２９，５６１，５９１，６２１，６３１，６４１，６５５，６３９，６２７，６１５，５８３，５４３，４８７，４０５，３０３，２３９，１８７，１４１，１０９，７７，５３，４５，３３，３５，４９，５９，７９，１０３，１３５，１６３，２０３，２４７，２８７，３２７，３５９，３７９番目に点灯され、
当該切欠パターンの３５行目を構成する９列目から５２列目の画素が、それぞれ、３８１，３５３，３４１，３４９，３６５，４１７，４５９，５０１，５４５，５８１，６１１，６３７，６５９，６７１，６８３，６８７，６７９，６６３，６４３，６１９，５７９，５２７，４５１，３５７，２７３，２１５，１６５，１２５，１０１，８１，６９，６１，６５，７３，８５，１１１，１２７，１５９，１９５，２３１，２７１，３１１，３４７，３８５番目に点灯され、
当該切欠パターンの３６行目を構成する１０列目から５０列目の画素が、それぞれ、３７５，３７３，３９７，４３１，４６９，５０９，５４９，５８５，６２３，６５３，６６９，６９１，７０３，７１１，７１５，７０７，６９５，６７５，６４９，６０９，５５９，５０３，４２１，３１９，２４９，１９７，１５７，１２９，１１３，９７，８９，９３，１０５，１１７，１４３，１６７，１９９，２３５，２７９，３２３，３６３番目に点灯され、
当該切欠パターンの３７行目を構成する１０列目から４８列目の画素が、それぞれ、３８９，４０１，４２５，４６１，４９３，５３７，５７７，６１７，６５１，６７７，７０１，７２１，７２７，７３７，７４３，７３１，７２３，６９９，６６７，６３５，５９３，５４１，４７３，３６７，２８９，２３３，１９３，１６１，１４９，１３３，１２１，１３１，１４５，１５３，１８５，２１７，２５１，２９１，３３１番目に点灯され、
当該切欠パターンの３８行目を構成する１１列目から４７列目の画素が、それぞれ、４０９，４４１，４８３，５１９，５５７，５９７，６２９，６６５，６９７，７２５，７３９，７４９，７５５，７５７，７５１，７３５，７１９，６９３，６６１，６２５，５７３，５１３，４３９，３２９，２７７，２２９，２０１，１８１，１７３，１６９，１７７，１８９，２０５，２３７，２７５，３２１，３６９番目に点灯され、
当該切欠パターンの３９行目を構成する１２列目から４５列目の画素が、それぞれ、４３３，４８５，５２５，５６９，６０５，６４７，６８１，７０９，７３３，７５３，７６５，７６９，７６７，７６３，７４７，７２９，７０５，６７３，６３３，５８９，５３３，４７９，３９３，３１７，２６９，２４１，２２１，２０９，２１１，２２３，２４３，２６５，３０１，３５５番目に点灯され、
当該切欠パターンの４０行目を構成する１２列目から４３列目の画素が、それぞれ、４１３，４６５，５２１，５６７，６１３，６５７，６８９，７１７，７４５，７６１，７７３，７７７，７７５，７７１，７５９，７４１，７１３，６８５，６４５，６０１，５５３，４９７，４４９，３６１，３０９，２８５，２５９，２５３，２５７，２８１，２９３，３３７番目に点灯され、
当該切欠パターンの４１行目を構成する１３列目から４２列目の画素が、それぞれ、４４４，４９６，５５２，６００，６４２，６８４，７１２，７３８，７５８，７７０，７７８，７７６，７６８，７５６，７４０，７１６，６８８，６５６，６０８，５６０，５１８，４６４，４０８，３４５，３２５，２９９，２９７，３１３，３３３，３８３番目に点灯され、
当該切欠パターンの４２行目を構成する１３列目から４０列目の画素が、それぞれ、３９２，４８４，５３４，５８８，６３２，６７２，７０４，７２８，７５０，７６６，７７４，７７２，７６４，７５２，７３２，７０８，６８０，６４０，６０４，５６６，５２４，４７４，４２８，３８１，３５３，３４１，３４９，３６５番目に点灯され、
当該切欠パターンの４３行目を構成する１４列目から３８列目の画素が、それぞれ、４４０，５１２，５７２，６２４，６６０，６９２，７２２，７４２，７５４，７６２，７６０，７４８，７３６，７２４，６９６，６６４，６２８，５９６，５５４，５１６，４７２，４３６，４０２，３７５，３７３番目に点灯され、
当該切欠パターンの４４行目を構成する１５列目から３７列目の画素が、それぞれ、４７６，５４０，５９２，６３８，６７０，７０２，７２６，７３４，７４６，７４４，７３０，７２０，７００，６７６，６４４，６１６，５７６，５３２，４９２，４５２，４２０，４００，３８９番目に点灯され、
当該切欠パターンの４５行目を構成する１５列目から３５列目の画素が、それぞれ、４２２，５０６，５６４，６１４，６５４，６７８，６９８，７１０，７１８，７１４，７０６，６９４，６６８，６５２，６２０，５８４，５４８，５０８，４６８，４３２，３９４番目に点灯され、
当該切欠パターンの４６行目を構成する１６列目から３３列目の画素が、それぞれ、４６０，５３０，５８２，６２２，６５０，６６６，６８２，６９０，６８６，６７４，６６２，６３６，６１２，５８０，５４４，５００，４５６，４１６番目に点灯され、
当該切欠パターンの４７行目を構成する１６列目から３１列目の画素が、それぞれ、４１２，４９０，５４６，５８６，６１８，６３０，６４６，６５８，６４８，６３４，６２６，５９４，５６２，５２８，４８８，４４８番目に点灯され、
当該切欠パターンの４８行目を構成する１７列目から３０列目の画素が、それぞれ、４５０，５０２，５５０，５７８，５９８，６０６，６１０，６０２，５９０，５７４，５４２，５０４，４５８，４１０番目に点灯され、
当該切欠パターンの４９行目を構成する１８列目から２８列目の画素が、それぞれ、４６２，５１０，５３８，５５８，５７０，５６８，５５６，５３６，５１４，４７８，４２４番目に点灯され、
当該切欠パターンの５０行目を構成する１８列目から２６列目の画素が、それぞれ、４１８，４７０，４９４，５２０，５２６，５２２，４９８，４８６，４４２番目に点灯され、
当該切欠パターンの５１行目を構成する１９列目から２５列目の画素が、それぞれ、４３４，４５４，４８０，４８２，４６６，４４６，３９６番目に点灯され、
当該切欠パターンの５２行目を構成する１９列目から２３列目の画素が、それぞれ、３９８，４２６，４３８，４３０，４１４番目に点灯され、
当該切欠パターンの５３行目を構成する２０列目から２１列目の画素が、それぞれ、４０４，４０６番目に点灯され、
当該切欠パターンの５４行目を構成する２０列目の画素が、３９０番目に点灯されるように、該１５５６個の画素の点灯順序が設定されることを特徴とする、付記１記載の印刷方法。
【００７１】
（付記３）  該２値化ディザマトリクスパターンが、５４行×５３列のマトリクス状に配列される２８６２個の画素によって構成された矩形パターンのうち、当該矩形パターンの１行目を構成する１列目から３２列目および３５列目から５３列目、２行目を構成する１列目から３０行目および３６列目から５３列目、３行目を構成する１列目から２８列目および３６列目から５３列目、４行目を構成する１列目から２７列目および３７列目から５３列目、５行目を構成する１列目から２５列目および３７列目から５６列目、６行目を構成する１列目から２３列目および３８列目から５３列目、７行目を構成する１列目から２２列目および３９列目から５３列目、８行目を構成する１列目から２０列目および３９列目から５３列目、９行目を構成する１列目から１８列目および４０列目から５３列目、１０行目を構成する１列目から１７列目および４０列目から５３列目、１１行目を構成する１列目から１５列目および４１列目から５３列目、１２行目を構成する１列目から１３列目および４２列目から５３列目、１３行目を構成する１列目から１１列目および４２列目から５３列目、１４行目を構成する１列目から１０列目および４３列目から５３列目、１５行目を構成する１列目から８列目および４３列目から５３列目、１６行目を構成する１列目から６列目および４４列目から５３列目、１７行目を構成する１列目から５列目および４４列目から５３列目、１８行目を構成する１列目から３列目および４５列目から５３列目、１９行目を構成する１列目および４６列目から５３列目、２０行目を構成する４６列目から５３列目、２１行目を構成する４７行目から５３行目、２２行目を構成する１列目および４７行目から５３行目、２３行目を構成する１列目および４８列目から５３列目、２４行目を構成する１列目から２列目および４９列目から５３列目、２５行目を構成する１列目から２列目および４９列目から５３列目、２６行目を構成する１列目から３列目および５０列目から５３列目、２７行目を構成する１列目から４列目および５０列目から５３列目、２８行目を構成する１列目から４列目および５１列目から５３列目、２９行目を構成する１列目から５列目および５２列目から５３列目、３０行目を構成する１列目から５列目および５２列目から５３列目、３１行目を構成する１列目から６列目および５３列目、３２行目を構成する１列目から７列目および３５列目、３３行目を構成する１列目から７列目、３４行目を構成する１列目から８列目、３５行目を構成する１列目から８列目および５３列目、３６行目を構成する１列目から９列目および５１列目から５３列目、３７行目を構成する１列目から９列目および４９列目から５３列目、３８行目を構成する１列目から１０列目および４８列目から５３列目、３９行目を構成する１列目から１１列目および４６列目から５３列目、４０行目を構成する１列目から１１列目および４４列目から５３列目、４１行目を構成する１列目から１２列目および４３列目から５３列目、４２行目を構成する１列目から１２列目および４１列目から５３列目、４３行目を構成する１列目から１３列目および３９列目から５３列目、４４行目を構成する１列目から１４列目および３��列目から５３列目、４５行目を構成する１列目から１４列目および３６列目から５３列目、４６行目を構成する１列目から１５列目および３４列目から５３列目、４７行目を構成する１列目から１５行目および３２列目から５３列目、４８行目を構成する１列目から１６行目および３１列目から５３列目、４９行目を構成する１列目から１７列目および２９列目から５３列目、５０行目を構成する１列目から１７列目および２７列目から５３列目、５１行目を構成する１列目から１８列目および２６列目から５３列目、５２行目を構成する１列目から１８列目および２４列目から５３列目、５３行目を構成する１列目から１９列目および２２列目から５３列目、５４列目を構成する１列目から１９列目および２１列目から５３列目をそれぞれ切り欠いて構成された切欠パターンとして構成され、
当該切欠パターンの１行目を構成する３３列目から３４列目の画素が、それぞれ、８０５，７９７番目に点灯され、
当該切欠パターンの２行目を構成する３１列目から３５列目の画素が、それぞれ、８２１，８５３，８６９，８４５，７８９番目に点灯され、
当該切欠パターンの３行目を構成する２９列目から３５列目の画素が、それぞれ、７８１，８８９，９２５，９６１，９４９，９１３，８５７番目に点灯され、
当該切欠パターンの４行目を構成する２８列目から３６列目の画素が、それぞれ、８７３，９５３，９８９，１０３３，１０４５，１０２９，９８１，９３３，８２９番目に点灯され、
当該切欠パターンの５行目を構成する２６列目から３６列目の画素が、それぞれ、８３７，９４１，１０２１，１０６１，１１０１，１１２５，１１２９，１１０９，１０６９，１０１３，９０９番目に点灯され、
当該切欠パターンの６行目を構成する２４列目から３７列目の画素が、それぞれ、８１３，９０５，１００９，１０７７，１１４１，１１７３，１１９７，１２１３，１２０５，１１８９，１１４９，１０９３，９９７，８８５番目に点灯され、
当該切欠パターンの７行目を構成する２３列目から３８列目の画素が、それぞれ、８９３，９７７，１０５７，１１２１，１１８１，１２４１，１２６１，１２８１，１３０９，１２７７，１２５３，１２２９，１１６５，１０８５，９７３，８０９番目に点灯され、
当該切欠パターンの８行目を構成する２１列目から３８列目の画素が、それぞれ、８３３，９１７，１００１，１０８９，１１６１，１２２１，１２７３，１３１７，１３４１，１３６５，１３７３，１３５７，１３２５，１２８５，１２３７，１１５７，１０５３，９０１番目に点灯され、
当該切欠パターンの９行目を構成する１９列目から３９列目の画素が、それぞれ、７９３，８６１，９３７，１０１７，１０９７，１１６９，１２４５，１３０５，１３３７，１３８１，１４０５，１４２１，１４２９，１４１３，１３８９，１３４９，１２９７，１２１７，１１１７，１００５，８４１番目に点灯され、
当該切欠パターンの１０行目を構成する１８列目から３９列目の画素が、それぞれ、８０１，８４９，９２１，９８５，１０７３，１１５３，１２３３，１３０１，１３５３，１４０１，１４４１，１４５３，１４７３，１４８５，１４６１，１４４５，１３９７，１３３３，１２６９，１１８５，１０８１，９４５番目に点灯され、
当該切欠パターンの１１行目を構成する１６列目から４０列目の画素が、それぞれ、７５１，７５９，８１７，８８１，９６５，１０３７，１１１３，１１９３，１２５７，１３２９，１３９３，１４４９，１４７７，１４９７，１５０９，１５１３，１５０１，１４６９，１４３７，１３８５，１３２１，１２４９，１１４５，１０２５，８７７番目に点灯され、
当該切欠パターンの１２行目を構成する１４列目から４１列目の画素が、それぞれ、７３５，７０３，６８７，７１１，７６７，８６５，９６９，１０４９，１１３７，１２０９，１２９３，１３６１，１４１７，１４６５，１５０５，１５２９，１５３７，１５３３，１５２５，１４９３，１４５７，１４０９，１３４５，１２６５，１１７７，１０６５，９５７，７８５番目に点灯され、
当該切欠パターンの１３行目を構成する１２列目から４１列目の画素が、それぞれ、７７５，６６７，６３１，５９５，６０７，６４３，６９９，８２５，９２９，１０４１，１１３３，１２２５，１３１３，１３７７，１４３３，１４８９，１５２１，１５４５，１５５３，１５４９，１５４１，１５１７，１４８１，１４２５，１３６９，１２８９，１２０１，１１０５，９９３，８９７番目に点灯され、
当該切欠パターンの１４行目を構成する１１列目から４２列目の画素が、それぞれ、６８３，６０３，５６７，５２３，５１１，５２７，５７５，６２３，７２７，８８７，９９１，１１０３，１１９９，１２８３，１３６７，１４２３，１４７５，１５１５，１５３９，１５５５，１５５１，１５３５，１５１１，１４７９，１４３１，１３７５，１３１１，１２１５，１１１９，１０３５，９２７，８１５番目に点灯され、
当該切欠パターンの１５行目を構成する９列目から４２列目の画素が、それぞれ、７１９，６１５，５３５，４９５，４５５，４３１，４２７，４４７，４８７，５４３，６４７，７８３，９６７，１０６７，１１７５，１２６３，１３４３，１４０７，１４５５，１４９９，１５３１，１５４７，１５４３，１５２７，１５０３，１４６３，１４１５，１３５９，１２７９，１２０７，１１３１，１０４７，９４７，８５５番目に点灯され、
当該切欠パターンの１６行目を構成する７列目から４３列目の画素が、それぞれ、７４３，６５１，５４７，４７９，４１５，３８３，３５９，３４３，３５１，３６７，４０７，４６３，５５９，６７１，８７９，１０２３，１１４３，１２４７，１３１９，１３８３，１４４３，１４８３，１５０７，１５２３，１５１９，１４９５，１４７１，１４４７，１３９１，１３２７，１２５５，１１９１，１１０７，１０３１，９４３，８７１，８０３番目に点灯され、
当該切欠パターンの１７行目を構成する６列目から４３列目の画素が、それぞれ、６６３，５７９，４９９，４３５，３７５，３１５，２９５，２７５，２４７，２７９，３０３，３２７，３９１，４７１，５８３，７４７，９５１，１０７９，１１８３，１２７５，１３３９，１４０３，１４５１，１４６７，１４９１，１４８７，１４５９，１４３９，１３９９，１３５１，１２８７，１２３１，１１５１，１０６３，９８３，９０３，８３９，７９９番目に点灯され、
当該切欠パターンの１８行目を構成する４列目から４４列目の画素が、それぞれ、７２３，６３９，５５５，４６７，３９５，３３５，２８３，２３９，２１５，１９１，１８３，１９９，２３１，２７１，３１９，３９９，５０３，６５５，８４３，１０１１，１１２７，１２２７，１３０７，１３５５，１３９５，１４１９，１４３５，１４２７，１４１１，１３８７，１３３５，１３０３，１２３９，１１６７，１０９５，１０１５，９３５，８６３，７８７，７５２，７６０番目に点灯され、
当該切欠パターンの１９行目を構成する２列目から４５列目の画素が、それぞれ、７６３，６９５，６１９，５３９，４５９，３８７，３１１，２５１，２１９，１７５，１５１，１３５，１２７，１４３，１６７，２０７，２５９，３３９，４３９，５５１，７１５，９１９，１０５９，１１６３，１２４３，１２９９，１３３１，１３６３，１３７９，１３７１，１３４７，１３２３，１２７１，１２２３，１１５９，１０８７，９９９，９１１，８３１，７３６，７０４，６８８，７１２，７６８番目に点灯され、
当該切欠パターンの２０行目を構成する１列目から４５列目の画素が、それぞれ、７５５，７０７，６３５，５７１，４８３，４０３，３２３，２５５，２０３，１５５，１１５，１０３，８３，７１，９５，１１１，１５９，２２３，２８７，３７１，４７５，６１１，８２３，９７９，１０９１，１１７１，１２３５，１２５９，１２９１，１３１５，１２９５，１２６７，１２５１，１１８７，１１２３，１０５５，９７５，８９５，７７６，６６８，６３２，５９６，６０８，６４４，７００番目に点灯され、
当該切欠パターンの２１行目を構成する１列目から４６列目の画素が、それぞれ、７３９，６７５，５９１，５１９，４４３，３６３，２９９，２２７，１６３，１０７，７９，５９，４７，４３，５５，８７，１１９，１７１，２３５，３０７，４１１，５３１，６７９，８９９，１００３，１０９９，１１５５，１１９５，１２１１，１２１９，１２０３，１１７９，１１４７，１０８３，１００７，９１５，８１９，６８４，６０４，５６８，５２４，５１２，５２８，５７６，６２４，７２８番目に点灯され、
当該切欠パターンの２２行目を構成する２列目から４６列目の画素が、それぞれ、６９１，５８７，５０７，４１９，３４７，２６３，１９５，１３９，９１，５１，２７，１９，２３，３１，６３，９９，１４７，２１１，２９１，３７９，４９１，５９９，７７１，９２３，１０１９，１０７５，１１１５，１１３９，１１３５，１１１１，１０７１，１０２７，９５５，８４７，７２０，６１６，５３６，４９６，４５６，４３２，４２８，４４８，４８８，５４４，６４８番目に点灯され、
当該切欠パターンの２３行目を構成する２列目から４７列目の画素が、それぞれ、７３１，６２７，５１５，４２３，３３１，２４３，１７９，１２３，６７，３５，１１，３，７，１５，３９，７５，１３１，１８７，２６７，３５５，４５１，５６３，６５９，８３５，９３９，９８７，１０３９，１０５１，１０４３，９９５，９７１，８８３，７４４，６５２，５４８，４８０，４１６，３８４，３６０，３４４，３５２，３６８，４０８，４６４，５６０，６７２番目に点灯され、
当該切欠パターンの２４行目を構成する３列目から４８列目の画素が、それぞれ、６６９，５６５，４５３，３５７，２７３，１８９，１３３，８１，４１，１７，１，５，２１，４５，７７，１２５，１８１，２４５，３４１，４３７，５２１，６２９，７４１，８６７，９０７，９５９，９６３，９３１，８９１，７９１，６６４，５８０，５００，４３６，３７６，３１６，２９６，２７６，２４８，２８０，３０４，３２８，３９２，４７２，５８４，７４８番目に点灯され、
当該切欠パターンの２５行目を構成する３列目から４８列目の画素が、それぞれ、７７３，５８９，４８９，３８１，２９３，２１３，１４９，１０１，５７，２５，９，１３，２９，５３，９３，１４１，１９７，２７７，３４９，４２５，５０９，６０９，７０１，７９５，８５１，８７５，８５９，８２７，７２４，６４０，５５６，４６８，３９６，３３６，２８４，２４０，２１６，１９２，１８４，２００，２３２，２７２，３２０，４００，５０４，６５６番目に点灯され、
当該切欠パターンの２６行目を構成する４列目から４９列目の画素が、それぞれ、６７７，５３３，４１３，３０９，２３７，１７３，１１３，７３，４９，３３，３７，６１，８５，１０９，１６５，２２９，３０１，３６５，４４９，５２５，６１３，６８５，７５３，８０７，８１１，７６４，６９６，６２０，５４０，４６０，３８８，３１２，２５２，２２０，１７６，１５２，１３６，１２８，１４４，１６８，２０８，２６０，３４０，４４０，５５２，７１６番目に点灯され、
当該切欠パターンの２７行目を構成する５列目から４９列目の画素が、それぞれ、６０５，４７７，３７３，２８１，２１７，１５３，１０５，８９，６５，６９，９７，１１７，１５７，２０５，２６９，３２５，４０５，４９３，５７３，６５３，７１７，７５７，７７９，７５６，７０８，６３６，５７２，４８４，４０４，３２４，２５６，２０４，１５６，１１６，１０４，８４，７２，９６，１１２，１６０，２２４，２８８，３７２，４７６，６１２番目に点灯され、
当該切欠パターンの２８行目を構成する５列目から５０列目の画素が、それぞれ、７１３，５４５，４２９，３２９，２４９，２０１，１６１，１３７，１２１，１２９，１４５，１６９，２２１，２５３，３１７，３８９，４６１，５４１，６２１，６９３，７６９，８０６，７９８，７４０，６７６，５９２，５２０，４４４，３６４，３００，２２８，１６４，１０８，８０，６０，４８，４４，５６，８８，１２０，１７２，２３６，３０８，４１２，５３２，６８０番目に点灯され、
当該切欠パターンの２９行目を構成する６列目から５１列目の画素が、それぞれ、６３７，４９７，３９３，３１３，２５７，２２５，１９３，１７７，１８５，２０９，２３３，２８５，３３３，３９７，４６９，５５７，６４５，７２５，８２２，８５４，８７０，８４６，７９０，６９２，５８８，５０８，４２０，３４８，２６４，１９６，１４０，９２，５２，２８，２０，２４，３２，６４，１００，１４８，２１２，２９２，３８０，４９２，６００，７７２番目に点灯され、
当該切欠パターンの３０行目を構成する６列目から５１列目の画素が、それぞれ、７３３，５７７，４６５，３８５，３２１，２９７，２６５，２４１，２６１，２８９，３０５，３６９，４３３，５０１，５８１，６６１，７８２，８９０，９２６，９６２，９５０，９１４，８５８，７３２，６２８，５１６，４２４，３３２，２４４，１８０，１２４，６８，３６，１２，４，８，１６，４０，７６，１３２，１８８，２６８，３５６，４５２，５６４，６６０番目に点灯され、
当該切欠パターンの３１行目を構成する７列目から５２列目の画素が、それぞれ、６５７，５５３，４５７，４０１，３６１，３４５，３３７，３５３，３７７，４０９，４７３，５４９，６４１，７３７，８７４，９５４，９９０，１０３４，１０４６，１０３０，９８２，９３４，８３０，６７０，５６６，４５４，３５８，２７４，１９０，１３４，８２，４２，１８，２，６，２２，４６，７８，１２６，１８２，２４６，３４２，４３８，５２２，６３０，７４２番目に点灯され、
当該切欠パターンの３２行目を構成する８列目から５２列目の画素が、それぞれ、６３３，５３７，４８１，４４１，４１７，４２１，４４５，４８５，５２９，６０１，７０９，８３８，９４２，１０２２，１０６２，１１０２，１１２６，１１３０，１１１０，１０７０，１０１４，９１０，７７４，５９０，４９０，３８２，２９４，２１４，１５０，１０２，５８，２６，１０，１４，３０，５４，９４，１４２，１９８，２７８，３５０，４２６，５１０，６１０，７０２番目に点灯され、
当該切欠パターンの３３行目を構成する８列目から５３列目の画素が、それぞれ、７２１，６１７，５６９，５１７，５０５，５１３，５６１，５８５，６７３，８１４，９０６，１０１０，１０７８，１１４２，１１７４，１１９８，１２１４，１２０６，１１９０，１１５０，１０９４，９９８，８８６，６７８，５３４，４１４，３１０，２３８，１７４，１１４，７４，５０，３４，３８，６２，８６，１１０，１６６，２３０，３０２，３６６，４５０，５２６，６１４，６８６，７５４番目に点灯され、
当該切欠パターンの３４行目を構成する９列目から５３列目の画素が、それぞれ、６８９，６４９，５９７，５９３，６２５，６６５，７６５，８９４，９７８，１０５８，１１２２，１１８２，１２４２，１２６２，１２８２，１３１０，１２７８，１２５４，１２３０，１１６６，１０８６，９７４，８１０，６０６，４７８，３７４，２８２，２１８，１５４，１０６，９０，６６，７０，９８，１１８，１５８，２０６，２７０，３２６，４０６，４９４，５７４，６５４，７１８，７５８番目に点灯され、
当該切欠パターンの３５行目を構成する９列目から５２列目の画素が、それぞれ、７６１，７０５，６８１，６９７，７２９，８３４，９１８，１００２，１０９０，１１６２，１２２２，１２７４，１３１８，１３４２，１３６６，１３７４，１３５８，１３２６，１２８６，１２３８，１１５８，１０５４，９０２，７１４，５４６，４３０，３３０，２５０，２０２，１６２，１３８，１２２，１３０，１４６，１７０，２２２，２５４，３１８，３９０，４６２，５４２，６２２，６９４，７７０番目に点灯され、
当該切欠パターンの３６行目を構成する１０列目から５０列目の画素が、それぞれ、７４９，７４５，７９４，８６２，９３８，１０１８，１０９８，１１７０，１２４６，１３０６，１３３８，１３８２，１４０６，１４２２，１４３０，１４１４，１３９０，１３５０，１２９８，１２１８，１１１８，１００６，８４２，６３８，４９８，３９４，３１４，２５８，２２６，１９４，１７８，１８６，２１０，２３４，２８６，３３４，３９８，４７０，５５８，６４６，７２６番目に点灯され、
当該切欠パターンの３７行目を構成する１０列目から４８列目の画素が、それぞれ、７７７，８０２，８５０，９２２，９８６，１０７４，１１５４，１２３４，１３０２，１３５４，１４０２，１４４２，１４５４，１４７４，１４８６，１４６２，１４４６，１３９８，１３３４，１２７０，１１８６，１０８２，９４６，７３４，５７８，４６６，３８６，３２２，２９８，２６６，２４２，２６２，２９０，３０６，３７０，４３４，５０２，５８２，６６２番目に点灯され、
当該切欠パターンの３８行目を構成する１１列目から４７列目の画素が、それぞれ、８１８，８８２，９６６，１０３８，１１１４，１１９４，１２５８，１３３０，１３９４，１４５０，１４７８，１４９８，１５１０，１５１４，１５０２，１４７０，１４３８，１３８６，１３２２，１２５０，１１４６，１０２６，８７８，６５８，５５４，４５８，４０２，３６２，３４６，３３８，３５４，３７８，４１０，４７４，５５０，６４２，７３８番目に点灯され、
当該切欠パターンの３９行目を構成する１２列目から４５列目の画素が、それぞれ、８６６，９７０，１０５０，１１３８，１２１０，１２９４，１３６２，１４１８，１４６６，１５０６，１５３０，１５３８，１５３４，１５２６，１４９４，１４５８，１４１０，１３４６，１２６６，１１７８，１０６６，９５８，７８６，６３４，５３８，４８２，４４２，４１８，４２２，４４６，４８６，５３０，６０２，７１０番目に点灯され、
当該切欠パターンの４０行目を構成する１２列目から４３列目の画素が、それぞれ、８２６，９３０，１０４２，１１３４，１２２６，１３１４，１３７８，１４３４，１４９０，１５２２，１５４６，１５５４，１５５０，１５４２，１５１８，１４８２，１４２６，１３７０，１２９０，１２０２，１１０６，９９４，８９８，７２２，６１８，５７０，５１８，５０６，５１４，５６２，５８６，６７４番目に点灯され、
当該切欠パターンの４１行目を構成する１３列目から４２列目の画素が、それぞれ、８８８，９９２，１１０４，１２００，１２８４，１３６８，１４２４，１４７６，１５１６，１５４０，１５５６，１５５２，１５３６，１５１２，１４８０，１４３２，１３７６，１３１２，１２１６，１１２０，１０３６，９２８，８１６，６９０，６５０，５９８，５９４，６２６，６６６，７６６番目に点灯され、
当該切欠パターンの４２行目を構成する１３列目から４０列目の画素が、それぞれ、７８４，９６８，１０６８，１１７６，１２６４，１３４４，１４０８，１４５６，１５００，１５３２，１５４８，１５４４，１５２８，１５０４，１４６４，１４１６，１３６０，１２８０，１２０８，１１３２，１０４８，９４８，８５６，７６２，７０６，６８２，６９８，７３０番目に点灯され、
当該切欠パターンの４３行目を構成する１４列目から３８列目の画素が、それぞれ、８８０，１０２４，１１４４，１２４８，１３２０，１３８４，１４４４，１４８４，１５０８，１５２４，１５２０，１４９６，１４７２，１４４８，１３９２，１３２８，１２５６，１１９２，１１０８，１０３２，９４４，８７２，８０４，７５０，７４６番目に点灯され、
当該切欠パターンの４４行目を構成する１５列目から３７列目の画素が、それぞれ、９５２，１０８０，１１８４，１２７６，１３４０，１４０４，１４５２，１４６８，１４９２，１４８８，１４６０，１４４０，１４００，１３５２，１２８８，１２３２，１１５２，１０６４，９８４，９０４，８４０，８００，７７８番目に点灯され、
当該切欠パターンの４５行目を構成する１５列目から３５列目の画素が、それぞれ、８４４，１０１２，１１２８，１２２８，１３０８，１３５６，１３９６，１４２０，１４３６，１４２８，１４１２，１３８８，１３３６，１３０４，１２４０，１１６８，１０９６，１０１６，９３６，８６４，７８８番目に点灯され、
当該切欠パターンの４６行目を構成する１６列目から３３列目の画素が、それぞれ、９２０，１０６０，１１６４，１２４４，１３００，１３３２，１３６４，１３８０，１３７２，１３４８，１３２４，１２７２，１２２４，１１６０，１０８８，１０００，９１２，８３２番目に点灯され、
当該切欠パターンの４７行目を構成する１６列目から３１列目の画素が、それぞれ、８２４，９８０，１０９２，１１７２，１２３６，１２６０，１２９２，１３１６，１２９６，１２６８，１２５２，１１８８，１１２４，１０５６，９７６，８９６番目に点灯され、
当該切欠パターンの４８行目を構成する１７列目から３０列目の画素が、それぞれ、９００，１００４，１１００，１１５６，１１９６，１２１２，１２２０，１２０４，１１８０，１１４８，１０８４，１００８，９１６，８２０番目に点灯され、
当該切欠パターンの４９行目を構成する１８列目から２８列目の画素が、それぞれ、９２４，１０２０，１０７６，１１１６，１１４０，１１３６，１１１２，１０７２，１０２８，９５６，８４８番目に点灯され、
当該切欠パターンの５０行目を構成する１８列目から２６列目の画素が、それぞれ、８３６，９４０，９８８，１０４０，１０５２，１０４４，９９６，９７２，８８４番目に点灯され、
当該切欠パターンの５１行目を構成する１９列目から２５列目の画素が、それぞれ、８６８，９０８，９６０，９６４，９３２，８９２，７９２番目に点灯され、
当該切欠パターンの５２行目を構成する１９列目から２３列目の画素が、それぞれ、７９６，８５２，８７６，８６０，８２８番目に点灯され、
当該切欠パターンの５３行目を構成する２０列目から２１列目の画素が、それぞれ、８０８，８１２番目に点灯され、
当該切欠パターンの５４行目を構成する２０列目の画素が、７８０番目に点灯されるように、該１５５６個の画素の点灯順序が設定されることを特徴とする、付記１記載の印刷方法。
【００７２】
（付記４）  該２値化ディザマトリクスパターンが、当該２値化ディザマトリクスパターンにおける任意の画素に設定された点灯順序と、当該画素が属する網点ドットに関する特定点を基準として当該画素に対して点対称の位置にある画素に設定された点灯順序とを入れ替えて構成されたことを特徴とする、付記２又は付記３記載の印刷方法。
（付記５）  該画像形成ステップにおいて、該２値化ディザマトリクスパターンを９０度もしくは２７０度回転させて用いることを特徴とする、付記２〜付記４のいずれか１項に記載の印刷方法。
【００７３】
（付記６）ルックアップテーブルに基づいて画像形成順序を変更する画像形成順序変更ステップをそなえ、
該画像形成ステップにおいて、該画像形成順序変更ステップにおいて変更された画像形成順序に基づいて該画像を形成することを特徴とする、付記１〜付記５のいずれか１項に記載の印刷方法。
【００７４】
（付記７）  順次点灯される複数の画素をマトリクス状に配列して構成された２値化ディザマトリクスパターンであって、当該２値化ディザマトリクスパターンのほぼ図心位置に関して点対称の位置に複数の特定点をそなえ、当該特定点に近い該画素から順に、点灯画素に隣接する該画素を優先的に点灯させることによって、それぞれ連続的な網点ドットを生成し、当該２値化ディザマトリクスパターンを構成するほぼ半数の画素まで順番に点灯させた際に、当該２値化ディザマトリクスパターンにおいて該点灯画素と非点灯画素とが市松模様を形成するように該画素の点灯順序を設定された２値化ディザマトリクスパターンを用意するステップと、
入力された多値画像の画素値に基づいて、該２値化ディザマトリクスパターンにおける、該点灯順序の開始画素から所定の点灯順番が設定された画素までを該点灯順序に従って選択することにより決定された色材を形成する画素に対して色材を形成することにより画像を形成する画像形成ステップとをそなえることを特徴とする、印刷方法。
【００７５】
（付記８）  ２値化ディザマトリクスパターンに基づいて、多値画像の２値化を行なう２値化処理部と、
該２値化処理部によって行なわれた２値化結果に基づいて、媒体上に画像を形成する画像形成部を有する印刷装置とをそなえ、
該２値化ディザマトリクスパターンが、
順次点灯される複数の画素をマトリクス状に配列して構成され、
当該２値化ディザマトリクスパターンのほぼ図心位置に関して点対称の位置に複数の特定点をそなえ、当該特定点に近い該画素から順に、点灯画素に隣接する該画素を優先的に点灯させることによって、それぞれ連続的な網点ドットを生成し、
当該２値化ディザマトリクスパターンを構成するほぼ半数の画素まで順番に点灯させた際に、当該２値化ディザマトリクスパターンにおいて該点灯画素と非点灯画素とが市松模様を形成するものであることを特徴とする、印刷システム。
【００７６】
（付記９）ルックアップテーブルに基づいて画像形成順序を変更する画像形成順序変更部をそなえ、
該画像形成部において、該画像形成順序変更部において変更された画像形成順序に基づいて該画像を形成することを特徴とする、付記８記載の印刷システム。
（付記１０）  多値画像を展開する記憶領域と、
該記憶領域に展開された多値画像を、２値化ディザマトリクスパターンを用いて２値化し、その２値化結果に基づいて画像を形成する画像形成部とをそなえ、
該２値化ディザマトリクスパターンが、
順次点灯される複数の画素をマトリクス状に配列して構成され、
当該２値化ディザマトリクスパターンのほぼ図心位置に関して点対称の位置に複数の特定点をそなえ、当該特定点に近い該画素から順に、点灯画素に隣接する該画素を優先的に点灯させることによって、それぞれ連続的な網点ドットを生成し、
当該２値化ディザマトリクスパターンを構成するほぼ半数の画素まで順番に点灯させた際に、当該２値化ディザマトリクスパターンにおいて該点灯画素と非点灯画素とが市松模様を形成するものであることを特徴とする、印刷装置。
【００７７】
（付記１１）  多値画像を展開する記憶領域と、
順次点灯される複数の画素をマトリクス状に配列した２値化ディザマトリクスパターンであって、当該２値化ディザマトリクスパターンのほぼ図心位置に関して点対称の位置に複数の特定点をそなえ、当該特定点に近い該画素から順に、点灯画素に隣接する該画素を優先的に点灯させることによって、それぞれ連続的な網点ドットを生成し、当該２値化ディザマトリクスパターンを構成するほぼ半数の画素まで順番に点灯させた際に、当該２値化ディザマトリクスパターンにおいて該点灯画素と非点灯画素とが市松模様を形成するように該画素の点灯順序を設定された該２値化ディザマトリクスパターンを設定する２値化ディザマトリクスパターン設定部と、
該記憶領域に展開された多値画像の画素値に基づいて、該２値化ディザマトリクスパターン設定部で設定されている該２値化ディザマトリクスパターンにおける、該点灯順序の開始画素から所定の点灯順番が設定された画素までを該点灯順序に従って選択することにより、色材を形成する画素を決定する２値化処理部と、
該２値化処理部において選択された画素に対して色材を形成することにより画像を形成する画像形成部とをそなえることを特徴とする、印刷装置。
【００７８】
（付記１２）ルックアップテーブルに基づいて画像形成順序を変更する画像形成順序変更部をそなえ、
該画像形成部において、該画像形成順序変更部において変更された画像形成順序に基づいて該画像を形成することを特徴とする、付記１０又は付記１１記載の印刷装置。
（付記１３）  多値画像の２値化に用いられる２値化ディザマトリクスパターンであって、
順次点灯される複数の画素をマトリクス状に配列して構成され、
当該２値化ディザマトリクスパターンのほぼ図心位置に関して点対称の位置に複数の特定点をそなえ、当該特定点に近い該画素から順に、点灯画素に隣接する該画素を優先的に点灯させることによって、それぞれ連続的な網点ドットを生成し、
当該２値化ディザマトリクスパターンを構成するほぼ半数の画素まで順番に点灯させた際に、当該２値化ディザマトリクスパターンにおいて該点灯画素と非点灯画素とが市松模様を形成することを特徴とする、２値化ディザマトリクスパターン。
【００７９】
（付記１４）  該２値化ディザマトリクスパターンが、５４行×５３列のマトリクス状に配列される２８６２個の画素によって構成された矩形パターンのうち、当該矩形パターンの１行目を構成する１列目から３２列目および３５列目から５３列目、２行目を構成する１列目から３０行目および３６列目から５３列目、３行目を構成する１列目から２８列目および３６列目から５３列目、４行目を構成する１列目から２７列目および３７列目から５３列目、５行目を構成する１列目から２５列目および３７列目から５６列目、６行目を構成する１列目から２３列目および３８列目から５３列目、７行目を構成する１列目から２２列目および３９列目から５３列目、８行目を構成する１列目から２０列目および３９列目から５３列目、９行目を構成する１列目から１８列目および４０列目から５３列目、１０行目を構成する１列目から１７列目および４０列目から５３列目、１１行目を構成する１列目から１５列目および４１列目から５３列目、１２行目を構成する１列目から１３列目および４２列目から５３列目、１３行目を構成する１列目から１１列目および４２列目から５３列目、１４行目を構成する１列目から１０列目および４３列目から５３列目、１５行目を構成する１列目から８列目および４３列目から５３列目、１６行目を構成する１列目から６列目および４４列目から５３列目、１７行目を構成する１列目から５列目および４４列目から５３列目、１８行目を構成する１列目から３列目および４５列目から５３列目、１９行目を構成する１列目および４６列目から５３列目、２０行目を構成する４６列目から５３列目、２１行目を構成する４７行目から５３行目、２２行目を構成する１列目および４７行目から５３行目、２３行目を構成する１列目および４８列目から５３列目、２４行目を構成する１列目から２列目および４９列目から５３列目、２５行目を構成する１列目から２列目および４９列目から５３列目、２６行目を構成する１列目から３列目および５０列目から５３列目、２７行目を構成する１列目から４列目および５０列目から５３列目、２８行目を構成する１列目から４列目および５１列目から５３列目、２９行目を構成する１列目から５列目および５２列目から５３列目、３０行目を構成する１列目から５列目および５２列目から５３列目、３１行目を構成する１列目から６列目および５３列目、３２行目を構成する１列目から７列目および３５列目、３３行目を構成する１列目から７列目、３４行目を構成する１列目から８列目、３５行目を構成する１列目から８列目および５３列目、３６行目を構成する１列目から９列目および５１列目から５３列目、３７行目を構成する１列目から９列目および４９列目から５３列目、３８行目を構成する１列目から１０列目および４８列目から５３列目、３９行目を構成する１列目から１１列目および４６列目から５３列目、４０行目を構成する１列目から１１列目および４４列目から５３列目、４１行目を構成する１列目から１２列目および４３列目から５３列目、４２行目を構成する１列目から１２列目および４１列目から５３列目、４３行目を構成する１列目から１３列目および３９列目から５３列目、４４行目を構成する１列目から１４列目および��８列目から５３列目、４５行目を構成する１列目から１４列目および３６列目から５３列目、４６行目を構成する１列目から１５列目および３４列目から５３列目、４７行目を構成する１列目から１５行目および３２列目から５３列目、４８行目を構成する１列目から１６行目および３１列目から５３列目、４９行目を構成する１列目から１７列目および２９列目から５３列目、５０行目を構成する１列目から１７列目および２７列目から５３列目、５１行目を構成する１列目から１８列目および２６列目から５３列目、５２行目を構成する１列目から１８列目および２４列目から５３列目、５３行目を構成する１列目から１９列目および２２列目から５３列目、５４列目を構成する１列目から１９列目および２１列目から５３列目をそれぞれ切り欠いて構成された切欠パターンとして構成され、
当該切欠パターンの１行目を構成する３３列目から３４列目の画素が、それぞれ、４０３，３９９番目に点灯され、
当該切欠パターンの２行目を構成する３１列目から３５列目の画素が、それぞれ、４１１，４２７，４３５，４２３，３９５番目に点灯され、
当該切欠パターンの３行目を構成する２９列目から３５列目の画素が、それぞれ、３９１，４４５，４６３，４８１，４７５，４５７，４２９番目に点灯され、
当該切欠パターンの４行目を構成する２８列目から３６列目の画素が、それぞれ、４３７，４７７，４９５，５１７，５２３，５１５，４９１，４６７，４１５番目に点灯され、
当該切欠パターンの５行目を構成する２６列目から３６列目の画素が、それぞれ、４１９，４７１，５１１，５３１，５５１，５６３，５６５，５５５，５３５，５０７，４５５番目に点灯され、
当該切欠パターンの６行目を構成する２４列目から３７列目の画素が、それぞれ、４０７，４５３，５０５，５３９，５７１，５８７，５９９，６０７，６０３，５９５，５７５，５４７，４９９，４４３番目に点灯され、
当該切欠パターンの７行目を構成する２３列目から３８列目の画素が、それぞれ、４４７，４８９，５２９，５６１，５９１，６２１，６３１，６４１，６５５，６３９，６２７，６１５，５８３，５４３，４８７，４０５番目に点灯され、
当該切欠パターンの８行目を構成する２１列目から３８列目の画素が、それぞれ、４１７，４５９，５０１，５４５，５８１，６１１，６３７，６５９，６７１，６８３，６８７，６７９，６６３，６４３，６１９，５７９，５２７，４５１番目に点灯され、
当該切欠パターンの９行目を構成する１９列目から３９列目の画素が、それぞれ、３９７，４３１，４６９，５０９，５４９，５８５，１６２３，６５３，６６９，６９１，７０３，７１１，７１５，７０７，６９５，６７５，６４９，６０９，５５９，５０３，４２１番目に点灯され、
当該切欠パターンの１０行目を構成する１８列目から３９列目の画素が、それぞれ、４０１，４２５，４６１，４９３，５３７，５７７，６１７，６５１，６７７，７０１，７２１，７２７，７３７，７４３，７３１，７２３，６９９，６６７，６３５，５９３，５４１，４７３番目に点灯され、
当該切欠パターンの１１行目を構成する１６列目から４０列目の画素が、それぞれ、３７６，３８０，４０９，４４１，４８３，５１９，５５７，５９７，６２９，６６５，６９７，７２５，７３９，７４９，７５５，７５７，７５１，７３５，７１９，６９３，６６１，６２５，５７３，５１３，４３９番目に点灯され、
当該切欠パターンの１２行目を構成する１４列目から４１列目の画素が、それぞれ、３６８，３５２，３４４，３５６，３８４，４３３，４８５，５２５，５６９，６０５，６４７，６８１，７０９，７３３，７５３，７６５，７６９，７６７，７６３，７４７，７２９，７０５，６７３，６３３，５８９，５３３，４７９，３９３番目に点灯され、
当該切欠パターンの１３行目を構成する１２列目から４１列目の画素が、それぞれ、３８８，３３４，３１６，２９８，３０４，３２２，３５０，４１３，４６５，５２１，５６７，６１３，６５７，６８９，７１７，７４５，７６１，７７３，７７７，７７５，７７１，７５９，７４１，７１３，６８５，６４５，６０１，５５３，４９７，４４９番目に点灯され、
当該切欠パターンの１４行目を構成する１１列目から４２列目の画素が、それぞれ、３４２，３０２，２８４，２６２，２５６，２６４，２８８，３１２，３６４，４４４，４９６，５５２，６００，６４２，６８４，７１２，７３８，７５８，７７０，７７８，７７６，７６８，７５６，７４０，７１６，６８８，６５６，６０８，５６０，５１８，４６４，４０８番目に点灯され、
当該切欠パターンの１５行目を構成する９列目から４２列目の画素が、それぞれ、３６０，３０８，２６８，２４８，２２８，２１６，２１４，２２４，２４４，２７２，３２４，３９２，４８４，５３４，５８８，６３２，６７２，７０４，７２８，７５０，７６６，７７４，７７２，７６４，７５２，７３２，７０８，６８０，６４０，６０４，５６６，５２４，４７４，４２８番目に点灯され、
当該切欠パターンの１６行目を構成する７列目から４３列目の画素が、それぞれ、３７２，３２６，２７４，２４０，２０８，１９２，１８０，１７２，１７６，１８４，２０４，２３２，２８０，３３６，４４０，５１２，５７２，６２４，６６０，６９２，７２２，７４２，７５４，７６２，７６０，７４８，７３６，７２４，６９６，６６４，６２８，５９６，５５４，５１６，４７２，４３６，４０２番目に点灯され、
当該切欠パターンの１７行目を構成する６列目から４３列目の画素が、それぞれ、３３２，２９０，２５０，２１８，１８８，１５８，１４８，１３８，１２４，１４０，１５２，１６４，１９６，２３６，２９２，３７４，４７６，５４０，５９２，６３８，６７０，７０２，７２６，７３４，７４６，７４４，７３０，７２０，７００，６７６，６４４，６１６，５７６，５３２，４９２，４５２，４２０，４００番目に点灯され、
当該切欠パターンの１８行目を構成する４列目から４４列目の画素が、それぞれ、３６２，３２０，２７８，２３４，１９８，１６８，１４２，１２０，１０８，９６，９２，１００，１１６，１３６，１６０，２００，２５２，３２８，４２２，５０６，５６４，６１４，６５４，６７８，６９８，７１０，７１８，７１４，７０６，６９４，６６８，６５２，６２０，５８４，５４８，５０８，４６８，４３２，３９４，３７６，３８０番目に点灯され、
当該切欠パターンの１９行目を構成する２列目から４５列目の画素が、それぞれ、，３８２，３４８，３１０，２７０，２３０，１９４，１５６，１２６，１１０，８８，７６，６８，６４，７２，８４，１０４，１３０，１７０，２２０，２７６，３５８，４６０，５３０，５８２，６２２，６５０，６６６，６８２，６９０，６８６，６７４，６６２，６３６，６１２，５８０，５４４，５００，４５６，４１６，３６８，３５２，３４４，３５６，３８４番目に点灯され、
当該切欠パターンの２０行目を構成する１列目から４５列目の画素が、それぞれ、３７８，３５４，３１８，２８６，２４２，２０２，１６２，１２８，１０２，７８，５８，５２，４２，３６，４８，５６，８０，１１２，１４４，１８６，２３８，３０６，４１２，４９０，５４６，５８６，６１８，６３０，６４６，６５８，６４８，６３４，６２６，５９４，５６２，５２８，４８８，４４８，３８８，３３４，３１６，２９８，３０４，３２２，３５０番目に点灯され、
当該切欠パターンの２１行目を構成する１列目から４６列目の画素が、それぞれ、３７０，３３８，２９６，２６０，２２２，１８２，１５０，１１４，８２，５４，４０，３０，２４，２２，２８，４４，６０，８６，１１８，１５４，２０６，２６６，３４０，４５０，５０２，５５０，５７８，５９８，６０６，６１０，６０２，５９０，５７４，５４２，５０４，４５８，４１０，３４２，３０２，２８４，２６２，２５６，２６４，２８８，３１２，３６４番目に点灯され、
当該切欠パターンの２２行目を構成する２列目から４６列目の画素が、それぞれ、３４６，２９４，２５４，２１０，１７４，１３２，９８，７０，４６，２６，１４，１０，１２，１６，３２，５０，７４，１０６，１４６，１９０，２４６，３００，３８６，４６２，５１０，５３８，５５８，５７０，５６８，５５６，５３６，５１４，４７８，４２４，３６０，３０８，２６８，２４８，２２８，２１６，２１４，２２４，２４４，２７２，３２４番目に点灯され、
当該切欠パターンの２３行目を構成する２列目から４７列目の画素が、それぞれ、３６６，３１４，２５８，２１２，１６６，１２２，９０，６２，３４，１８，６，２，４，８，２０，３８，６６，９４，１３４，１７８，２２６，２８２，３３０，４１８，４７０，４９４，５２０，５２６，５２２，４９８，４８６，４４２，３７２，３２６，２７４，２４０，２０８，１９２，１８０，１７２，１７６，１８４，２０４，２３２，２８０，３３６番目に点灯され、
当該切欠パターンの２４行目を構成する３列目から４８列目の画素が、それぞれ、３３５，２８３，２２７，１７９，１３７，９５，６７，４１，２１，９，１，３，１１，２３，３９，６３，９１，１２３，１７１，２１９，２６１，３１５，３７１，４３４，４５４，４８０，４８２，４６６，４４６，３９６，３３２，２９０，２５０，２１８，１８８，１５８，１４８，１３８，１２４，１４０，１５２，１６４，１９６，２３６，２９２，３７４番目に点灯され、
当該切欠パターンの２５行目を構成する３列目から４８列目の画素が、それぞれ、３８７，２９５，２４５，１９１，１４７，１０７，７５，５１，２９，１３，５，７，１５，２７，４７，７１，９９，１３９，１７５，２１３，２５５，３０５，３５１，３９８，４２６，４３８，４３０，４１４，３６２，３２０，２７８，２３４，１９８，１６８，１４２，１２０，１０８，９６，９２，１００，１１６，１３６，１６０，２００，２５２，３２８番目に点灯され、
当該切欠パターンの２６行目を構成する４列目から４９列目の画素が、それぞれ、３３９，２６７，２０７，１５５，１１９，８７，５７，３７，２５，１７，１９，３１，４３，５５，８３，１１５，１５１，１８３，２２５，２６３，３０７，３４３，３７７，４０４，４０６，３８２，３４８，３１０，２７０，２３０，１９４，１５６，１２６，１１０，８８，７６，６８，６４，７２，８４，１０４，１３０，１７０，２２０，２７６，３５８番目に点灯され、
当該切欠パターンの２７行目を構成する５列目から４９列目の画素が、それぞれ、３０３，２３９，１８７，１４１，１０９，７７，５３，４５，３３，３５，４９，５９，７９，１０３，１３５，１６３，２０３，２４７，２８７，３２７，３５９，３７９，３９０，３７８，３５４，３１８，２８６，２４２，２０２，１６２，１２８，１０２，７８，５８，５２，４２，３６，４８，５６，８０，１１２，１４４，１８６，２３８，３０６番目に点灯され、
当該切欠パターンの２８行目を構成する５列目から５０列目の画素が、それぞれ、３５７，２７３，２１５，１６５，１２５，１０１，８１，６９，６１，６５，７３，８５，１１１，１２７，１５９，１９５，２３１，２７１，３１１，３４７，３８５，４０３，３９９，３７０，３３８，２９６，２６０，２２２，１８２，１５０，１１４，８２，５４，４０，３０，２４，２２，２８，４４，６０，８６，１１８，１５４，２０６，２６６，３４０番目に点灯され、
当該切欠パターンの２９行目を構成する６列目から５１列目の画素が、それぞれ、３１９，２４９，１９７，１５７，１２９，１１３，９７，８９，９３，１０５，１１７，１４３，１６７，１９９，２３５，２７９，３２３，３６３，４１１，４２７，４３５，４２３，３９５，３４６，２９４，２５４，２１０，１７４，１３２，９８，７０，４６，２６，１４，１０，１２，１６，３２，５０，７４，１０６，１４６，１９０，２４６，３００，３８６番目に点灯され、
当該切欠パターンの３０行目を構成する６列目から５１列目の画素が、それぞれ、３６７，２８９，２３３，１９３，１６１，１４９，１３３，１２１，１３１，１４５，１５３，１８５，２１７，２５１，２９１，３３１，３９１，４４５，４６３，４８１，４７５，４５７，４２９，３６６，３１４，２５８，２１２，１６６，１２２，９０，６２，３４，１８，６，２，４，８，２０，３８，６６，９４，１３４，１７８，２２６，２８２，３３０番目に点灯され、
当該切欠パターンの３１行目を構成する７列目から５２列目の画素が、それぞれ、３２９，２７７，２２９，２０１，１８１，１７３，１６９，１７７，１８９，２０５，２３７，２７５，３２１，３６９，４３７，４７７，４９５，５１７，５２３，５１５，４９１，４６７，４１５，３３５，２８３，２２７，１７９，１３７，９５，６７，４１，２１，９，１，３，１１，２３，３９，６３，９１，１２３，１７１，２１９，２６１，３１５，３７１，番目に点灯され、
当該切欠パターンの３２行目を構成する８列目から５２列目の画素が、それぞれ、３１７，２６９，２４１，２２１，２０９，２１１，２２３，２４３，２６５，３０１，３５５，４１９，４７１，５１１，５３１，５５１，５６３，５６５，５５５，５３５，５０７，４５５，３８７，２９５，２４５，１９１，１４７，１０７，７５，５１，２９，１３，５，７，１５，２７，４７，７１，９９，１３９，１７５，２１３，２５５，３０５，３５１番目に点灯され、
当該切欠パターンの３３行目を構成する８列目から５３列目の画素が、それぞれ、３６１，３０９，２８５，２５９，２５３，２５７，２８１，２９３，３３７，４０７，４５３，５０５，５３９，５７１，５８７，５９９，６０７，６０３，５９５，５７５，５４７，４９９，４４３，３３９，２６７，２０７，１５５，１１９，８７，５７，３７，２５，１７，１９，３１，４３，５５，８３，１１５，１５１，１８３，２２５，２６３，３０７，３４３，３７７番目に点灯され、
当該切欠パターンの３４行目を構成する９列目から５３列目の画素が、それぞれ、３４５，３２５，２９９，２９７，３１３，３３３，３８３，４４７，４８９，５２９，５６１，５９１，６２１，６３１，６４１，６５５，６３９，６２７，６１５，５８３，５４３，４８７，４０５，３０３，２３９，１８７，１４１，１０９，７７，５３，４５，３３，３５，４９，５９，７９，１０３，１３５，１６３，２０３，２４７，２８７，３２７，３５９，３７９番目に点灯され、
当該切欠パターンの３５行目を構成する９列目から５２列目の画素が、それぞれ、３８１，３５３，３４１，３４９，３６５，４１７，４５９，５０１，５４５，５８１，６１１，６３７，６５９，６７１，６８３，６８７，６７９，６６３，６４３，６１９，５７９，５２７，４５１，３５７，２７３，２１５，１６５，１２５，１０１，８１，６９，６１，６５，７３，８５，１１１，１２７，１５９，１９５，２３１，２７１，３１１，３４７，３８５番目に点灯され、
当該切欠パターンの３６行目を構成する１０列目から５０列目の画素が、それぞれ、３７５，３７３，３９７，４３１，４６９，５０９，５４９，５８５，６２３，６５３，６６９，６９１，７０３，７１１，７１５，７０７，６９５，６７５，６４９，６０９，５５９，５０３，４２１，３１９，２４９，１９７，１５７，１２９，１１３，９７，８９，９３，１０５，１１７，１４３，１６７，１９９，２３５，２７９，３２３，３６３番目に点灯され、
当該切欠パターンの３７行目を構成する１０列目から４８列目の画素が、それぞれ、３８９，４０１，４２５，４６１，４９３，５３７，５７７，６１７，６５１，６７７，７０１，７２１，７２７，７３７，７４３，７３１，７２３，６９９，６６７，６３５，５９３，５４１，４７３，３６７，２８９，２３３，１９３，１６１，１４９，１３３，１２１，１３１，１４５，１５３，１８５，２１７，２５１，２９１，３３１番目に点灯され、
当該切欠パターンの３８行目を構成する１１列目から４７列目の画素が、それぞれ、４０９，４４１，４８３，５１９，５５７，５９７，６２９，６６５，６９７，７２５，７３９，７４９，７５５，７５７，７５１，７３５，７１９，６９３，６６１，６２５，５７３，５１３，４３９，３２９，２７７，２２９，２０１，１８１，１７３，１６９，１７７，１８９，２０５，２３７，２７５，３２１，３６９番目に点灯され、
当該切欠パターンの３９行目を構成する１２列目から４５列目の画素が、それぞれ、４３３，４８５，５２５，５６９，６０５，６４７，６８１，７０９，７３３，７５３，７６５，７６９，７６７，７６３，７４７，７２９，７０５，６７３，６３３，５８９，５３３，４７９，３９３，３１７，２６９，２４１，２２１，２０９，２１１，２２３，２４３，２６５，３０１，３５５番目に点灯され、
当該切欠パターンの４０行目を構成する１２列目から４３列目の画素が、それぞれ、４１３，４６５，５２１，５６７，６１３，６５７，６８９，７１７，７４５，７６１，７７３，７７７，７７５，７７１，７５９，７４１，７１３，６８５，６４５，６０１，５５３，４９７，４４９，３６１，３０９，２８５，２５９，２５３，２５７，２８１，２９３，３３７番目に点灯され、
当該切欠パターンの４１行目を構成する１３列目から４２列目の画素が、それぞれ、４４４，４９６，５５２，６００，６４２，６８４，７１２，７３８，７５８，７７０，７７８，７７６，７６８，７５６，７４０，７１６，６８８，６５６，６０８，５６０，５１８，４６４，４０８，３４５，３２５，２９９，２９７，３１３，３３３，３８３番目に点灯され、
当該切欠パターンの４２行目を構成する１３列目から４０列目の画素が、それぞれ、３９２，４８４，５３４，５８８，６３２，６７２，７０４，７２８，７５０，７６６，７７４，７７２，７６４，７５２，７３２，７０８，６８０，６４０，６０４，５６６，５２４，４７４，４２８，３８１，３５３，３４１，３４９，３６５番目に点灯され、
当該切欠パターンの４３行目を構成する１４列目から３８列目の画素が、それぞれ、４４０，５１２，５７２，６２４，６６０，６９２，７２２，７４２，７５４，７６２，７６０，７４８，７３６，７２４，６９６，６６４，６２８，５９６，５５４，５１６，４７２，４３６，４０２，３７５，３７３番目に点灯され、
当該切欠パターンの４４行目を構成する１５列目から３７列目の画素が、それぞれ、４７６，５４０，５９２，６３８，６７０，７０２，７２６，７３４，７４６，７４４，７３０，７２０，７００，６７６，６４４，６１６，５７６，５３２，４９２，４５２，４２０，４００，３８９番目に点灯され、
当該切欠パターンの４５行目を構成する１５列目から３５列目の画素が、それぞれ、４２２，５０６，５６４，６１４，６５４，６７８，６９８，７１０，７１８，７１４，７０６，６９４，６６８，６５２，６２０，５８４，５４８，５０８，４６８，４３２，３９４番目に点灯され、
当該切欠パターンの４６行目を構成する１６列目から３３列目の画素が、それぞれ、４６０，５３０，５８２，６２２，６５０，６６６，６８２，６９０，６８６，６７４，６６２，６３６，６１２，５８０，５４４，５００，４５６，４１６番目に点灯され、
当該切欠パターンの４７行目を構成する１６列目から３１列目の画素が、それぞれ、４１２，４９０，５４６，５８６，６１８，６３０，６４６，６５８，６４８，６３４，６２６，５９４，５６２，５２８，４８８，４４８番目に点灯され、
当該切欠パターンの４８行目を構成する１７列目から３０列目の画素が、それぞれ、４５０，５０２，５５０，５７８，５９８，６０６，６１０，６０２，５９０，５７４，５４２，５０４，４５８，４１０番目に点灯され、
当該切欠パターンの４９行目を構成する１８列目から２８列目の画素が、それぞれ、４６２，５１０，５３８，５５８，５７０，５６８，５５６，５３６，５１４，４７８，４２４番目に点灯され、
当該切欠パターンの５０行目を構成する１８列目から２６列目の画素が、それぞれ、４１８，４７０，４９４，５２０，５２６，５２２，４９８，４８６，４４２番目に点灯され、
当該切欠パターンの５１行目を構成する１９列目から２５列目の画素が、それぞれ、４３４，４５４，４８０，４８２，４６６，４４６，３９６番目に点灯され、
当該切欠パターンの５２行目を構成する１９列目から２３列目の画素が、それぞれ、３９８，４２６，４３８，４３０，４１４番目に点灯され、
当該切欠パターンの５３行目を構成する２０列目から２１列目の画素が、それぞれ、４０４，４０６番目に点灯され、
当該切欠パターンの５４行目を構成する２０列目の画素が、３９０番目に点灯されるように、該１５５６個の画素の点灯順序が設定されることを特徴とする、付記１３記載の２値化ディザマトリクスパターン。
【００８０】
（付記１５）  該２値化ディザマトリクスパターンが、５４行×５３列のマトリクス状に配列される２８６２個の画素によって構成された矩形パターンのうち、当該矩形パターンの１行目を構成する１列目から３２列目および３５列目から５３列目、２行目を構成する１列目から３０行目および３６列目から５３列目、３行目を構成する１列目から２８列目および３６列目から５３列目、４行目を構成する１列目から２７列目および３７列目から５３列目、５行目を構成する１列目から２５列目および３７列目から５６列目、６行目を構成する１列目から２３列目および３８列目から５３列目、７行目を構成する１列目から２２列目および３９列目から５３列目、８行目を構成する１列目から２０列目および３９列目から５３列目、９行目を構成する１列目から１８列目および４０列目から５３列目、１０行目を構成する１列目から１７列目および４０列目から５３列目、１１行目を構成する１列目から１５列目および４１列目から５３列目、１２行目を構成する１列目から１３列目および４２列目から５３列目、１３行目を構成する１列目から１１列目および４２列目から５３列目、１４行目を構成する１列目から１０列目および４３列目から５３列目、１５行目を構成する１列目から８列目および４３列目から５３列目、１６行目を構成する１列目から６列目および４４列目から５３列目、１７行目を構成する１列目から５列目および４４列目から５３列目、１８行目を構成する１列目から３列目および４５列目から５３列目、１９行目を構成する１列目および４６列目から５３列目、２０行目を構成する４６列目から５３列目、２１行目を構成する４７行目から５３行目、２２行目を構成する１列目および４７行目から５３行目、２３行目を構成する１列目および４８列目から５３列目、２４行目を構成する１列目から２列目および４９列目から５３列目、２５行目を構成する１列目から２列目および４９列目から５３列目、２６行目を構成する１列目から３列目および５０列目から５３列目、２７行目を構成する１列目から４列目および５０列目から５３列目、２８行目を構成する１列目から４列目および５１列目から５３列目、２９行目を構成する１列目から５列目および５２列目から５３列目、３０行目を構成する１列目から５列目および５２列目から５３列目、３１行目を構成する１列目から６列目および５３列目、３２行目を構成する１列目から７列目および３５列目、３３行目を構成する１列目から７列目、３４行目を構成する１列目から８列目、３５行目を構成する１列目から８列目および５３列目、３６行目を構成する１列目から９列目および５１列目から５３列目、３７行目を構成する１列目から９列目および４９列目から５３列目、３８行目を構成する１列目から１０列目および４８列目から５３列目、３９行目を構成する１列目から１１列目および４６列目から５３列目、４０行目を構成する１列目から１１列目および４４列目から５３列目、４１行目を構成する１列目から１２列目および４３列目から５３列目、４２行目を構成する１列目から１２列目および４１列目から５３列目、４３行目を構成する１列目から１３列目および３９列目から５３列目、４４行目を構成する１列目から１４列目および��８列目から５３列目、４５行目を構成する１列目から１４列目および３６列目から５３列目、４６行目を構成する１列目から１５列目および３４列目から５３列目、４７行目を構成する１列目から１５行目および３２列目から５３列目、４８行目を構成する１列目から１６行目および３１列目から５３列目、４９行目を構成する１列目から１７列目および２９列目から５３列目、５０行目を構成する１列目から１７列目および２７列目から５３列目、５１行目を構成する１列目から１８列目および２６列目から５３列目、５２行目を構成する１列目から１８列目および２４列目から５３列目、５３行目を構成する１列目から１９列目および２２列目から５３列目、５４列目を構成する１列目から１９列目および２１列目から５３列目をそれぞれ切り欠いて構成された切欠パターンとして構成され、
当該切欠パターンの１行目を構成する３３列目から３４列目の画素が、それぞれ、８０５，７９７番目に点灯され、
当該切欠パターンの２行目を構成する３１列目から３５列目の画素が、それぞれ、８２１，８５３，８６９，８４５，７８９番目に点灯され、
当該切欠パターンの３行目を構成する２９列目から３５列目の画素が、それぞれ、７８１，８８９，９２５，９６１，９４９，９１３，８５７番目に点灯され、
当該切欠パターンの４行目を構成する２８列目から３６列目の画素が、それぞれ、８７３，９５３，９８９，１０３３，１０４５，１０２９，９８１，９３３，８２９番目に点灯され、
当該切欠パターンの５行目を構成する２６列目から３６列目の画素が、それぞれ、８３７，９４１，１０２１，１０６１，１１０１，１１２５，１１２９，１１０９，１０６９，１０１３，９０９番目に点灯され、
当該切欠パターンの６行目を構成する２４列目から３７列目の画素が、それぞれ、８１３，９０５，１００９，１０７７，１１４１，１１７３，１１９７，１２１３，１２０５，１１８９，１１４９，１０９３，９９７，８８５番目に点灯され、
当該切欠パターンの７行目を構成する２３列目から３８列目の画素が、それぞれ、８９３，９７７，１０５７，１１２１，１１８１，１２４１，１２６１，１２８１，１３０９，１２７７，１２５３，１２２９，１１６５，１０８５，９７３，８０９番目に点灯され、
当該切欠パターンの８行目を構成する２１列目から３８列目の画素が、それぞれ、８３３，９１７，１００１，１０８９，１１６１，１２２１，１２７３，１３１７，１３４１，１３６５，１３７３，１３５７，１３２５，１２８５，１２３７，１１５７，１０５３，９０１番目に点灯され、
当該切欠パターンの９行目を構成する１９列目から３９列目の画素が、それぞれ、７９３，８６１，９３７，１０１７，１０９７，１１６９，１２４５，１３０５，１３３７，１３８１，１４０５，１４２１，１４２９，１４１３，１３８９，１３４９，１２９７，１２１７，１１１７，１００５，８４１番目に点灯され、
当該切欠パターンの１０行目を構成する１８列目から３９列目の画素が、それぞれ、８０１，８４９，９２１，９８５，１０７３，１１５３，１２３３，１３０１，１３５３，１４０１，１４４１，１４５３，１４７３，１４８５，１４６１，１４４５，１３９７，１３３３，１２６９，１１８５，１０８１，９４５番目に点灯され、
当該切欠パターンの１１行目を構成する１６列目から４０列目の画素が、それぞれ、７５１，７５９，８１７，８８１，９６５，１０３７，１１１３，１１９３，１２５７，１３２９，１３９３，１４４９，１４７７，１４９７，１５０９，１５１３，１５０１，１４６９，１４３７，１３８５，１３２１，１２４９，１１４５，１０２５，８７７番目に点灯され、
当該切欠パターンの１２行目を構成する１４列目から４１列目の画素が、それぞれ、７３５，７０３，６８７，７１１，７６７，８６５，９６９，１０４９，１１３７，１２０９，１２９３，１３６１，１４１７，１４６５，１５０５，１５２９，１５３７，１５３３，１５２５，１４９３，１４５７，１４０９，１３４５，１２６５，１１７７，１０６５，９５７，７８５番目に点灯され、
当該切欠パターンの１３行目を構成する１２列目から４１列目の画素が、それぞれ、７７５，６６７，６３１，５９５，６０７，６４３，６９９，８２５，９２９，１０４１，１１３３，１２２５，１３１３，１３７７，１４３３，１４８９，１５２１，１５４５，１５５３，１５４９，１５４１，１５１７，１４８１，１４２５，１３６９，１２８９，１２０１，１１０５，９９３，８９７番目に点灯され、
当該切欠パターンの１４行目を構成する１１列目から４２列目の画素が、それぞれ、６８３，６０３，５６７，５２３，５１１，５２７，５７５，６２３，７２７，８８７，９９１，１１０３，１１９９，１２８３，１３６７，１４２３，１４７５，１５１５，１５３９，１５５５，１５５１，１５３５，１５１１，１４７９，１４３１，１３７５，１３１１，１２１５，１１１９，１０３５，９２７，８１５番目に点灯され、
当該切欠パターンの１５行目を構成する９列目から４２列目の画素が、それぞれ、７１９，６１５，５３５，４９５，４５５，４３１，４２７，４４７，４８７，５４３，６４７，７８３，９６７，１０６７，１１７５，１２６３，１３４３，１４０７，１４５５，１４９９，１５３１，１５４７，１５４３，１５２７，１５０３，１４６３，１４１５，１３５９，１２７９，１２０７，１１３１，１０４７，９４７，８５５番目に点灯され、
当該切欠パターンの１６行目を構成する７列目から４３列目の画素が、それぞれ、７４３，６５１，５４７，４７９，４１５，３８３，３５９，３４３，３５１，３６７，４０７，４６３，５５９，６７１，８７９，１０２３，１１４３，１２４７，１３１９，１３８３，１４４３，１４８３，１５０７，１５２３，１５１９，１４９５，１４７１，１４４７，１３９１，１３２７，１２５５，１１９１，１１０７，１０３１，９４３，８７１，８０３番目に点灯され、
当該切欠パターンの１７行目を構成する６列目から４３列目の画素が、それぞれ、６６３，５７９，４９９，４３５，３７５，３１５，２９５，２７５，２４７，２７９，３０３，３２７，３９１，４７１，５８３，７４７，９５１，１０７９，１１８３，１２７５，１３３９，１４０３，１４５１，１４６７，１４９１，１４８７，１４５９，１４３９，１３９９，１３５１，１２８７，１２３１，１１５１，１０６３，９８３，９０３，８３９，７９９番目に点灯され、
当該切欠パターンの１８行目を構成する４列目から４４列目の画素が、それぞれ、７２３，６３９，５５５，４６７，３９５，３３５，２８３，２３９，２１５，１９１，１８３，１９９，２３１，２７１，３１９，３９９，５０３，６５５，８４３，１０１１，１１２７，１２２７，１３０７，１３５５，１３９５，１４１９，１４３５，１４２７，１４１１，１３８７，１３３５，１３０３，１２３９，１１６７，１０９５，１０１５，９３５，８６３，７８７，７５２，７６０番目に点灯され、
当該切欠パターンの１９行目を構成する２列目から４５列目の画素が、それぞれ、７６３，６９５，６１９，５３９，４５９，３８７，３１１，２５１，２１９，１７５，１５１，１３５，１２７，１４３，１６７，２０７，２５９，３３９，４３９，５５１，７１５，９１９，１０５９，１１６３，１２４３，１２９９，１３３１，１３６３，１３７９，１３７１，１３４７，１３２３，１２７１，１２２３，１１５９，１０８７，９９９，９１１，８３１，７３６，７０４，６８８，７１２，７６８番目に点灯され、
当該切欠パターンの２０行目を構成する１列目から４５列目の画素が、それぞれ、７５５，７０７，６３５，５７１，４８３，４０３，３２３，２５５，２０３，１５５，１１５，１０３，８３，７１，９５，１１１，１５９，２２３，２８７，３７１，４７５，６１１，８２３，９７９，１０９１，１１７１，１２３５，１２５９，１２９１，１３１５，１２９５，１２６７，１２５１，１１８７，１１２３，１０５５，９７５，８９５，７７６，６６８，６３２，５９６，６０８，６４４，７００番目に点灯され、
当該切欠パターンの２１行目を構成する１列目から４６列目の画素が、それぞれ、７３９，６７５，５９１，５１９，４４３，３６３，２９９，２２７，１６３，１０７，７９，５９，４７，４３，５５，８７，１１９，１７１，２３５，３０７，４１１，５３１，６７９，８９９，１００３，１０９９，１１５５，１１９５，１２１１，１２１９，１２０３，１１７９，１１４７，１０８３，１００７，９１５，８１９，６８４，６０４，５６８，５２４，５１２，５２８，５７６，６２４，７２８番目に点灯され、
当該切欠パターンの２２行目を構成する２列目から４６列目の画素が、それぞれ、６９１，５８７，５０７，４１９，３４７，２６３，１９５，１３９，９１，５１，２７，１９，２３，３１，６３，９９，１４７，２１１，２９１，３７９，４９１，５９９，７７１，９２３，１０１９，１０７５，１１１５，１１３９，１１３５，１１１１，１０７１，１０２７，９５５，８４７，７２０，６１６，５３６，４９６，４５６，４３２，４２８，４４８，４８８，５４４，６４８番目に点灯され、
当該切欠パターンの２３行目を構成する２列目から４７列目の画素が、それぞれ、７３１，６２７，５１５，４２３，３３１，２４３，１７９，１２３，６７，３５，１１，３，７，１５，３９，７５，１３１，１８７，２６７，３５５，４５１，５６３，６５９，８３５，９３９，９８７，１０３９，１０５１，１０４３，９９５，９７１，８８３，７４４，６５２，５４８，４８０，４１６，３８４，３６０，３４４，３５２，３６８，４０８，４６４，５６０，６７２番目に点灯され、
当該切欠パターンの２４行目を構成する３列目から４８列目の画素が、それぞれ、６６９，５６５，４５３，３５７，２７３，１８９，１３３，８１，４１，１７，１，５，２１，４５，７７，１２５，１８１，２４５，３４１，４３７，５２１，６２９，７４１，８６７，９０７，９５９，９６３，９３１，８９１，７９１，６６４，５８０，５００，４３６，３７６，３１６，２９６，２７６，２４８，２８０，３０４，３２８，３９２，４７２，５８４，７４８番目に点灯され、
当該切欠パターンの２５行目を構成する３列目から４８列目の画素が、それぞれ、７７３，５８９，４８９，３８１，２９３，２１３，１４９，１０１，５７，２５，９，１３，２９，５３，９３，１４１，１９７，２７７，３４９，４２５，５０９，６０９，７０１，７９５，８５１，８７５，８５９，８２７，７２４，６４０，５５６，４６８，３９６，３３６，２８４，２４０，２１６，１９２，１８４，２００，２３２，２７２，３２０，４００，５０４，６５６番目に点灯され、
当該切欠パターンの２６行目を構成する４列目から４９列目の画素が、それぞれ、６７７，５３３，４１３，３０９，２３７，１７３，１１３，７３，４９，３３，３７，６１，８５，１０９，１６５，２２９，３０１，３６５，４４９，５２５，６１３，６８５，７５３，８０７，８１１，７６４，６９６，６２０，５４０，４６０，３８８，３１２，２５２，２２０，１７６，１５２，１３６，１２８，１４４，１６８，２０８，２６０，３４０，４４０，５５２，７１６番目に点灯され、
当該切欠パターンの２７行目を構成する５列目から４９列目の画素が、それぞれ、６０５，４７７，３７３，２８１，２１７，１５３，１０５，８９，６５，６９，９７，１１７，１５７，２０５，２６９，３２５，４０５，４９３，５７３，６５３，７１７，７５７，７７９，７５６，７０８，６３６，５７２，４８４，４０４，３２４，２５６，２０４，１５６，１１６，１０４，８４，７２，９６，１１２，１６０，２２４，２８８，３７２，４７６，６１２番目に点灯され、
当該切欠パターンの２８行目を構成する５列目から５０列目の画素が、それぞれ、７１３，５４５，４２９，３２９，２４９，２０１，１６１，１３７，１２１，１２９，１４５，１６９，２２１，２５３，３１７，３８９，４６１，５４１，６２１，６９３，７６９，８０６，７９８，７４０，６７６，５９２，５２０，４４４，３６４，３００，２２８，１６４，１０８，８０，６０，４８，４４，５６，８８，１２０，１７２，２３６，３０８，４１２，５３２，６８０番目に点灯され、
当該切欠パターンの２９行目を構成する６列目から５１列目の画素が、それぞれ、６３７，４９７，３９３，３１３，２５７，２２５，１９３，１７７，１８５，２０９，２３３，２８５，３３３，３９７，４６９，５５７，６４５，７２５，８２２，８５４，８７０，８４６，７９０，６９２，５８８，５０８，４２０，３４８，２６４，１９６，１４０，９２，５２，２８，２０，２４，３２，６４，１００，１４８，２１２，２９２，３８０，４９２，６００，７７２番目に点灯され、
当該切欠パターンの３０行目を構成する６列目から５１列目の画素が、それぞれ、７３３，５７７，４６５，３８５，３２１，２９７，２６５，２４１，２６１，２８９，３０５，３６９，４３３，５０１，５８１，６６１，７８２，８９０，９２６，９６２，９５０，９１４，８５８，７３２，６２８，５１６，４２４，３３２，２４４，１８０，１２４，６８，３６，１２，４，８，１６，４０，７６，１３２，１８８，２６８，３５６，４５２，５６４，６６０番目に点灯され、
当該切欠パターンの３１行目を構成する７列目から５２列目の画素が、それぞれ、６５７，５５３，４５７，４０１，３６１，３４５，３３７，３５３，３７７，４０９，４７３，５４９，６４１，７３７，８７４，９５４，９９０，１０３４，１０４６，１０３０，９８２，９３４，８３０，６７０，５６６，４５４，３５８，２７４，１９０，１３４，８２，４２，１８，２，６，２２，４６，７８，１２６，１８２，２４６，３４２，４３８，５２２，６３０，７４２番目に点灯され、
当該切欠パターンの３２行目を構成する８列目から５２列目の画素が、それぞれ、６３３，５３７，４８１，４４１，４１７，４２１，４４５，４８５，５２９，６０１，７０９，８３８，９４２，１０２２，１０６２，１１０２，１１２６，１１３０，１１１０，１０７０，１０１４，９１０，７７４，５９０，４９０，３８２，２９４，２１４，１５０，１０２，５８，２６，１０，１４，３０，５４，９４，１４２，１９８，２７８，３５０，４２６，５１０，６１０，７０２番目に点灯され、
当該切欠パターンの３３行目を構成する８列目から５３列目の画素が、それぞれ、７２１，６１７，５６９，５１７，５０５，５１３，５６１，５８５，６７３，８１４，９０６，１０１０，１０７８，１１４２，１１７４，１１９８，１２１４，１２０６，１１９０，１１５０，１０９４，９９８，８８６，６７８，５３４，４１４，３１０，２３８，１７４，１１４，７４，５０，３４，３８，６２，８６，１１０，１６６，２３０，３０２，３６６，４５０，５２６，６１４，６８６，７５４番目に点灯され、
当該切欠パターンの３４行目を構成する９列目から５３列目の画素が、それぞれ、６８９，６４９，５９７，５９３，６２５，６６５，７６５，８９４，９７８，１０５８，１１２２，１１８２，１２４２，１２６２，１２８２，１３１０，１２７８，１２５４，１２３０，１１６６，１０８６，９７４，８１０，６０６，４７８，３７４，２８２，２１８，１５４，１０６，９０，６６，７０，９８，１１８，１５８，２０６，２７０，３２６，４０６，４９４，５７４，６５４，７１８，７５８番目に点灯され、
当該切欠パターンの３５行目を構成する９列目から５２列目の画素が、それぞれ、７６１，７０５，６８１，６９７，７２９，８３４，９１８，１００２，１０９０，１１６２，１２２２，１２７４，１３１８，１３４２，１３６６，１３７４，１３５８，１３２６，１２８６，１２３８，１１５８，１０５４，９０２，７１４，５４６，４３０，３３０，２５０，２０２，１６２，１３８，１２２，１３０，１４６，１７０，２２２，２５４，３１８，３９０，４６２，５４２，６２２，６９４，７７０番目に点灯され、
当該切欠パターンの３６行目を構成する１０列目から５０列目の画素が、それぞれ、７４９，７４５，７９４，８６２，９３８，１０１８，１０９８，１１７０，１２４６，１３０６，１３３８，１３８２，１４０６，１４２２，１４３０，１４１４，１３９０，１３５０，１２９８，１２１８，１１１８，１００６，８４２，６３８，４９８，３９４，３１４，２５８，２２６，１９４，１７８，１８６，２１０，２３４，２８６，３３４，３９８，４７０，５５８，６４６，７２６番目に点灯され、
当該切欠パターンの３７行目を構成する１０列目から４８列目の画素が、それぞれ、７７７，８０２，８５０，９２２，９８６，１０７４，１１５４，１２３４，１３０２，１３５４，１４０２，１４４２，１４５４，１４７４，１４８６，１４６２，１４４６，１３９８，１３３４，１２７０，１１８６，１０８２，９４６，７３４，５７８，４６６，３８６，３２２，２９８，２６６，２４２，２６２，２９０，３０６，３７０，４３４，５０２，５８２，６６２番目に点灯され、
当該切欠パターンの３８行目を構成する１１列目から４７列目の画素が、それぞれ、８１８，８８２，９６６，１０３８，１１１４，１１９４，１２５８，１３３０，１３９４，１４５０，１４７８，１４９８，１５１０，１５１４，１５０２，１４７０，１４３８，１３８６，１３２２，１２５０，１１４６，１０２６，８７８，６５８，５５４，４５８，４０２，３６２，３４６，３３８，３５４，３７８，４１０，４７４，５５０，６４２，７３８番目に点灯され、
当該切欠パターンの３９行目を構成する１２列目から４５列目の画素が、それぞれ、８６６，９７０，１０５０，１１３８，１２１０，１２９４，１３６２，１４１８，１４６６，１５０６，１５３０，１５３８，１５３４，１５２６，１４９４，１４５８，１４１０，１３４６，１２６６，１１７８，１０６６，９５８，７８６，６３４，５３８，４８２，４４２，４１８，４２２，４４６，４８６，５３０，６０２，７１０番目に点灯され、
当該切欠パターンの４０行目を構成する１２列目から４３列目の画素が、それぞれ、８２６，９３０，１０４２，１１３４，１２２６，１３１４，１３７８，１４３４，１４９０，１５２２，１５４６，１５５４，１５５０，１５４２，１５１８，１４８２，１４２６，１３７０，１２９０，１２０２，１１０６，９９４，８９８，７２２，６１８，５７０，５１８，５０６，５１４，５６２，５８６，６７４番目に点灯され、
当該切欠パターンの４１行目を構成する１３列目から４２列目の画素が、それぞれ、８８８，９９２，１１０４，１２００，１２８４，１３６８，１４２４，１４７６，１５１６，１５４０，１５５６，１５５２，１５３６，１５１２，１４８０，１４３２，１３７６，１３１２，１２１６，１１２０，１０３６，９２８，８１６，６９０，６５０，５９８，５９４，６２６，６６６，７６６番目に点灯され、
当該切欠パターンの４２行目を構成する１３列目から４０列目の画素が、それぞれ、７８４，９６８，１０６８，１１７６，１２６４，１３４４，１４０８，１４５６，１５００，１５３２，１５４８，１５４４，１５２８，１５０４，１４６４，１４１６，１３６０，１２８０，１２０８，１１３２，１０４８，９４８，８５６，７６２，７０６，６８２，６９８，７３０番目に点灯され、
当該切欠パターンの４３行目を構成する１４列目から３８列目の画素が、それぞれ、８８０，１０２４，１１４４，１２４８，１３２０，１３８４，１４４４，１４８４，１５０８，１５２４，１５２０，１４９６，１４７２，１４４８，１３９２，１３２８，１２５６，１１９２，１１０８，１０３２，９４４，８７２，８０４，７５０，７４６番目に点灯され、
当該切欠パターンの４４行目を構成する１５列目から３７列目の画素が、それぞれ、９５２，１０８０，１１８４，１２７６，１３４０，１４０４，１４５２，１４６８，１４９２，１４８８，１４６０，１４４０，１４００，１３５２，１２８８，１２３２，１１５２，１０６４，９８４，９０４，８４０，８００，７７８番目に点灯され、
当該切欠パターンの４５行目を構成する１５列目から３５列目の画素が、それぞれ、８４４，１０１２，１１２８，１２２８，１３０８，１３５６，１３９６，１４２０，１４３６，１４２８，１４１２，１３８８，１３３６，１３０４，１２４０，１１６８，１０９６，１０１６，９３６，８６４，７８８番目に点灯され、
当該切欠パターンの４６行目を構成する１６列目から３３列目の画素が、それぞれ、９２０，１０６０，１１６４，１２４４，１３００，１３３２，１３６４，１３８０，１３７２，１３４８，１３２４，１２７２，１２２４，１１６０，１０８８，１０００，９１２，８３２番目に点灯され、
当該切欠パターンの４７行目を構成する１６列目から３１列目の画素が、それぞれ、８２４，９８０，１０９２，１１７２，１２３６，１２６０，１２９２，１３１６，１２９６，１２６８，１２５２，１１８８，１１２４，１０５６，９７６，８９６番目に点灯され、
当該切欠パターンの４８行目を構成する１７列目から３０列目の画素が、それぞれ、９００，１００４，１１００，１１５６，１１９６，１２１２，１２２０，１２０４，１１８０，１１４８，１０８４，１００８，９１６，８２０番目に点灯され、
当該切欠パターンの４９行目を構成する１８列目から２８列目の画素が、それぞれ、９２４，１０２０，１０７６，１１１６，１１４０，１１３６，１１１２，１０７２，１０２８，９５６，８４８番目に点灯され、
当該切欠パターンの５０行目を構成する１８列目から２６列目の画素が、それぞれ、８３６，９４０，９８８，１０４０，１０５２，１０４４，９９６，９７２，８８４番目に点灯され、
当該切欠パターンの５１行目を構成する１９列目から２５列目の画素が、それぞれ、８６８，９０８，９６０，９６４，９３２，８９２，７９２番目に点灯され、
当該切欠パターンの５２行目を構成する１９列目から２３列目の画素が、それぞれ、７９６，８５２，８７６，８６０，８２８番目に点灯され、
当該切欠パターンの５３行目を構成する２０列目から２１列目の画素が、それぞれ、８０８，８１２番目に点灯され、
当該切欠パターンの５４行目を構成する２０列目の画素が、７８０番目に点灯されるように、該１５５６個の画素の点灯順序が設定されることを特徴とする、付記１３記載の２値化ディザマトリクスパターン。
【００８１】
（付記１６）  当該２値化ディザマトリクスパターンにおける任意の画素に設定された点灯順序と、当該画素が属する網点ドットに関する特定点を基準として当該画素に対して点対称の位置にある画素に設定された点灯順序とを入れ替えることを特徴とする、付記１３〜付記１５のいずれか１項に記載の２値化ディザマトリクスパターン。
（付記１７）  当該２値化ディザマトリクスパターンにおける図心位置を中心に、前記点灯順序を設定した各画素を所定角度回転させたことを特徴とする、付記１３〜付記１６のいずれか１項に記載の２値化ディザマトリクスパターン。
【００８２】
（付記１８）当該２値化ディザマトリクスパターンにおいて、前記点灯順序を設定された画素のうち同じ点灯順序を設定された該画素について、その点灯順序を他の番号に置き換えて形成されたことを特徴とする、付記１４記載の２値化ディザマトリクスパターン。
（付記１９）多値画像を２値化して媒体上に画像を形成する印刷機能をコンピュータに実行させるための印刷プログラムであって、
順次点灯される複数の画素をマトリクス状に配列して構成された２値化ディザマトリクスパターンであって、当該２値化ディザマトリクスパターンのほぼ図心位置に関して点対称の位置に複数の特定点をそなえ、当該特定点に近い該画素から順に、点灯画素に隣接する該画素を優先的に点灯させることによって、それぞれ連続的な網点ドットを生成し、当該２値化ディザマトリクスパターンを構成するほぼ半数の画素まで順番に点灯させた際に、当該２値化ディザマトリクスパターンにおいて該点灯画素と非点灯画素とが市松模様を形成するように該画素の点灯順序を設定された２値化ディザマトリクスパターンを用意するステップと、
入力された多値画像の画素値に基づいて、該２値化ディザマトリクスパターンにおける、該点灯順序の開始画素から所定の点灯順番が設定された画素までを該点灯順序に従って選択することにより決定された色材を形成する画素に対して色材を形成することにより画像を形成する画像形成ステップとを該コンピュータに実行させることを特徴とする、印刷プログラム。
【００８３】
（付記２０）  該２値化ディザマトリクスパターンが、当該２値化ディザマトリクスパターンにおける任意の画素に設定された点灯順序と、当該画素が属する網点ドットに関する特定点を基準として当該画素に対して点対称の位置にある画素に設定された点灯順序とを入れ替えて構成されたことを特徴とする、付記１９記載の印刷プログラム。
（付記２１）  該画像形成ステップを該コンピュータに実行させる際に、該２値化ディザマトリクスパターンを９０度もしくは２７０度回転させて用いるように該コンピュータに実行させることを特徴とする、付記１９又は付記２０記載の印刷プログラム。
【００８４】
（付記２２）ルックアップテーブルに基づいて画像形成順序を変更する画像形成順序変更ステップを該コンピュータに実行させるとともに、
該画像形成ステップを該コンピュータに実行させる際に、該画像形成順序変更ステップにおいて変更された画像形成順序に基づいて該画像を形成するように、該コンピュータを実行させることを特徴とする、付記１９〜付記２１のいずれか１項に記載の印刷方法。
【００８５】
（付記２３）多値画像を２値化して媒体上に画像を形成する印刷機能をコンピュータに実行させるための印刷プログラムを記録したコンピュータ読取可能な記録媒体であって、
該印刷プログラムが、
順次点灯される複数の画素をマトリクス状に配列して構成された２値化ディザマトリクスパターンであって、当該２値化ディザマトリクスパターンのほぼ図心位置に関して点対称の位置に複数の特定点をそなえ、当該特定点に近い該画素から順に、点灯画素に隣接する該画素を優先的に点灯させることによって、それぞれ連続的な網点ドットを生成し、当該２値化ディザマトリクスパターンを構成するほぼ半数の画素まで順番に点灯させた際に、当該２値化ディザマトリクスパターンにおいて該点灯画素と非点灯画素とが市松模様を形成するように該画素の点灯順序を設定された２値化ディザマトリクスパターンを用意するステップと、
入力された多値画像の画素値に基づいて、該２値化ディザマトリクスパターンにおける、該点灯順序の開始画素から所定の点灯順番が設定された画素までを該点灯順序に従って選択することにより決定された色材を形成する画素に対して色材を形成することにより画像を形成する画像形成ステップとを該コンピュータに実行させることを特徴とする、印刷プログラムを記録したコンピュータ読取可能な記録媒体。
【００８６】
（付記２４）  該２値化ディザマトリクスパターンが、当該２値化ディザマトリクスパターンにおける任意の画素に設定された点灯順序と、当該画素が属する網点ドットに関する特定点を基準として当該画素に対して点対称の位置にある画素に設定された点灯順序とを入れ替えて構成されたことを特徴とする、付記２３記載の印刷プログラムを記録したコンピュータ読取可能な記録媒体。
【００８７】
（付記２５）  該画像形成ステップを該コンピュータに実行させる際に、該２値化ディザマトリクスパターンを９０度もしくは２７０度回転させて用いるように該コンピュータを実行させることを特徴とする、付記２３又は付記２４記載の印刷プログラムを記録したコンピュータ読取可能な記録媒体。
（付記２６）ルックアップテーブルに基づいて画像形成順序を変更する画像形成順序変更ステップを該コンピュータに実行させるとともに、
該画像形成ステップを該コンピュータに実行させる際に、該画像形成順序変更ステップにおいて変更された画像形成順序に基づいて該画像を形成するように、該コンピュータを実行させることを特徴とする、付記２３〜付記２５のいずれか１項に記載の印刷プログラムを記録したコンピュータ読取可能な記録媒体。
【００８８】
（付記２７）多値画像を２値化する２値化機能をコンピュータに実行させるための２値化プログラムであって、
順次点灯される複数の画素をマトリクス状に配列して構成された２値化ディザマトリクスパターンであって、当該２値化ディザマトリクスパターンのほぼ図心位置に関して点対称の位置に複数の特定点をそなえ、当該特定点に近い該画素から順に、点灯画素に隣接する該画素を優先的に点灯させることによって、それぞれ連続的な網点ドットを生成し、当該２値化ディザマトリクスパターンを構成するほぼ半数の画素まで順番に点灯させた際に、当該２値化ディザマトリクスパターンにおいて該点灯画素と非点灯画素とが市松模様を形成するように該画素の点灯順序を設定された２値化ディザマトリクスパターンを用意するステップと、
入力された多値画像の画素値に基づいて、該２値化ディザマトリクスパターンにおける、該点灯順序の開始画素から所定の点灯順番が設定された画素までを該点灯順序に従って選択することにより２値化を行なう２値化ステップとを該コンピュータに実行させることを特徴とする、２値化プログラム。
【００８９】
（付記２８）  該２値化ディザマトリクスパターンが、当該２値化ディザマトリクスパターンにおける任意の画素に設定された点灯順序と、当該画素が属する網点ドットに関する特定点を基準として当該画素に対して点対称の位置にある画素に設定された点灯順序とを入れ替えて構成されたことを特徴とする、付記２７記載の２値化プログラム。
（付記２９）  該２値化ステップを該コンピュータに実行させる際に、該２値化ディザマトリクスパターンを９０度もしくは２７０度回転させて用いるように該コンピュータに実行させることを特徴とする、付記２７又は付記２８記載の２値化プログラム。
【００９０】
（付記３０）多値画像を２値化する２値化機能をコンピュータに実行させるための２値化プログラムを記録したコンピュータ読取可能な記録媒体であって、
該２値化プログラムが、
順次点灯される複数の画素をマトリクス状に配列して構成された２値化ディザマトリクスパターンであって、当該２値化ディザマトリクスパターンのほぼ図心位置に関して点対称の位置に複数の特定点をそなえ、当該特定点に近い該画素から順に、点灯画素に隣接する該画素を優先的に点灯させることによって、それぞれ連続的な網点ドットを生成し、当該２値化ディザマトリクスパターンを構成するほぼ半数の画素まで順番に点灯させた際に、当該２値化ディザマトリクスパターンにおいて該点灯画素と非点灯画素とが市松模様を形成するように該画素の点灯順序を設定された２値化ディザマトリクスパターンを用意するステップと、
入力された多値画像の画素値に基づいて、該２値化ディザマトリクスパターンにおける、該点灯順序の開始画素から所定の点灯順番が設定された画素までを該点灯順序に従って選択することにより２値化を行なう２値化ステップとを該コンピュータに実行させることを特徴とする、２値化プログラムを記録したコンピュータ読取可能な記録媒体。
【００９１】
（付記３１）  該２値化ディザマトリクスパターンが、当該２値化ディザマトリクスパターンにおける任意の画素に設定された点灯順序と、当該画素が属する網点ドットに関する特定点を基準として当該画素に対して点対称の位置にある画素に設定された点灯順序とを入れ替えて構成されたことを特徴とする、付記３０記載の２値化プログラムを記録したコンピュータ読取可能な記録媒体。
【００９２】
（付記３２）  該２値化ステップを該コンピュータに実行させる際に、該２値化ディザマトリクスパターンを９０度もしくは２７０度回転させて用いるように該コンピュータに実行させることを特徴とする、付記３０又は付記３１記載の２値化プログラムを記録したコンピュータ読取可能な記録媒体。
【産業上の利用可能性】
【００９３】
例えばインクジェットプリンタ等の印刷装置を用いた、自然画像やグラフィック画像，色文字等の種々の多値画像（Continuous Tone Image）の印刷に適用することができる。
【図面の簡単な説明】
【００９４】
【図１】本発明の一実施形態としての印刷装置におけるドット生成部の要部を示すブロック図である。
【図２】本発明の一実施形態の印刷装置において用いられる２値化用パターンの例を示す図である。
【図３】図２に示した２値化用パターンを構成するほぼ半数の画素まで順番に点灯させた状態を示す図である。
【図４】本発明の一実施形態としての印刷装置において用いられる一次元ルックアップテーブルの例を示す図である。
【図５】本発明の一実施形態としての印刷装置における２値化処理を説明するための図である。
【図６】本発明の一実施形態としての印刷装置における２値化処理を説明するための図である。
【図７】本発明の一実施形態の印刷装置において用いられる２値化用パターンの変形例を示す図である。
【図８】図７に示した２値化用パターンを構成するほぼ半数の画素まで順番に点灯させた状態を示す図である。
【符号の説明】
【００９５】
１  ドット生成部
１０  色演算部
１１  画像信号メモリ（記憶領域）
１２  パターンメモリ
１３  階調特性変更部（ルックアップテーブル，点灯順序変更部）
１４  ドットデータ生成部
１５  画像形成部
１２ａ，１２ｂ  ２値化用パターン
【図１】
2005167492.tif 000003
【図２】
2005167492.tif 000004
【図３】
2005167492.tif 000005
【図４】
2005167492.tif 000006
【図５】
2005167492.tif 000007
【図６】
2005167492.tif 000008
【図７】
2005167492.tif 000009
【図８】
2005167492.tif 000010